(57)【要約】      （修正有）【課題】設置場所に設置するプロセス時にガイド機能を有する、スマートハザード検出器を提供する。【解決手段】スマートハザード検出器は、出力装置を介して、住居内のハザード検出器を設置するための指定場所のユーザ入力を促すステップと、入力装置を介して、住居内のハザード検出器を設置するための指定場所の指示を受信するステップと、指定場所に基づいて可能化または不能化すべき複数のハザード検出特徴のうちの少なくとも１つの特徴を識別するステップと、特定のコマンドに応答して、複数のハザード検出特徴のうちの少なくとも１つの特徴を可能化または不能化するステップとを実行させる。【選択図】図２７
2019091489.tif 000002
【特許請求の範囲】
【請求項１】
複数の特徴と、前記複数の特徴のうちの予め定められたものを可能化または不能化されると規定するデフォルト構成プロファイルとを有するハザード検出器を構成するための方法であって、前記方法は、
ユーザが住居内の前記ハザード検出器を設置するための指定場所を入力する機会を提供するステップと、
前記指定場所を受信したことに応答して、前記指定場所に基づいて可能化または不能化すべき前記複数の特徴のうちの少なくとも１つの特徴を識別するステップと、
前記少なくとも１つの特徴を識別したことに応答して、前記ハザード検出器の前記複数の特徴のうちの前記少なくとも１つの特徴を可能化または不能化するコマンドをインスタンス化するステップとを備える、方法。
【請求項２】
前記複数の特徴は煙検出および一酸化炭素検出を含み、前記デフォルト構成プロファイルは、前記煙検出および一酸化炭素検出の両方を可能化されると規定し、前記指定場所が、一酸化炭素検出が推奨されない予め定められたタイプの場所である場合、前記一酸化炭素検出は不能化される、請求項１に記載の方法。
【請求項３】
前記一酸化炭素検出が推奨されない予め定められたタイプの場所は、ガレージタイプの場所である、請求項２に記載の方法。
【請求項４】
前記ハザード検出器のメモリに予め記憶された情報にアクセスして、前記指定場所に基づいて可能化または不能化すべき前記少なくとも１つの特徴を識別するステップをさらに備える、請求項１に記載の方法。
【請求項５】
前記ハザード検出器から遠隔のデータベースに予め記憶された情報にアクセスして、前記指定場所に基づいて可能化または不能化すべき前記少なくとも１つの特徴を識別するステップをさらに備える、請求項１に記載の方法。
【請求項６】
前記複数の特徴のうちの関連付けられた特徴が可能化と不能化との間で切換えられるように、前記ユーザが前記デフォルト構成プロファイルにおける特定の設定をオーバーライドする機会を提供するステップをさらに備える、請求項１に記載の方法。
【請求項７】
前記ハザード検出器のスピーカシステムによって、前記ハザード検出器を設置するための前記指定場所の入力の可聴要求を出力するステップと、
前記ハザード検出器の機械的入力装置の作動によって、前記ハザード検出器を設置するための前記指定場所の指示を受信するステップとをさらに備える、請求項１に記載の方法。
【請求項８】
前記ハザード検出器の外部のコンピューティングデバイスに、ユーザインターフェイスを介して、前記ハザード検出器を設置するための前記指定場所の入力を促させるステップと、
前記ハザード検出器の外部の前記コンピューティングデバイスに、前記指定場所を前記ハザード検出器および前記ハザード検出器の外部のコンピューティングデバイスの一方に送信させて、前記指定場所に基づいて可能化または不能化すべき前記少なくとも１つの特徴を識別させるステップとをさらに備える、請求項１に記載の方法。
【請求項９】
前記住居の特定の領域特有場所の指定を受信するステップと、
前記指定に基づいて可能化または不能化すべき前記複数の特徴のうちの少なくとも１つの特徴を識別するステップと、
前記ハザード検出器の前記複数の特徴のうちの前記少なくとも１つの特徴を可能化または不能化するコマンドをインスタンス化するステップとをさらに備える、請求項１に記載の方法。
【請求項１０】
前記指定は、郵便番号、タイムゾーン、および番地のうちの１つであり、前記少なくとも１つの特徴は、ハザードイベントの検出の後の自動的な中央コールセンター通知、および夏時間設定の自動的な呼出しの一方に関する、請求項９に記載の方法。
【請求項１１】
ハザード検出器であって、
１つ以上の警報機能および１つ以上の家庭生活向上機能を含む複数の統合特徴と、
少なくとも１つの前記統合特徴と作動的通信状態における処理システムとを備え、前記処理システムは、
前記ハザード検出器を設置するための住居内の特定の場所を指定するユーザベースの入力に応答して、少なくとも１つの統合特徴を第１のステータスから可能化ステータスおよび不能化ステータスの一方に切換え、その指示はユーザインターフェイスを介して勧告として出力される、ハザード検出器。
【請求項１２】
前記複数の統合特徴は、一酸化炭素検出特徴および煙検出特徴の少なくとも一方を含む、請求項１１に記載のハザード検出器。
【請求項１３】
前記複数の統合特徴は、モーション起動式の照明特徴を含む、請求項１１に記載のハザード検出器。
【請求項１４】
前記複数の統合特徴は、ドアベル通知特徴およびインターコム通信特徴の少なくとも一方を含む、請求項１１に記載のハザード検出器。
【請求項１５】
前記複数の統合特徴は、音声コマンド認識、ガラス破壊認識、および救難音声認識から選択される音認識特徴を含む、請求項１１に記載のハザード検出器。
【請求項１６】
前記複数の統合特徴は、占有検出特徴および停電通知特徴の少なくとも一方を含む、請求項１１に記載のハザード検出器。
【請求項１７】
前記複数の統合特徴は、製造時に前記ハザード検出器に組込まれる、請求項１１に記載のハザード検出器。
【請求項１８】
前記複数の統合特徴は、データ通信ネットワークを通じてリモートサーバからソフトウェア更新を受信することによって付加的なそのような特徴を含むように更新またはアップグレードされ得る、請求項１１に記載のハザード検出器。
【請求項１９】
ハザード検出器であって、
出力装置と、
入力装置と、
複数のハザード検出特徴と、
前記出力装置、前記入力装置、および前記複数のハザード検出特徴に作動的に結合されるプロセッサと、
前記プロセッサに作動的に結合されて前記プロセッサによって読取可能であり、プロセッサ読取可能命令を格納しているメモリとを備え、前記命令は、前記プロセッサによって実行されると、前記プロセッサに、
前記出力装置を介して、住居内の前記ハザード検出器を設置するための指定場所のユーザ入力を促すステップと、
前記入力装置を介して、前記住居内の前記ハザード検出器を設置するための前記指定場所の指示を受信するステップと、
前記指定場所に基づいて可能化または不能化すべき前記複数のハザード検出特徴のうちの少なくとも１つの特徴を識別するステップと、
特定のコマンドに応答して、前記複数のハザード検出特徴のうちの前記少なくとも１つの特徴を可能化または不能化するステップとを実行させる、ハザード検出器。
【請求項２０】
前記メモリはさらにデフォルト構成プロファイルを記憶しており、前記複数のハザード検出特徴は一酸化炭素検出を含み、前記デフォルト構成プロファイルは前記一酸化炭素検出を可能化されると規定し、前記指定場所が、一酸化炭素検出が推奨されない予め定められたタイプの場所である場合、前記一酸化炭素検出は不能化される、請求項１９に記載のハザード検出器。
【請求項２１】
ヘッズアップ予警報能力と、標準非常警報能力と、検出すべきハザードについての第１のヘッズアップ予警報閾値および前記検出すべきハザードについての非常警報閾値が含まれるデフォルト構成プロファイルとを有するハザード検出器を構成するための方法であって、前記方法は、
ユーザが前記ハザード検出器を設置するための住居内の指定場所を入力する機会を提供するステップと、
前記指定場所を受信すると、その特定の場所の指定に基づいて第２のヘッズアップ予警報閾値を識別するステップと、
前記第２のヘッズアップ予警報閾値および前記非常警報閾値に従って前記ハザード検出器を動作させるコマンドをインスタンス化するステップとを備える、方法。
【請求項２２】
前記指定場所が、１つ以上の他のタイプの家庭の場所よりも一般に高い前記検出すべきハザードのレベルと関連付けられると予測されるタイプの家庭の場所と一致する場合、前記第２のヘッズアップ予警報閾値を前記第１のヘッズアップ予警報閾値よりも高いレベルに設定するコマンドをインスタンス化するステップをさらに備える、請求項２１に記載の方法。
【請求項２３】
前記１つ以上の他のタイプの家庭の場所よりも一般に高い前記検出すべきハザードのレベルと関連付けられると予測されるタイプの家庭の場所は、台所タイプの場所およびガレージタイプの場所から選択される、請求項２２に記載の方法。
【請求項２４】
前記指定場所が、前記検出すべきハザードによる刺激に影響されやすい１人以上の個人がよく訪れると予測されるタイプの家庭の場所と一致する場合、前記第２のヘッズアップ予警報閾値を前記第１のヘッズアップ予警報閾値よりも低いレベルに設定するコマンドをインスタンス化するステップをさらに備える、請求項２１に記載の方法。
【請求項２５】
前記検出すべきハザードによる刺激に影響されやすい１人以上の個人がよく訪れると予測されるタイプの家庭の場所は、寝室タイプの場所および介護者タイプの場所から選択される、請求項２４に記載の方法。
【請求項２６】
前記ハザード検出器から遠隔のデータベースに予め記憶された情報にアクセスして、前記特定の場所の指定に基づいて前記第２のヘッズアップ予警報閾値を識別するステップをさらに備える、請求項２１に記載の方法。
【請求項２７】
前記ハザード検出器のメモリに予め記憶された情報にアクセスして、前記特定の場所の指定に基づいて前記第２のヘッズアップ予警報閾値を識別するステップをさらに備える、請求項２１に記載の方法。
【請求項２８】
前記ハザード検出器から遠隔のコンピューティングシステムから前記第２のヘッズアップ予警報閾値の更新を周期的にまたは間欠的に受信するステップをさらに備える、請求項２７に記載の方法。
【請求項２９】
前記ユーザが前記第２のヘッズアップ予警報閾値を手動で修正または調整する機会を提供するステップをさらに備える、請求項２１に記載の方法。
【請求項３０】
ユーザインターフェイスを介して、前記第２のヘッズアップ予警報閾値を修正または調整する入力を促すステップと、
受信したユーザ入力に基づいて前記第２のヘッズアップ予警報閾値を増加または減少させるコマンドをインスタンス化するステップとをさらに備える、請求項２９に記載の方法。
【請求項３１】
ヘッズアップ予警報能力および標準非常警報能力を有するハザード検出器であって、
少なくとも１つのハザード検出特徴と、
前記少なくとも１つのハザード検出特徴と作動的通信状態における処理システムとを備え、前記処理システムは、
前記前記少なくとも１つのハザード検出特徴が、検出すべきハザードについての第２のヘッズアップ予警報閾値および前記検出すべきハザードについての非常警報閾値に従って動作するように、住居内の前記ハザード検出器の特定の設置場所を識別するユーザ入力に応答して、前記少なくとも１つのハザード検出特徴の第１のヘッズアップ予警報閾値を前記第２のヘッズアップ予警報閾値に調整する、ハザード検出器。
【請求項３２】
前記第２のヘッズアップ予警報閾値は、前記第１のヘッズアップ予警報閾値よりも高いレベルに調整される、請求項３１に記載のハザード検出器。
【請求項３３】
前記第２のヘッズアップ予警報閾値は、前記第１のヘッズアップ予警報閾値よりも低いレベルに調整される、請求項３１に記載のハザード検出器。
【請求項３４】
出力装置をさらに備え、前記ハザードの検出された大きさが前記第２のヘッズアップ予警報閾値よりも大きいが前記非常警報閾値よりも小さいと判断されると、第１の音量強度の特定の可聴アラートが前記出力装置によって生成され、前記ハザードの前記検出された大きさが前記非常警報閾値よりも大きいと判断されると、前記第１の音量強度よりも大きい第２の音量強度の別の特定の可聴アラートが前記出力装置によって生成される、請求項３１に記載のハザード検出器。
【請求項３５】
前記少なくとも１つのハザード検出特徴は一酸化炭素検出特徴を備える、請求項３１に記載のハザード検出器。
【請求項３６】
前記少なくとも１つのハザード検出特徴は煙検出特徴を備える、請求項３１に記載のハザード検出器。
【請求項３７】
出力装置をさらに備え、前記ハザードの検出された大きさが増加していると判断されると、特定の可聴アラートが前記出力装置によって出力され、前記ハザードの上昇レベルを示す、請求項３１に記載のハザード検出器。
【請求項３８】
出力装置をさらに備え、前記ハザードの検出された大きさが減少していると判断されると、特定の可聴アラートが前記出力装置によって出力され、前記ハザードの下降レベルを示す、請求項３１に記載のハザード検出器。
【請求項３９】
ハザード検出器であって、
出力装置と、
入力装置と、
少なくとも１つのハザード検出特徴と、
前記出力装置、入力装置、および少なくとも１つのハザード検出特徴に作動的に結合されるプロセッサと、
前記プロセッサに作動的に結合されて前記プロセッサによって読取可能であり、プロセッサ読取可能命令を格納しているメモリとを備え、前記命令は、前記プロセッサによって実行されると、前記プロセッサに、
前記出力装置を介して、住居内の前記ハザード検出器を設置するための指定場所のユーザ入力を促すステップと、
前記入力装置を介して、前記住居内の前記ハザード検出器を設置するための前記指定場所の指示を受信するステップと、
前記少なくとも１つのハザード検出特徴について、前記指定場所に基づいて特定のヘッズアップ予警報閾値を識別するステップと、
前記特定のヘッズアップ予警報閾値および前記特定のヘッズアップ予警報閾値とは異なる非常警報閾値に従って前記少なくとも１つのハザード検出特徴を動作させるステップとを実行させる、ハザード検出器。
【請求項４０】
前記少なくとも１つのハザード検出特徴は、一酸化炭素検出特徴および煙検出特徴から選択される、請求項３９に記載のハザード検出器。
【請求項４１】
ハザード検出器の設置を案内するための方法であって、
住居内の特定の場所における設置時に前記ハザード検出器によって、前記ハザード検出器の一時的な配置が、前記ハザード検出器が仕様内で動作して１つ以上のハザードを検出することを妨げるであろうか否かをテストする入力コマンドを受信するステップと、
前記入力コマンドを受信したことに応答して前記ハザード検出器によって、前記ハザード検出器の前記一時的な配置が、前記ハザード検出器が仕様内で動作して１つ以上のハザードを検出することを妨げるであろうか否かを判断するテストシーケンスを実行するステップと、
前記ハザード検出器の少なくとも１つのコンポーネントの読取に基づいて、前記ハザード検出器の前記一時的な配置が、前記ハザード検出器が仕様内で動作して１つ以上のハザードを検出することを妨げるであろうと判断されると、前記ハザード検出器によって、前記特定の場所における設置時に特定の通知を出力するステップとを備える、方法。
【請求項４２】
前記ハザード検出器の近接センサの読取に基づいて、前記ハザード検出器の前記一時的な配置が１つ以上の壁または天井面からの禁止距離内にあると判断するステップと、
この判断に応答して、前記ハザード検出器の一時的な配置が、前記ハザード検出器が仕様内で動作して１つ以上のハザードを検出することを妨げるであろうことを示す前記特定の通知を出力するステップとをさらに備える、請求項４１に記載の方法。
【請求項４３】
前記近接センサは、超音波センサおよびＬＥＤ（発光ダイオード）飛行時間レンジファインダから選択される、請求項４２に記載の方法。
【請求項４４】
前記ハザード検出器の方位センサの読取に基づいて、前記ハザード検出器の一時的な空間的方位が、前記ハザード検出器の１つ以上の特徴が意図した通りに動作するのに好適でないと判断するステップと、
この判断に応答して、前記ハザード検出器の前記一時的な配置が、前記ハザード検出器が仕様内で動作して１つ以上のハザードを検出することを妨げるであろうことを示す前記
特定の通知を出力するステップとをさらに備える、請求項４１に記載の方法。
【請求項４５】
前記ハザード検出器によって検出された一時的な無線信号強度が許容不可の範囲内にあると判断するステップと、
この判断に応答して、前記ハザード検出器の前記一時的な配置が、前記ハザード検出器が仕様内で動作して１つ以上のハザードを検出することを妨げるであろうことを示す前記特定の通知を出力するステップとをさらに備える、請求項４１に記載の方法。
【請求項４６】
前記ハザード検出器の特定のハザード検出特徴が、一時的な読取が許容範囲外にあるために許容不可の範囲内で動作していると判断するステップと、
この判断に応答して、前記ハザード検出器の前記一時的な配置が、前記ハザード検出器が仕様内で動作して１つ以上のハザードを検出することを妨げるであろうことを示す前記特定の通知を出力するステップとをさらに備える、請求項４１に記載の方法。
【請求項４７】
前記特定のハザード検出特徴は、一酸化炭素検出特徴、煙検出特徴、ＡＬＳ（周囲光センサ）検出特徴、および周囲温度検出特徴から選択される、請求項４６に記載の方法。
【請求項４８】
前記ハザード検出器の前記一時的な配置が、前記ハザード検出器が仕様内で動作して１つ以上のハザードを検出することを妨げるであろうと判断されると、前記特定の場所における設置時に、可聴通知および視覚的な通知の少なくとも一方を出力するステップをさらに備える、請求項４１に記載の方法。
【請求項４９】
前記ハザード検出器の少なくとも１つのコンポーネントの読取に基づいて、前記ハザード検出器の前記一時的な配置が、前記ハザード検出器が仕様内で動作して１つ以上のハザードを検出することを可能にするであろうと判断されると、前記ハザード検出器によって、前記特定の場所における設置時に別の特定の通知を出力するステップをさらに備える、請求項４１に記載の方法。
【請求項５０】
前記ハザード検出器の前記一時的な配置が、前記ハザード検出器が仕様内で動作して１つ以上のハザードを検出することを可能にするであろうと判断されると、前記特定の場所における設置時に、可聴通知および視覚的な通知の少なくとも一方を出力するステップをさらに備える、請求項４９に記載の方法。
【請求項５１】
ハザード検出器であって、
特定の場所における前記ハザード検出器の設置時に、前記ハザード検出器の一時的な配置が、前記ハザード検出器が仕様内で動作して１つ以上のハザードを検出することを妨げるであろうか否かをテストする少なくとも１つのコンポーネントと、
前記少なくとも１つのコンポーネントと作動的通信状態における処理システムとを備え、前記処理システムは、
前記少なくとも１つのコンポーネントの読取に基づいて、前記ハザード検出器の設置時の前記ハザード検出器の一時的な配置が、前記ハザード検出器が仕様内で動作して１つ以上のハザードを検出することを妨げるであろうか否かを判断し、
前記ハザード検出器の前記一時的な配置が、前記ハザード検出器が仕様内で動作して１つ以上のハザードを検出することを妨げるであろうと判断されると、通知アラートを出力して、前記ハザード検出器の設置時にユーザを前記ハザード検出器についての好適な設置場所に案内する、ハザード検出器。
【請求項５２】
前記少なくとも１つのコンポーネントは、問合せ超音波の反射に基づいて前記ハザード検出器に近接している少なくとも１つの表面からの前記ハザード検出器の距離を求める超音波センサを備え、前記少なくとも１つの表面からの前記ハザード検出器の距離が予め定
められて調節された距離以下であると判断されると、前記ハザード検出器によって前記通知アラートが出力される、請求項５１に記載のハザード検出器。
【請求項５３】
前記少なくとも１つのコンポーネントは、問合せ光波の反射に基づいて前記ハザード検出器に近接している少なくとも１つの表面からの前記ハザード検出器の距離を求める飛行時間ＬＥＤ（発光ダイオード）コンポーネントを備え、前記少なくとも１つの表面からの前記ハザード検出器の距離が予め定められて調節された距離以下であると判断されると、前記ハザード検出器によって前記通知アラートが出力される、請求項５１に記載のハザード検出器。
【請求項５４】
前記少なくとも１つのコンポーネントは、画像セグメント化および表面認識に基づいて前記ハザード検出器に近接している少なくとも１つの表面からの前記ハザード検出器の距離を求めるビデオカメラを備え、前記少なくとも１つの表面からの前記ハザード検出器の距離が予め定められて調節された距離以下であると判断されると、前記ハザード検出器によって前記通知アラートが出力される、請求項５１に記載のハザード検出器。
【請求項５５】
前記少なくとも１つのコンポーネントは、前記特定の場所が前記ハザード検出器の設置について禁止されたタイプのものであるか否かを判断するＧＰＳ（全地球測位センサ）コンポーネントを備え、前記特定の場所が、前記ハザード検出器の設置について禁止されているタイプであると判断されると、前記ハザード検出器によって前記通知アラートが出力される、請求項５１に記載のハザード検出器。
【請求項５６】
前記ハザード検出器の外部のカメラシステムから、前記ハザード検出器の前記一時的な配置が、前記ハザード検出器が仕様内で動作して１つ以上のハザードを検出することを妨げるであろうか否かの指示を受信する通信インターフェイスをさらに備え、前記指示に基づいて、前記ハザード検出器の前記一時的な配置が、前記ハザード検出器が仕様内で動作して１つ以上のハザードを検出することを妨げるであろうと判断されると、前記ハザード検出器によって前記通知アラートが出力される、請求項５１に記載のハザード検出器。
【請求項５７】
前記ハザード検出器の前記一時的な配置が、前記ハザード検出器が仕様内で動作して１つ以上のハザードを検出することを妨げるであろうと判断されると、可聴通知アラートを出力するスピーカシステムをさらに備える、請求項５１に記載のハザード検出器。
【請求項５８】
前記ハザード検出器の前記一時的な配置が、前記ハザード検出器が仕様内で動作して１つ以上のハザードを検出することを妨げるであろうと判断されると、視覚的な通知アラートを出力する光源をさらに備える、請求項５１に記載のハザード検出器。
【請求項５９】
ハザード検出器であって、
少なくとも１つの診断コンポーネントと、
少なくとも１つの出力装置と、
前記少なくとも１つの診断コンポーネントおよび少なくとも１つの出力装置に作動的に結合される少なくとも１つのプロセッサと、
前記少なくとも１つのプロセッサに作動的に結合されて前記少なくとも１つのプロセッサによって読取可能であり、プロセッサ読取可能命令を格納しているメモリとを備え、前記命令は、前記少なくとも１つのプロセッサによって実行されると、前記少なくとも１つのプロセッサに、
住居内の特定の場所における前記ハザード検出器の設置時に、前記ハザード検出器の一時的な配置が、前記ハザード検出器が仕様内で動作して１つ以上のハザードを検出することを妨げるであろうか否かをテストする入力コマンドを受信するステップと、
前記ハザード検出器の前記一時的な配置が、前記ハザード検出器が仕様内で動作して
１つ以上のハザードを検出することを妨げるであろうか否かを判断するテストシーケンスを実行するステップと、
前記少なくとも１つの診断コンポーネントの読取に基づいて、前記ハザード検出器の前記一時的な配置が、前記ハザード検出器が仕様内で動作して１つ以上のハザードを検出することを妨げるであろうと判断されると、前記少なくとも１つの出力装置によって出力するための、特定の通知を生成するステップとを実行させる、ハザード検出器。
【請求項６０】
前記少なくとも１つの診断コンポーネントは、近接センサ、方位センサ、および無線信号強度センサから選択され、前記近接センサ、方位センサ、および無線信号強度センサのうちの少なくとも１つの読取が、前記ハザード検出器の前記一時的な配置が、前記ハザード検出器が仕様内で動作して１つ以上のハザードを検出することを妨げるであろうことを示す場合、前記少なくとも１つの出力装置を介して前記特定の通知が出力される、請求項５９に記載のハザード検出器。
【請求項６１】
住居内の特定の場所に設置され、ヘッズアップ予警報能力および標準非常警報能力を有するハザード検出器の予警報閾値を調整するための方法であって、前記方法は、
特定の期間にわたって前記ハザード検出器の特定のセンサによって検出されたデータを分析して、ハザードレベルが予警報閾値を超えるのに十分であるが非常警報閾値を超えるのには不十分である再発傾向を識別するステップと、
前記再発傾向のその後のインスタンスの開始を検出すると、前記ハザード検出器が前記再発傾向の検出されたインスタンスについて予警報アラートをインスタンス化する可能性が低下するが、前記再発傾向がない場合、および、検出されたハザードレベルが前記予警報閾値を超えるのに十分であるが前記非常警報閾値を超えるのには不十分である場合は予警報アラートをインスタンス化するように、前記予警報閾値を特定のレベルに上げるステップとを備える、方法。
【請求項６２】
前記再発傾向の発生を、前記ハザード検出器の別の特定のセンサの特定のセンサ読取と相関付けるステップと、
前記再発傾向の前記その後のインスタンスの開始を検出すると、および、前記別の特定のセンサの一時的なセンサ読取が前記特定のセンサ読取と一致する場合、前記予警報閾値を前記特定のレベルに上げるステップとをさらに備える、請求項６１に記載の方法。
【請求項６３】
前記再発傾向の発生を、前記住居内の別の特定の場所に設置される別のハザード検出器の特定のセンサによって検出された特定のハザードレベルと相関付けるステップと、
前記再発傾向の前記その後のインスタンスの開始を検出すると、および、前記別のハザード検出器の前記特定のセンサによって検出された一時的なハザードレベルが前記特定のハザードレベル以上である場合、前記予警報閾値を前記特定のレベルに上げるステップとをさらに備える、請求項６１に記載の方法。
【請求項６４】
前記再発傾向の発生を、前記住居に設置されるホームオートメーションシステムの特定の要素の特定のステータスと相関付けるステップと、
前記再発傾向の前記その後のインスタンスの開始を検出すると、および、前記ホームオートメーションシステムの前記特定の要素の一時的なステータスが前記特定のステータスと一致する場合、前記予警報閾値を前記特定のレベルに上げるステップとをさらに備える、請求項６１に記載の方法。
【請求項６５】
前記再発傾向の発生を１日のうちの特定の時間帯と相関付けるステップと、
前記再発傾向の前記その後のインスタンスの開始を検出すると、および、１日のうちのある瞬間が前記ハザード検出器によって１日のうちの前記特定の時間帯と一致すると判断されると、前記予警報閾値を前記特定のレベルに上げるステップとをさらに備える、請求
項６１に記載の方法。
【請求項６６】
前記再発傾向の発生を１年のうちの特定の期間と相関付けるステップと、
前記再発傾向の前記その後のインスタンスの開始を検出すると、および、１日のうちのある瞬間が前記ハザード検出器によって１年のうちの前記特定の期間と一致すると判断されると、前記予警報閾値を前記特定のレベルに上げるステップとをさらに備える、請求項６１に記載の方法。
【請求項６７】
前記住居内の前記特定の場所を規定する入力を受信するステップと、
前記住居内の前記特定の場所を規定する前記入力に基づいて前記予警報閾値を識別するステップと、
この識別に応答して、前記ハザード検出器を前記予警報閾値および前記非常警報閾値に従って動作させるコマンドをインスタンス化するステップとをさらに備える、請求項６１に記載の方法。
【請求項６８】
前記住居内の前記特定の場所を規定する前記入力に基づいて前記特定のレベルを選択するステップをさらに備える、請求項６７に記載の方法。
【請求項６９】
前記特定の期間は、特定の日の期間、特定の週の期間、特定の月の期間、および特定の年の期間から選択される、請求項６１に記載の方法。
【請求項７０】
前記特定のセンサによって検出されたデータを、後でアクセスおよび分析することによって前記再発傾向を識別するために、前記ハザード検出器に局所的なデータベースおよび前記ハザード検出器から遠隔のデータベースの少なくとも一方に記憶するステップをさらに備える、請求項６１に記載の方法。
【請求項７１】
住居内の特定の場所に設置され、ヘッズアップ予警報能力および標準非常警報能力を有するハザード検出器であって、
少なくとも１つのセンサと、
前記少なくとも１つのセンサと作動的通信状態における処理システムとを備え、前記処理システムは、
前記少なくとも１つのセンサによる、反復傾向のインスタンスの開始の検出に応答して、前記ハザード検出器が前記反復傾向の検出されたインスタンスについて予警報アラートをインスタンス化する可能性が低下するが、前記反復傾向がない場合、および、前記少なくとも１つのセンサによって検出されたハザードレベルが前記予警報閾値を超えるのに十分であるが前記少なくとも１つのセンサと関連付けられる非常警報閾値を超えるのには不十分である場合は予警報アラートをインスタンス化するように、前記少なくとも１つのセンサと関連付けられる予警報閾値を特定のレベルに上げる、ハザード検出器。
【請求項７２】
前記処理システムは、前記反復傾向の前記インスタンスの開始の検出に応答して、および、前記ハザード検出器の別の異なるセンサによって検出された一時的なハザードレベルが、前記反復傾向の発生と相関していると先に判断された特定のハザードレベル以上である場合、前記予警報閾値を前記特定のレベルに上げる、請求項７１に記載のハザード検出器。
【請求項７３】
前記処理システムは、前記反復傾向の前記インスタンスの開始の検出に応答して、および、前記住居内の別の場所に設置される別の異なるハザード検出器の特定のセンサによって検出された一時的なハザードレベルが、前記反復傾向の発生と相関していると先に判断された特定のハザードレベル以上である場合、前記予警報閾値を前記特定のレベルに上げる、請求項７１に記載のハザード検出器。
【請求項７４】
前記処理システムは、前記反復傾向の前記インスタンスの開始の検出に応答して、および、前記住居に設置されるホームオートメーションシステムの特定の要素の一時的なステータスが、前記反復傾向の発生と相関していると先に判断された特定のステータスと一致する場合、前記予警報閾値を前記特定のレベルに上げる、請求項７１に記載のハザード検出器。
【請求項７５】
前記処理システムは、前記反復傾向の前記インスタンスの開始の検出に応答して、および、１日のうちのある瞬間が、前記反復傾向の発生と相関していると先に判断された１日のうちの特定の時間帯と一致する場合、前記予警報閾値を前記特定のレベルに上げる、請求項７１に記載のハザード検出器。
【請求項７６】
前記処理システムは、前記反復傾向の前記インスタンスの開始の検出に応答して、および、１年のうちのある瞬間が、前記反復傾向の発生と相関していると先に判断された１日のうちの特定の時間帯と一致する場合、前記予警報閾値を前記特定のレベルに上げる、請求項７１に記載のハザード検出器。
【請求項７７】
前記処理システムは、前記住居内の前記特定の場所のタイプの場所を規定するユーザ入力に基づいて、前記予警報閾値および前記特定のレベルについての値を設定する、請求項７１に記載のハザード検出器。
【請求項７８】
前記少なくとも１つのハザード検出センサは、一酸化炭素検出センサおよび煙検出センサから選択される、請求項７１に記載のハザード検出器。
【請求項７９】
ヘッズアップ予警報能力および標準非常警報能力を有するハザード検出器の予警報閾値を調整するための方法であって、前記方法は、
特定の一酸化炭素傾向のインスタンスの開始の検出に応答して、前記ハザード検出器が、前記特定の一酸化炭素傾向の検出されたインスタンスについて予警報アラートをインスタンス化する可能性が低下するが、前記特定の一酸化炭素傾向がない場合、および、一酸化炭素検出器によって検出された一酸化炭素レベルが前記予警報閾値を超えるのに十分であるが前記一酸化炭素検出器と関連付けられる非常警報閾値を超えるのには不十分である場合は予警報アラートをインスタンス化するように、前記ハザード検出器の前記一酸化炭素検出器についての予警報閾値を前記ハザード検出器によって特定のレベルに増加させるステップを備える、方法。
【請求項８０】
前記特定の一酸化炭素傾向の発生を、前記ハザード検出器の別の特定のセンサによって検出された特定のハザードレベル、前記ハザード検出器とは異なる住居内の特定の場所に設置される別のハザード検出器の特定のセンサによって検出された特定のハザードレベル、前記住居に設置されるホームオートメーションシステムの特定の要素の特定のステータス、１日のうちの特定の時間帯、および１年のうちの特定の期間、から選択される少なくとも１つのイベントと相関付けるステップと、
前記再発傾向の前記その後のインスタンスの開始を検出すると、および、前記少なくとも１つのイベントを同時に検出すると、前記予警報閾値を前記特定のレベルに増加させるステップとをさらに備える、請求項７９に記載の方法。
【発明の詳細な説明】
【技術分野】
【０００１】
関連出願との相互参照
本願は、２０１３年１０月７日に提出され、「ユーザフレンドリーな検出ユニット（USER-FRIENDLY DETECTION UNIT）」と題される、米国仮出願連続番号第６１／８８７，９６９号に対する優先権を主張し、これはすべての意図および目的のために引用により本明細書に援用される。本願はさらに、２０１３年１０月７日に提出され、「スマートセンサ式住宅におけるハザード検出（HAZARD DETECTION IN A SMART-SENSORED HOME）」と題され
る、米国仮出願連続番号第６１／８８７，９６３号に対する優先権を主張し、これはすべての意図および目的のために引用により本明細書に援用される。
【０００２】
技術分野
本開示は、ハザード検出目的を提供するためのシステム、装置、方法、および関連のコンピュータプログラム製品に、またはこれらに対して向けられる。より特定的には、本開示は、互いにおよび／または中央サーバもしくはクラウドコンピューティングシステムと通信してスマートビルディングおよび／またはスマートホーム環境において有用なさまざまなハザード検出目的のうちのいずれかを提供する煙検出器特徴、一酸化炭素検出器特徴等を組込んだ検出器などの、インテリジェントな、マルチ検知の、ネットワーク接続されたハザード検出ユニットまたはスマートハザード検出器を含む複数の装置に関する。
【背景技術】
【０００３】
背景
ハザード検出器は、有害であり得る、またはハザード状況の展開を示し得る空気中の物質を検出するセンサを用いる。たとえば、一酸化炭素（ＣＯ）およびラドンガスは、大量に晒されると人間および動物に有害であり得る物質である。しかし、これらの物質は無色、無臭、および無味であるために人間の感覚で検出するのが困難である。ハザード検出器はこれらの物質の存在を検出し、警報を発してユーザに知らせることによって、晒されることによる有害な影響を防止し得る。他の例では、それ自体は必ずしも有害であるとは限らない煙などの物質が、火事などのハザード状況の展開を示し得る。そのような物質の存在を早期の警報は、ハザード状況が展開することを防止するか、または状況の有害な影響を最小限に抑え得る。相互接続されたハザード検出器はネットワークに接続される検出器を含み、検出器同士の間の、または中央制御装置との通信を可能にする。これによって、１つの検出器がトリガされると複数の警報を起動する能力を含む、スタンドアローン検出器に対するいくつかの利点が提供される。ハザード検出器は、Ｕｎｄｅｒｗｒｉｔｅｒｓ
Ｌａｂｏｒａｔｏｒｉｅｓ（ＵＬ）などの、安全性試験を行う管理機関によっておよび／または会社によって定義される基準の下で認証され得る。たとえば、あるＵＬ基準は、煙検出器およびＣＯ検出器が警報を鳴らすべき時についての閾値を定義している。あるＵＬ基準は、電力供給要件ならびに警報音の音量、ピッチ、およびパターンなどの、警報の要求特性も定義している。
【発明の概要】
【課題を解決するための手段】
【０００４】
概要
一般に、特定のスマートハザード検出器は、それ自体が、当該検出器を設置場所に設置するプロセス時にガイドとして機能し得る。さらに、特定のスマートハザード検出器の設置場所は、スマートハザード検出器のさまざまな設定が経時的にどのように定義および調整されるかにおいて中心的役割を果たし得る。
【０００５】
ある局面では、複数の特徴と、複数の特徴のうちの予め定められたものを可能化または不能化されると規定するデフォルト構成プロファイルとを有するハザード検出器を構成するための方法は、ユーザが住居内のハザード検出器を設置するための指定場所を入力する機会を提供するステップを含むか備え得る。方法は、指定場所を受信したことに応答して、指定場所に基づいて可能化または不能化すべき複数の特徴のうちの少なくとも１つの特徴を識別するステップを含むか備え得る。方法は、少なくとも１つの特徴を識別したことに応答して、ハザード検出器の複数の特徴のうちの少なくとも１つの特徴を可能化または不能化するコマンドをインスタンス化するステップを含むか備え得る。
【０００６】
ある局面では、ハザード検出器は、１つ以上の警報機能および１つ以上の家庭生活向上機能を含む複数の統合特徴と、少なくとも１つ統合特徴と作動的通信状態における処理システムとを含むか備え得、処理システムは、ハザード検出器を設置するための住居内の特定の場所を指定するユーザベースの入力に応答して、少なくとも１つの統合特徴を第１のステータスから可能化ステータスおよび不能化ステータスの一方に切換え、その指示はユーザインターフェイスを介して勧告として出力される。
【０００７】
ある局面では、ハザード検出器は、出力装置と、入力装置と、複数のハザード検出特徴と、出力装置、入力装置、および複数のハザード検出特徴に作動的に結合されるプロセッサと、プロセッサに作動的に結合されてプロセッサによって読取可能であり、プロセッサ読取可能命令を格納しているメモリとを含むか備え得、命令は、プロセッサによって実行されると、プロセッサに、出力装置を介して、住居内のハザード検出器を設置するための指定場所のユーザ入力を促すステップと、入力装置を介して、住居内のハザード検出器を設置するための指定場所の指示を受信するステップと、指定場所に基づいて可能化または不能化すべき複数のハザード検出特徴のうちの少なくとも１つの特徴を識別するステップと、特定のコマンドに応答して、複数のハザード検出特徴のうちの少なくとも１つの特徴を可能化または不能化するステップとを実行させる。
【０００８】
ある局面では、ハザード検出器が呈示される。ハザード検出器は、ユーザが住居内のハザード検出器を設置するための指定場所を入力する機会を提供するための手段を含み得る。ハザード検出器は、指定場所を受信したことに応答して、指定場所に基づいて可能化または不能化すべき複数の特徴のうちの少なくとも１つの特徴を識別するための手段を含み得る。ハザード検出器は、少なくとも１つの特徴を識別したことに応答して、ハザード検出器の複数の特徴のうちの少なくとも１つの特徴を可能化または不能化するコマンドをインスタンス化するための手段を含み得る。
【０００９】
ある局面では、ヘッズアップ予警報能力と、標準非常警報能力と、検出すべきハザードについての第１のヘッズアップ予警報閾値および検出すべきハザードについての非常警報閾値が含まれるデフォルト構成プロファイルとを有するハザード検出器を構成するための方法は、ユーザがハザード検出器を設置するための住居内の指定場所を入力する機会を提供するステップを含むか備え得る。方法は、指定場所を受信すると、その特定の場所の指定に基づいて第２のヘッズアップ予警報閾値を識別するステップを含むか備え得る。方法は、第２のヘッズアップ予警報閾値および非常警報閾値に従ってハザード検出器を動作させるコマンドをインスタンス化するステップを含むか備え得る。
【００１０】
ある局面では、ヘッズアップ予警報能力および標準非常警報能力を有するハザード検出器は、少なくとも１つのハザード検出特徴と、少なくとも１つのハザード検出特徴と作動的通信状態における処理システムとを含むか備え得、処理システムは、少なくとも１つのハザード検出特徴が、検出すべきハザードについての第２のヘッズアップ予警報閾値および検出すべきハザードについての非常警報閾値に従って動作するように、住居内のハザー
ド検出器の特定の設置場所を識別するユーザ入力に応答して、少なくとも１つのハザード検出特徴の第１のヘッズアップ予警報閾値を第２のヘッズアップ予警報閾値に調整する。
【００１１】
ある局面では、ハザード検出器は、出力装置と、入力装置と、少なくとも１つのハザード検出特徴と、出力装置、入力装置、および少なくとも１つのハザード検出特徴に作動的に結合されるプロセッサと、プロセッサに作動的に結合されてプロセッサによって読取可能であり、プロセッサ読取可能命令を格納しているメモリとを含むか備え、命令は、プロセッサによって実行されると、プロセッサに、出力装置を介して、住居内のハザード検出器を設置するための指定場所のユーザ入力を促すステップと、入力装置を介して、住居内のハザード検出器を設置するための指定場所の指示を受信するステップと、少なくとも１つのハザード検出特徴について、指定場所に基づいて特定のヘッズアップ予警報閾値を識別するステップと、特定のヘッズアップ予警報閾値および特定のヘッズアップ予警報閾値とは異なる非常警報閾値に従って少なくとも１つのハザード検出特徴を動作させるステップとを実行させる。
【００１２】
ある局面では、ハザード検出器が呈示される。ハザード検出器は、ユーザがハザード検出器を設置するための住居内の指定場所を入力する機会を提供するための手段を含み得る。ハザード検出器は、指定場所を受信すると、その特定の場所の指定に基づいて第２のヘッズアップ予警報閾値を識別するための手段を含み得る。ハザード検出器は、第２のヘッズアップ予警報閾値および非常警報閾値に従ってハザード検出器を動作させるコマンドをインスタンス化するための手段を含み得る。
【００１３】
ある局面では、ハザード検出器の設置を案内するための方法は、住居内の特定の場所における設置時にハザード検出器によって、ハザード検出器の一時的な（instant）配置が
、ハザード検出器が仕様内で動作して１つ以上のハザードを検出および／または緩和することを妨げるであろうか否かをテストする入力コマンドを受信するステップを含むか備え得る。方法は、入力コマンドを受信したことに応答してハザード検出器によって、ハザード検出器の一時的な配置が、ハザード検出器が仕様内で動作して１つ以上のハザードを検出および／または緩和することを妨げるであろうか否かを判断するテストシーケンスを実行するステップを含むか備え得る。方法は、ハザード検出器の少なくとも１つのコンポーネントの読取に基づいて、ハザード検出器の一時的な配置が、ハザード検出器が仕様内で動作して１つ以上のハザードを検出および／または緩和することを妨げるであろうと判断されると、ハザード検出器によって、特定の場所における設置時に特定の通知を出力するステップを含むか備え得る。
【００１４】
ある局面では、ハザード検出器は、特定の場所におけるハザード検出器の設置時に、ハザード検出器の一時的な配置が、ハザード検出器が仕様内で動作して１つ以上のハザードを検出および／または緩和することを妨げるであろうか否かをテストする少なくとも１つのコンポーネントと、少なくとも１つのコンポーネントと作動的通信状態における処理システムとを含むか備え得、処理システムは、少なくとも１つのコンポーネントの読取に基づいて、ハザード検出器の設置時のハザード検出器の一時的な配置が、ハザード検出器が仕様内で動作して１つ以上のハザードを検出および／または緩和することを妨げるであろうか否かを判断し、ハザード検出器の一時的な配置が、ハザード検出器が仕様内で動作して１つ以上のハザードを検出および／または緩和することを妨げるであろうと判断されると、通知アラートを出力して、ハザード検出器の設置時にユーザをハザード検出器についての好適な設置場所に案内する。
【００１５】
ある局面では、ハザード検出器は、少なくとも１つの診断コンポーネントと、少なくとも１つの出力装置と、少なくとも１つの診断コンポーネントおよび少なくとも１つの出力装置に作動的に結合される少なくとも１つのプロセッサと、少なくとも１つのプロセッサ
に作動的に結合されて少なくとも１つのプロセッサによって読取可能であり、プロセッサ読取可能命令を格納しているメモリとを含むか備え得、命令は、少なくとも１つのプロセッサによって実行されると、少なくとも１つのプロセッサに、住居内の特定の場所におけるハザード検出器の設置時に、ハザード検出器の一時的な配置が、ハザード検出器が仕様内で動作して１つ以上のハザードを検出および／または緩和することを妨げるであろうか否かをテストする入力コマンドを受信するステップと、ハザード検出器の一時的な配置が、ハザード検出器が仕様内で動作して１つ以上のハザードを検出および／または緩和することを妨げるであろうか否かを判断するテストシーケンスを実行するステップと、少なくとも１つの診断コンポーネントの読取に基づいて、ハザード検出器の一時的な配置が、ハザード検出器が仕様内で動作して１つ以上のハザードを検出および／または緩和することを妨げるであろうと判断されると、少なくとも１つの出力装置によって出力するための、特定の通知を生成するステップとを実行させる。
【００１６】
ある局面では、ハザード検出器が呈示される。ハザード検出器は、住居内の特定の場所における設置時に、ハザード検出器の一時的な配置が、ハザード検出器が仕様内で動作して１つ以上のハザードを検出および／または緩和することを妨げるであろうか否かをテストする入力コマンドを受信するための手段を含み得る。ハザード検出器は、入力コマンドを受信したことに応答して、ハザード検出器の一時的な配置が、ハザード検出器が仕様内で動作して１つ以上のハザードを検出および／または緩和することを妨げるであろうか否かを判断するテストシーケンスを実行するための手段を含み得る。ハザード検出器は、ハザード検出器の少なくとも１つのコンポーネントの読取に基づいて、ハザード検出器の一時的な配置が、ハザード検出器が仕様内で動作して１つ以上のハザードを検出および／または緩和することを妨げるであろうと判断されると、特定の場所における設置時に特定の通知を出力するための手段を含み得る。
【００１７】
ある局面では、住居内の特定の場所に設置され、ヘッズアップ予警報能力および標準非常警報能力を有するハザード検出器の予警報閾値を調整するための方法は、特定の期間にわたってハザード検出器の特定のセンサによって検出されたデータを分析して、ハザードレベルが予警報閾値を超えるのに十分であるが非常警報閾値を超えるのには不十分である再発傾向を識別するステップを含むか備え得る。方法は、再発傾向のその後のインスタンスの開始を検出すると、ハザード検出器が再発傾向の検出されたインスタンスについて予警報アラートをインスタンス化する可能性が低下するが、再発傾向がない場合、および、検出されるハザードレベルが予警報閾値を超えるのに十分であるが非常警報閾値を超えるのには不十分である場合は予警報アラートをインスタンス化するように、予警報閾値を特定のレベルに上げるステップを含むか備え得る。
【００１８】
ある局面では、住居内の特定の場所に設置され、ヘッズアップ予警報能力および標準非常警報能力を有するハザード検出器は、少なくとも１つのセンサと、少なくとも１つのセンサと作動的通信状態における処理システムとを含むか備え得、処理システムは、少なくとも１つのセンサによる、反復傾向のインスタンスの開始の検出に応答して、ハザード検出器が反復傾向の検出されたインスタンスについて予警報アラートをインスタンス化する可能性が低下するが、反復傾向がない場合、および、少なくとも１つのセンサによって検出されるハザードレベルが予警報閾値を超えるのに十分であるが少なくとも１つのセンサと関連付けられる非常警報閾値を超えるのには不十分である場合は予警報アラートをインスタンス化するように、少なくとも１つのセンサと関連付けられる予警報閾値を特定のレベルに上げる。
【００１９】
ある局面では、ヘッズアップ予警報能力および標準非常警報能力を有するハザード検出器の予警報閾値を調整するための方法は、特定の一酸化炭素傾向のインスタンスの開始の検出に応答して、ハザード検出器が、特定の一酸化炭素傾向の検出されたインスタンスに
ついて予警報アラートをインスタンス化する可能性が低下するが、特定の一酸化炭素傾向がない場合、および、一酸化炭素検出器によって検出される一酸化炭素レベルが予警報閾値を超えるのに十分であるが一酸化炭素検出器と関連付けられる非常警報閾値を超えるのには不十分である場合は予警報アラートをインスタンス化するように、ハザード検出器の一酸化炭素検出器についての予警報閾値をハザード検出器によって特定のレベルに増加させるステップを含むか備え得る。
【００２０】
ある局面では、ハザード検出器が呈示される。ハザード検出器は、特定の期間にわたってハザード検出器の特定のセンサによって検出されたデータを分析して、ハザードレベルが予警報閾値を超えるのに十分であるが非常警報閾値を超えるのには不十分である再発傾向を識別するための手段を含み得る。ハザード検出器は、入力コマンドを受信したことに応答して、ハザード検出器の一時的な配置が、ハザード検出器が仕様内で動作して１つ以上のハザードを緩和することを妨げるであろうか否かを判断するテストシーケンスを実行するための手段を含み得る。ハザード検出器は、再発傾向のその後のインスタンスの開始を検出すると、ハザード検出器が再発傾向の検出されたインスタンスについて予警報アラートをインスタンス化する可能性が低下するが、再発傾向がない場合、および、検出されるハザードレベルが予警報閾値を超えるのに十分であるが非常警報閾値を超えるのには不十分である場合は予警報アラートをインスタンス化するように、予警報閾値を特定のレベルに高める手段を含み得る。
【００２１】
他の局面も可能である。
【図面の簡単な説明】
【００２２】
【図１】開示に係る第１の例示的な方法を示す図である。
【図２】開示に係る例示的なスマートホーム環境を示す図である。
【図３】開示に係る例示的な拡張可能なプラットフォームを示す図である。
【図４】図３の拡張可能なプラットフォームの別の例を示す図である。
【図５】開示に係る例示的なハザード検出器の図である。
【図６】図５の検出器の別の図である。
【図７】図５の検出器の例示的な回路基板の図である。
【図８】開示に係る第２の例示的な方法を示す図である。
【図９】ボックス内の図５の検出器を示す図である。
【図１０】ボックス外の図５の検出器を示す図である。
【図１１】第１および第２の例示的な状態における図５の検出器を示す図である。
【図１２】押下されている図５の検出器のボタンを示す図である。
【図１３】図５の検出器の例示的な構成ステップを示す図である。
【図１４】図５の検出器の別の例示的な構成ステップを示す図である。
【図１５】図５の検出器のさらに別の例示的な構成ステップを示す図である。
【図１６】図５の検出器のさらに別の例示的な構成ステップを示す図である。
【図１７】図５の検出器のさらに別の例示的な構成ステップを示す図である。
【図１８】図５の検出器のさらに別の例示的な構成ステップを示す図である。
【図１９】図５の検出器のさらに別の例示的な構成ステップを示す図である。
【図２０】図５の検出器のさらに別の例示的な構成ステップを示す図である。
【図２１】図５の検出器のさらに別の例示的な構成ステップを示す図である。
【図２２】図５の検出器のさらに別の例示的な構成ステップを示す図である。
【図２３】図５の検出器のさらに別の例示的な構成ステップを示す図である。
【図２４】図５の検出器のさらに別の例示的な構成ステップを示す図である。
【図２５】図５の検出器のさらに別の例示的な構成ステップを示す図である。
【図２６】図５の検出器のさらに別の例示的な構成ステップを示す図である。
【図２７】図５の検出器のさらに別の例示的な構成ステップを示す図である。
【図２８】図５の検出器のさらに別の例示的な構成ステップを示す図である。
【図２９】図５の検出器のさらに別の例示的な構成ステップを示す図である。
【図３０】開示に係る第３の例示的な方法を示す図である。
【図３１】図５の検出器を含む例示的なシステムを示す図である。
【図３２】開示に係る例示的なコンピューティング環境を示す図である。
【図３３】開示に係る例示的なコンピューティングシステムまたは装置を示す図である。
【発明を実施するための形態】
【００２３】
詳細な説明
本開示の局面は、煙検出器特徴、一酸化炭素検出器特徴等を組込み、かつ、互いにおよび／または中央サーバもしくはクラウドコンピューティングシステムと通信してスマートビルディングおよび／またはスマートホーム環境において有用なさまざまなハザード検出目的のうちのいずれかを提供する、インテリジェントな、マルチ検知の、ネットワーク接続されたハザード検出ユニットまたはスマートハザード検出器に関する。より具体的には、特定のスマートハザード検出器は、それ自体が、当該検出器を設置場所に設置するプロセス時にガイドとして機能し得ること、ならびに、特定のスマートハザード検出器の設置場所は、スマートハザード検出器のさまざまな設定が経時的にどのように定義および調整されるかにおいて中心的役割を果たし得ることが考えられる。そのように限定されないが、本開示のさまざまな局面の認識は図面に関連して以下の説明に鑑みて得られ得る。
【００２４】
たとえば、ここで図１を参照して、第１の例示的な方法１００が本開示の原理に従って示される。ステップ１０２において、スマートハザード検出器の住居内の設置場所を識別する入力が、特定のスマートハザード検出器、またはたとえばスマートハザード検出器にもしくはスマートハザード検出器と通信可能に結合された装置もしくはシステムに提供または供給され得る。設置場所の例は、たとえば特定の住居のまたは住居内の「廊下」または「リビングルーム」または「ガレージ」を含み得る。以下により詳細に述べるように、他の例も可能である。さらに、ステップ１０２を実行するための手段は一般にスマートハザード検出器を含み得る。より具体的には、ステップ１０２を実行するための手段は、スマートハザード検出器の住居内の設置場所を識別する入力を受信および処理するためなどの、プロセッサなどの１つ以上の処理装置と、記憶媒体とを含み得る。他の例も可能である。
【００２５】
ステップ１０４において、たとえば、スマートハザード検出器の設置場所に基づいてスマートハザード検出器のどの特徴を可能化および／または不能化することが勧められるかを設置者に助言する働きをし得る手順が実行され得る。たとえば、設置場所が「ガレージ」である場合、スマートハザード検出器、および／またはスマートハザード検出器に通信可能に結合された装置もしくはシステムが、音声合図および視覚合図の一方または両方によって、「一酸化炭素検出は推奨されません。私の一酸化炭素検出能力を不能化しますか」と示し得ることが考えられる。以下により詳細に述べるように、他の例も可能である。さらに、ステップ１０４を実行するための手段は一般にスマートハザード検出器を含み得る。より具体的には、ステップ１０４を実行するための手段は、スマートハザード検出器の設置場所に基づいてスマートハザード検出器のどの特徴を可能化および／または不能化することが勧められるかについてユーザが知覚可能な合図（たとえば音声、視覚、触覚）を与えるためなどの、プロセッサなどの１つ以上の処理装置と、記憶媒体とを含み得る。他の例も可能である。
【００２６】
ステップ１０６において、スマートハザード検出器の設置場所に基づいてスマートハザード検出器の検出に関する可能化された特徴（ステップ１０４参照）の各々に警報状態を定義する働きをし得る手順が実行され得る。たとえば、設置場所が「ガレージ」である場
合、スマートハザード検出器、および／またはスマートハザード検出器に通信可能に結合された装置もしくはシステムが、定義済の閾値設定の表に照会し、ガレージ内の一酸化炭素についての特定の警報状態設定にアクセスし得ることが考えられる。スマートハザード検出器は次に、特定の警報状態設定を呈示するようにプログラミングされ得る。ガレージ内の一酸化炭素についての特定の警報状態設定の例は、「５分間の監視後に検出された４００ｐｐｍ以上の一酸化炭素レベル」を含み得る。以下により詳細に述べるように、他の例も可能である。さらに、ステップ１０６を実行するための手段は一般にスマートハザード検出器を含み得る。より具体的には、ステップ１０６を実行するための手段は、スマートハザード検出器が特定の警報状態設定を呈示するようにプログラミングされることを可能にするためなどの、プロセッサなどの１つ以上の処理装置と、記憶媒体とを含み得る。他の例も可能である。
【００２７】
次に、ステップ１０８において、たとえば、設置者を、スマートハザード検出器がその意図する目的に従って機能し得るようにスマートハザード検出器を設置場所に設置するように案内するための手順が実行され得る。たとえば、スマートハザード検出器と一体の特定のボタンが「押さ」れ、スマートハザード検出器が超音波トランスデューサを介して信号を送信してスマートハザード検出器の位置が壁に近すぎるか否かを判断するためのテストシーケンスがインスタンス化され得る。スマートハザード検出器が自身が壁に近すぎると判断し得る例示的なシナリオは、スマートハザード検出器が、壁が１２インチ以下だけ離れていると判断する時であってもよい。以下により詳細に述べるように、他の例も可能である。さらに、ステップ１０８を実行するための手段は一般にスマートハザード検出器を含み得る。より具体的には、ステップ１０８を実行するための手段は、スマートハザード検出器を設置するためのガイドとしてユーザが知覚可能な合図（たとえば音声、視覚、触覚）を提供するためなどの、プロセッサなどの１つ以上の処理装置と、記憶媒体とを含み得る。他の例も可能である。
【００２８】
ステップ１１０において、スマートハザード検出器の設置場所に基づいてスマートハザード検出器の検出に関連する可能化された特徴の各々について既存の警報状態設定（ステップ１０６参照）を調整する手順が実行され得る。たとえば、スマートハザード検出器の特定のセンサによって取得されるデータの履歴ログが、スマートハザード検出器が自身の（予）警報状態設定を自己調整することを可能にするアルゴリズムの一部として活用され得る。たとえば、一例として１ヶ月という特定の期間の後、「ガレージ」に設置されたスマートハザード検出器は、ガレージ内の頻繁な一酸化炭素誤警報を示すデータの履歴ログの分析に基づいて、「５分間の監視後に検出された４００ｐｐｍ以上の一酸化炭素レベル」を「１０分間の監視後に検出された４００ｐｐｍ以上の一酸化炭素レベル」に調整し得る。以下により詳細に述べるように、他の例も可能である。さらに、ステップ１１０を実行するための手段は一般にスマートハザード検出器を含み得る。より具体的には、ステップ１１０を実行するための手段は、ハザード検出器がスマートハザード検出器の検出に関連する可能化された特徴の各々について既存の警報状態設定を調整することを可能にするためなどの、プロセッサなどの１つ以上の処理装置と、記憶媒体とを含み得る。他の例も可能である。
【００２９】
図１は、特定のスマートハザード検出器が、それ自体が、当該検出器を設置場所に設置するプロセス時にガイドとして機能し得る例示的な実現を示し、さらに、特定のスマートハザード検出器の設置場所が、スマートハザード検出器のさまざまな設定が経時的にどのように定義および調整されるかにおいて中心的役割を果たし得ることを示す。スマートハザード検出器の設置前および設置後の関係で述べられているが、方法１００のステップの１つ以上は、スマートハザード検出器の設置前および設置後の一方または両方と一致する時に実行または実現されてもよい。さらに、方法１００のいずれのステップも必ずしも実行もしくは実現されなくてもよく、および／または、図１に関連して図示および説明され
る特定の順序で実行もしくは実現されなくてもよい。
【００３０】
図２は本開示に係る例示的なスマートホーム環境２００を示す。例示的な環境２００は、内壁または外壁を含むか当該壁で構成され得る壁２０６によって互いに少なくとも部分的に分離されるある数の部屋２０４を有する構造物２０２を含む。各部屋２０４は床２０８および天井２１０を含み得る。本開示に従って構成および／または配置されるさまざまなスマートデバイスが、特定の壁２０６、床２０８、天井２１０等の構造物２０２のいずれかの特定の特徴に装着されるか、それと統合されるか、および／またはそれによって支持されてもよい。
【００３１】
特に、示されるように、図２の例示的な環境２００は、互いにおよび／または中央サーバもしくはクラウドコンピューティングシステムとシームレスに統合して本開示の原理に従ったハザード検出目的を含むさまざまな有用なスマートホーム目的のうちのいずれかを提供する、インテリジェントな、マルチ検知の、ネットワーク接続された装置を含む、複数の装置を含み得る。たとえば、環境２００は、１つ以上のインテリジェントな、マルチ検知の、ネットワーク接続されたサーモスタット２１２、１つ以上のインテリジェントな、マルチ検知の、ネットワーク接続されたハザード検出ユニット２１４、および１つ以上のインテリジェントな、マルチ検知の、ネットワーク接続されたエントリウェイインターフェイス装置またはドアベル２１６を含んでもよい。一般に、特定のスマートサーモスタット２１２は、温度および／または湿度などの周囲の気候特性を検出し、ＨＶＡＣ（暖房、換気、および空調）システム２１８のファンをオンおよび／またはオフにすることなどによってＨＶＡＣシステム２１８をそれに従って制御し得る。
【００３２】
ＨＶＡＣシステム２１８のファンがオンの場合、ファンは構造物２０２の部屋２０４同士の間で空気を循環させ、構造物２０２から排気して新鮮な外気を構造物２０２に引込むよう動作する。対照的に、特定のハザード検出器２１４は、煙、炎、熱、一酸化炭素等のハザード状態またはハザード状態を示す物質の存在を検出し得る。例示的な環境２００のスマートデバイスは構造物２０２自体に統合されるだけでなくてもよいことが認識されるであろう。たとえば、特定のハザード検出器２１４は、構造物２０２自体から分離しているガレージ２２０に設置されてもよい。さらに多くの他の例も可能である。
【００３３】
示されるように、例示的な環境２００はさらに、１つ以上のインテリジェントな、マルチ検知の、ネットワーク接続された壁スイッチ２２２を、１つ以上のインテリジェントな、マルチ検知の、ネットワーク接続された壁プラグインターフェイス２２４とともに含む。一般に、特定のスマート壁スイッチ２２２は、周囲の照明状態を検出し、部屋占有（居住）状態を検出し、１つ以上の照明の出力および／または薄暗い状態を制御し得る。ある例では、スマート壁スイッチ２２２の特定の例は、さらに、天井ファンなどのファンの出力状態または速度を制御し得る。一般に、特定のスマート壁プラグインターフェイス２２４は、部屋または構内の占有を検出し、たとえば家または特定の部屋に誰もいない場合には電力がプラグに供給されないように１つ以上の壁プラグに対する電力の供給を制御し得る。
【００３４】
示されるように、例示的な環境２００は、冷蔵庫、ストーブおよび／またはオーブン、テレビ、洗濯機、乾燥機、照明、ステレオ、インターコムシステム、ガレージドア開閉器、床ファン、天井ファン、壁空調装置、プールヒータ、潅漑システム、セキュリティシステムなどの、複数のインテリジェントな、マルチ検知の、ネットワーク接続された機器２２６をさらに含む。機器２２６の各々は、機器のそれぞれの製造業者と協働することによって、例示的な環境２００の他の要素と互換性があると考えられる。たとえば、機器は、暖房機器、窓空調ユニット、電動ダクトベントなどであり得る。プラグを差込まれると、特定の機器２２６は、それがどのようなタイプの機器であるかを示すことなどによって、
それ自体が図２のスマートホームネットワークに対して告知することができ、それはスマートホームの制御と自動的に統合できる。そのような通信は、実装固有であってもなくてもよい任意の特定の有線または無線通信プロトコルによって容易になり得る。
【００３５】
例示的な環境２００は、さらに、スマート壁プラグインターフェイス２２４によってオン／オフなどに制御され得る、古い従来の洗濯機／乾燥機、冷蔵庫などのような、さまざまな、通信を行なわない、旧来の機器２２８を含み得る。例示的な環境２００は、さらに、ハザード検出器２１４もしくはスマート壁スイッチ２２２によって与えられるＩＲ（赤外線）信号によって制御され得る、ＩＲ制御される壁空調機または他のＩＲ制御される装置のような、さまざまな他の装置、システム、および機器２２９を含み得る。さらに多くの他のタイプのスマートデバイスが例示的な環境２００に組込まれてもよく、そのようなデバイスおよびその対応技術は技術が発展するにつれて発展し得る。
【００３６】
ネットワーク接続性により、図２のスマートホームデバイスの１つ以上は、さらに、たとえユーザが装置の近くにいなくても、ユーザがその装置と対話することを可能し得る。たとえば、ユーザは、デスクトップコンピュータ、ラップトップコンピュータ、タブレット等のコンピュータ、またはスマートフォン２３０などの他の携帯電子装置を用いて装置と通信し得る。あるウェブページまたはアプリは、ユーザから通信を受信し、その通信に基づいて装置を制御するよう、および／またはその装置の動作についての情報をユーザに呈示するよう構成され得る。たとえば、ユーザは、装置のための現在の設定点温度を見て、コンピュータを用いてそれを調整することができる。ユーザは、この遠隔通信中において構造物内にいるか、または構造物の外部にいることができる。
【００３７】
論じられるように、ユーザは、ネットワーク接続されるパーソナルコンピュータまたは携帯モバイル機器２３０を用いて、スマートサーモスタットおよび例示的な環境２００における他のスマートデバイスを制御し得る。ある例では、たとえばその住宅に住んでいる占有者（居住者）の何人かまたは全員が任意の特定のモバイル機器２３０を例示的な環境２００に登録し得る。そのような登録は、中央サーバにおいて完成されて、占有者および／または装置が住宅と関連付けられるとして承認し、かつ占有者に対して装置を使用する許可を与えて住宅内のスマートデバイスを制御し得る。さらに、占有者は、彼らのモバイル機器２３０をたとえば登録されると用いて、占有者が仕事中であるかまたは休暇中である時などに、住宅のスマートデバイスを遠隔制御することができる。占有者は、さらに、彼らのモバイル機器２３０をたとえば登録されると用いて、占有者が住宅内でカウチに座っている時などのように、占有者が実際に住宅内にいる時に、スマートデバイスを制御してもよい。デバイスを登録する代わりに、またはそれに加えて、例示的な環境２００の１つ以上のコンポーネントは、どの個人が住宅に住んでおり、したがって占有者であるか、およびどの装置がそれらの個人と関連付けられているかについての推測を行なうように構成および／または配置され得る。したがって、例示的な環境２００は一般に、誰が占有者であるかを学ぶか導き出すか推測し、それらの個人と関連付けられる装置に例示的な環境２００におけるスマートデバイスを制御することを許可し得る。
【００３８】
ある例では、処理能力および検知能力を含むことに加えて、例示的な環境２００におけるスマートデバイスの各々は、任意の他のスマートデバイス、および世界中の任意の場所でネットワーク接続される任意の中央サーバもしくはクラウドコンピューティングシステムまたは任意の他の装置とのデータ通信および情報共有が可能であり得る。必要とされるデータ通信は、たとえばＷｉ−Ｆｉ（登録商標）、ＺｉｇＢｅｅ（登録商標）、もしくは６ＬｏＷＰＡＮなどのさまざまなカスタムもしくは標準無線プロトコルのうちのいずれか、および／またはたとえばＣＡＴ６  Ｅｔｈｅｒｎｅｔ（登録商標）、もしくはＨｏｍｅＰｌｕｇ（登録商標）などのさまざまなカスタムもしくは標準有線プロトコルのうちのいずれかを用いて実行され得る。
【００３９】
例によれば、例示的な環境２００におけるスマートデバイスのすべてまたはいくつかは無線または有線リピータとして働き得る。たとえば、スマートデバイスのうちの第１のものは無線ルータ２３２を介してスマートデバイスのうちの第２のものと通信することができる。スマートデバイスは、さらに、インターネットなどのようなネットワーク２３４への接続を介して互いに通信し得る。インターネットを介して、スマートデバイスは、中央サーバ（単数もしくは複数）または以下システム２３６と称するクラウドコンピューティングシステム（単数もしくは複数）２３６と通信し得る。システム２３６は、デバイスと関連付けられる製造業者、サポートエンティティまたはサービスプロバイダ等と関連付けられ得る。一例では、ユーザは、電話またはインターネット接続されたコンピュータなどのような他の通信手段を用いる必要なく、デバイスそれ自体を用いてカスタマーサポートと連絡をとることができ得る。さらに、ソフトウェア更新を、利用可能な時、購入された時、ルーチン間隔で、等などでシステム２３６から例示的な環境２００におけるスマートデバイスに自動的に送信することができる。
【００４０】
例によれば、例示的な環境２００におけるスマートデバイスは、「スポークスマン」および「低出力」のアドホックメッシュネットワークを形成するように通信するか組合され得、スマートデバイスのいくつかはスポークスマンノードであり他のものは低出力ノードである。ここで、例示的な環境２００におけるスマートデバイスのいくつかは一般にバッテリによって電力供給され得るのに対して、他のものは構造物２０２の壁２０６の後ろまたは内部の線間電圧配線に接続することなどによって、常備の信頼性のある電源を有し得る。常備の信頼性のある電源を有するスマートデバイスは、スポークスマンノードと称され得る。これらのノードは、任意の無線プロトコルまたは態様を用いて、例示的な環境２００におけるさまざまな他の装置のうちの任意のもの、およびシステム２３６との双方向通信を容易にする能力を備える。一方、バッテリによって電力供給される装置は低出力ノードと称され得る。これらのノードは、スポークスマンノードよりも小さい傾向があり、ＺｉｇＢｅｅ（登録商標）、６ＬｏＷＰＡＮなどのようなほとんど電力を必要としない無線プロトコルを用いてしか通信できない。さらに、一部であって、すべてではないが、低出力ノードは双方向通信が不可能であり得る。これらのノードはメッセージを送信するが、それらはリスニングすることができない。
【００４１】
記載されるように、スマートデバイスは低出力ノードおよびスポークスマンノードとして働いて、例示的な環境２００においてメッシュネットワークを形成する。スマートホーム環境における個々の低出力ノードは、それらが何を検知しているかについてのメッセージを規則的にブロードキャストし得、スマートホーム環境における他の低出力ノードは、それら自身のメッセージを送出することに加えて、メッセージを繰返し、それによって、メッセージを、例示的な環境２００全体にわたってノードからノードへと、かつ装置から装置へと伝わらせ得る。例示的な環境２００におけるスポークスマンノードは低出力通信プロトコルにドロップダウンしてこれらのメッセージを受信し、メッセージを他の通信プロトコルに翻訳し、翻訳されたメッセージを他のスポークスマンノードおよび／またはシステム２３６に送信することができ得る。したがって、低出力通信プロトコルを用いる低出力ノードは、メッセージを、例示的な環境２００全体にわたって、およびネットワーク２３４を介してシステム２３６に送信し得る。例によれば、メッシュネットワークは、システム２３６が、データを住宅内のスマートデバイスのすべてから規則的に受信し、そのデータに基づいて推測を行ない、スマートデバイスの１つ以上にコマンドを送信し戻して、全体にわたって論じられるようにスマートホーム目的の一部を達成することを可能にする。
【００４２】
記載されるように、スポークスマンノードおよび低出力ノードのいくつかはリスニングすることができる。したがって、ユーザ、他の装置、およびシステム２３６は低出力ノー
ドに対して制御を通信し得る。たとえば、ユーザはモバイル機器２３０を用いてコマンドをネットワーク２３４を介してシステム２３６に送信し得、それは、次いで、コマンドを例示的な環境２００におけるスポークスマンノードに中継し得る。スポークスマンノードは低出力プロトコルにドロップダウンして、コマンドを、例示的な環境２００全体にわたって低出力ノードに、およびシステム２３６からコマンドを直接受取らなかった他のスポークスマンノードに通信し得る。
【００４３】
低出力ノードの一例は特定のハザード検出器２１４である。低出力ノードの他の例は、バッテリによって電力供給されるハザード検出器２１４を含む。そのようなハザード検出器２１４は、一定であり信頼性のある電源に対するアクセスを伴わない領域内に位置し得、煙／炎／熱センサ、一酸化炭素／二酸化炭素センサ、占有／モーションセンサ、周囲光センサ、温度センサ、湿度センサなどのような任意の数およびタイプのセンサを含んでもよい。さらに、ハザード検出器２１４は、メッセージを、例示的な環境２００内の他のスマートデバイス、センサ等に、およびセンサ２３６に、上に考察したようなアドホックメッシュネットワーク技術によってなどして送信し得る。
【００４４】
スポークスマンノードの例は、スマートドアベル２１６、スマートサーモスタット２１２、有線のハザード検出器２１４、スマート壁スイッチ２２２、およびスマート壁プラグインターフェイス２２４を含む。これらの装置は、信頼性のある電源の近くに位置してそれに接続され得、したがって、任意のさまざまなプロトコルで双方向通信が可能である１つ以上の通信チップなどのような、より電力を消費するコンポーネントを含み得る。ある例では、例示的な環境２００の低出力ノードおよびスポークスマンノードは、例示的な環境２００におけるハザード検出システムのための警報ブロードキャスタとして機能し得る。たとえば、特定のハザード検出器２１４が危険な量の煙または一酸化炭素などのハザード状態を検出した場合、ハザード検出器２１４は警報メッセージをシステム２３６に送信し得、システム２３６は次に例示的な環境２００における他のスマートデバイスに警報をインスタンス化するよう命令して、危険な状態についてまたはそれに対して占有者または他の個人の注意を喚起し得る。したがって、ハザード検出システムは、すべてが可聴、視覚が可能である、例示的な環境２００全体にわたって位置しているさまざまな低出力ノードおよびスポークスマンノードによって向上し得る。この例では、ユーザは、危険な状態に対してユーザの注意を喚起することが可能な追加の小型装置を購入および設置することによって例示的な環境２００の安全を向上させることができる。
【００４５】
次に図３を参照して、図２の例示的な環境２００などのような複数のスマートホーム環境が統合され得る、拡張可能な装置およびサービスプラットフォーム３００のネットワークレベル図を示す。この例では、プラットフォーム３００はさまざまなリモートサーバまたはクラウドコンピューティングアーキテクチャを含むとして示されている。上記のように、図２の、インテリジェントな、ネットワーク接続されたスマートデバイスの各々はリモートサーバまたはクラウドコンピューティングアーキテクチャと規則的に通信し得ることが考えられる。たとえば、ネットワーク２３４への接続は、直接、たとえば無線搬送への３Ｇ／４Ｇ接続性を用いて、単純な無線ルータから、たとえばインテリジェントな専用の全住宅制御ノードまで、およびそれを含む範囲のスキームもしくは実現であり得るハブネットワーク３０２（図２の例のハブ２２３も参照）を介して、ならびに／またはそれらの任意の組合せを介して確立され得る。
【００４６】
ここに与えられるいくつかの例においては、例示的なプラットフォーム３００の要素は図２の例示的な環境２００のさまざまなスマートデバイスと通信してそれらからデータを収集し得るが、例示的なプラットフォーム３００の１つ以上の要素は世界中の複数のスマートホーム環境と通信してそれらからデータを収集し得ることがさらに考えられる。たとえば、システム２３６（図２も参照）は１つ以上のスマートホーム環境の装置から特定の
ホームデータ３０４を収集し得、装置はホームデータを、周期的になどのルーチン的にもしくは規則的にもしくは少なくとも間欠的に、またはそのように命じる特定のコマンドに応じて、送信し得る。したがって、例示的なプラットフォーム３００のさまざまな要素は世界中の住宅からデータをルーチン的に収集し得る。一般に、ホームデータ３０４は、たとえば、電力消費データ、占有データ、ＨＶＡＣ設定および使用データ、一酸化炭素レベルデータ、二酸化炭素レベルデータ、揮発性有機化合物レベルデータ、睡眠スケジュールデータ、調理スケジュールデータ、内部および外部温度湿度データ、テレビ視聴者数データ、内部および外部ノイズレベルデータなどを含み得、収集されたホームデータ３０４のタイプは、図２の例示的な環境２００などのように、特定の環境内に組込まれたスマートデバイスのタイプまたは形態によってのみ限定される。
【００４７】
例によれば、スマートデバイスは、それら自身が閾値に近づくにつれてそれら自身のロギング頻度を増加させ得る。たとえば、特定のハザード検出器２１４は、自身が空気をサンプリングする頻度を増加させ得、住宅内の状態が警報状態に近づくにつれて対応データをシステム２３６に送信する。たとえば、煙の閾値レベルよりも高いレベルを検出すると、特定のハザード検出器２１４はより高い率で空気をサンプリングし、対応データをシステム２３６に送信し得る。別の例では、特定のハザード検出器２１４は、住宅内のＣＯの量の閾値レベル増加を検出すると、自身がＣＯについて空気をサンプリングする頻度を増加させ得る。さらに、たとえば、特定のハザード検出器２１４は、トランザクション時にロギングおよびサンプリング頻度を増加させ得る。たとえば、特定の場所におけるノイズ、光等の増加レベルを検出すると、特定のハザード検出器２１４は、そのＰＩＲ（受動赤外線センサ）、超音波および他のセンサ等が増加した頻度率でサンプリングおよびロギングし、場合によってはシステム２３６に送信するリスニング状態にスイッチングし得る。当該場所におけるノイズ、光等の増加レベルは室内の人間の存在を示し得、それによって、室内に観察するに値するデータが存在し得ることを示す。
【００４８】
たとえば、ネットワーク上のチャタを減少させるために、たとえばシステム２３６における頻繁な更新を減少させるために、スマートデバイスはほとんど常に静かであることが望ましい場合がある。したがって、室内に誰もいない場合、スマートデバイスは１分に１度、または１時間に１度サンプリングするように構成され得る。しかし、スマートデバイスが室内に人がいることを示すトランザクションを検知した場合は、スマートデバイスはより頻繁にサンプリングする。たとえば、部屋が占有されている時、スマートデバイスはシステム２３６に温度データ、占有データ等を送信し得る。サーバはこのデータをホームデータ３０４に記憶し、当該データに対して傾向検出アルゴリズムを実行する。たとえば、ホームデータ３０４は、ユーザの部屋から部屋への住宅内の移動、各部屋で過ごした時間、住宅内の人の居住／密度マップ等のログおよびマップを含み得る。ある例では、ホームデータ３０４は、特定のハザード検出器２１４自体の永続的なメモリ場所に記憶され得る。
【００４９】
例によれば、ホームデータ３０４は、ユーザが住宅内の履歴イベントのログを見直すことができるように、スマートデバイス自体に、および／またはスマートデバイス自体に対して利用可能としてもよい。たとえば、エンドユーザは住宅のさまざまな部屋の履歴ＣＯ、煙、温度等のレベルを見直し得る。たとえば、例示的な履歴ログは、１０：１４ＡＭに検出された予警報煙レベル、１０：２６ＡＭにおける煙警報レベル、１０：３１ＡＭに消音された警報、および１０：５０ＡＭにおける煙が消去された「問題なし」などのデータを示すか含み得る。これによってユーザは、警報状態が住宅内で起こったこと、およびそれがどのように解決されたかを見ることができる。履歴ログは、特定のスマートデバイスによって実行されるセルフチェックの履歴をさらに含み得る。たとえば、履歴ログは、ハザード検出器２１４がそれらのＣＯセンサをテストした時間の履歴を示し得る。例示的なセルフチェックログは、住宅内のすべてのハザード検出器が１ＡＭから２ＡＭの間にセル
フチェックしたこと、および、それらのＷｉＦｉ接続が十分な強度である、それらのバッテリレベルが許容可能である、それらのＣＯセンサが適切に働いている、等を含む、それらがすべて適切に働いていることを示し得る。さらに、履歴ログが、ハザード検出器２１４がたとえば特定の閾値レベル設定などの自身の設定を自己調整することを可能にするアルゴリズムの一部として活用され得る。さらに多くの他の例も可能であり、そのような履歴データは、本開示の範囲内で考えられるさまざまな特徴および／または局面の多くを実現するように発掘、操作、および活用され得ることが認識されるであろう。
【００５０】
システム２３６を引続き参照して、システム２３６はさらに１つ以上のサービス３０６を提供し得ることが考えられる。サービス３０６は、たとえば、ソフトウェア更新、カスタマーサポート、センサデータ収集／ロギング、遠隔アクセス、遠隔もしくは分散制御、または、性能を向上させユーティリティコストを低減するために収集および／もしくは集約されたホームデータ３０４に基づくなどの使用の提案等を含み得る。サービス３０６と関連付けられるデータは、例示的なシステム２３６に記憶され得、システム２３６は、規則的な間隔で、ユーザから要求を受けた時、など適切な時にデータを検索および送信し得る。
【００５１】
図３に示されるように、例示的なプラットフォーム３００はさらに処理エンジン３０８を含み得、それは、単一のサーバに集中されるかまたはいくつかの異なるコンピューティングエンティティの間に分散され得るが、これに限定されない。処理エンジン３０８は、データをインデックス付けし、データを分析し、および／または分析に基づきもしくは分析の一部として統計を生成するために、場合によってはネットワーク２３４および／またはハブネットワーク３０２を介して、スマートホーム環境の装置からデータを受信するように構成および／または配置されるある数のエンジンを含み得る。分析されたデータは、ある例では、導き出されたホームデータ３１０として記憶され得る。分析または統計の結果はその後、結果を導き出すのに用いられるホームデータを提供した装置、他の装置、装置のユーザにウェブページを提供するサーバ、または他の非装置エンティティに送信し戻され得る。たとえば、使用統計、他の装置の使用に対する使用統計、使用パターン、および／またはセンサ読み取りを要約する統計が処理エンジン３０８によって生成され送信され得る。結果または統計はネットワーク２３４を介して提供され得る。この態様で、処理エンジン３０８は、ホームデータ３０４からさまざまな有用な情報を導き出すように構成およびプログラミングされ得る。単一のサーバは、１つ以上のエンジンを含み得る。さらに他の例も可能である。
【００５２】
導き出されたデータは、たとえば住宅ごと、近隣ごと、または地域ごとのデバイスの明示的なプログラミングされた制御、電気事業に対する需要−応答プログラムから、住宅ごとに補助可能な推論抽象化の生成、たとえば、住宅所有者が休暇に出かけたためセキュリティ検出機器の感度が高められ得ると推論できる、から、政府または慈善目的のために用いられ得る統計および関連の推論抽象化の生成に至る、さまざまな有用な目的のためにさまざまな異なる粒度で非常に有益であり得る。たとえば、処理エンジン３０８は、装置の母集団全体の装置使用に関する統計を生成し、当該統計を、たとえば当該統計を要求した、または当該統計に対する金銭的補償を提供した可能性がある装置ユーザ、サービスプロバイダまたは他のエンティティに送信し得る。
【００５３】
ある例では、技術革新およびリサーチを促進し、ユーザに利用可能な製品およびサービスを増大させるために、例示的なプラットフォーム３００は、ある範囲のＡＰＩ（アプリケーションプログラミングインターフェイス）３１２を、慈善事業体３１４、食品医薬品局または環境保護局などの行政実体３１６、大学研究者などの学術機関３１８、装置保証またはサービスを関連機器に対して提供したり、ホームデータに基いた広告をターゲットとするためなどの事業体３２０、ユーティリティ供給会社３２２およびさまざまな他の第
三者などのような第三者に公開し得る。一般に、ＡＰＩ３１２は、第三者システムに結合され、第三者システムが、サービス３０６、処理エンジン３０８、ホームデータ３０４、および導出されたホームデータ３１０を含んで、例示的なシステム２３６と通信することを許してもよい。たとえば、ＡＰＩ３１２は、第三者によって実行されるアプリケーションが、システム２３６によって実行される特定のデータ処理タスクを開始すること、ならびにホームデータ３０４および導出されたホームデータ３１０に対する動的な更新を受取ることを可能にし得る。
【００５４】
次に図４を参照して、図３の例示的なプラットフォーム３００の抽象化された機能図を、特に、処理エンジン３０８、および図２に関連して図示および説明したような他の要素または装置を参照して示す。スマートホーム環境内に位置する装置は、無限のさまざまな異なる個々の能力を有するが、それらの各々がＤＣ（データ消費体）４０２、ＤＳ（データソース）４０４、ＳＣ（サービス消費体）４０６、およびＳＳ（サービスソース）４０８であるという点で、それらは、すべて、共通の特性を共有するとして考えられ得る。有利なことに、装置のローカルおよび直接の目的を達成するために装置に必要とされる制御情報を提供することに加えて、例示的なプラットフォーム３００の要素は、さらに、これらの装置から流れ出る大量のデータを利用するように構成され得る。装置の直接的な機能に関して装置自体の実際の動作を向上または最適化することに加えて、例示的なプラットフォーム３００の要素は、さまざまな有用な目的を達成するために、さまざまな自動化され、拡張可能であり、フレキシブルで、および／またはスケーラブルな態様でそのデータを「別の目的のために再利用する（repurposing）」ことに向けられ得る。これらの目的
は、たとえば使用パターン、装置効率、および／またはたとえば特定の機能を要求するユーザ入力に基づき、予め定義または適合的に識別されてもよい。
【００５５】
たとえば、図４の処理エンジン３０８は、ある数のパラダイム４１０を含むとして示されている。たとえば、処理エンジン３０８は、一次的または二次的なスマートデバイス機能を監視および管理する、管理されるサービスパラダイム４１０ａを含み得る。デバイス機能は、ユーザ入力を与えられるデバイスの適正な動作を保証すること、侵入者が住居にいるかもしくは住居に入ることを試みていることを推定すること、デバイスに結合される機器の不良を検出すること、エネルギ需要応答イベントを実現もしくはそうでなければそれに応答すること、または現在もしくは予測された将来のイベントもしくは特性に対してユーザの注意を喚起することを含み得る。処理エンジン３０８はさらに、デバイスの使用に基づいて、人口学的情報などの特性、ユーザの要望および／または興味のある製品を推定する広告／通信パラダイム４１０ｂを含み得る。サービス、プロモーション、製品またはアップグレードが、次いで、ユーザに供給または自動的に提供され得る。処理エンジン３０８はさらにソーシャルパラダイム４１０ｃを含み得、ソーシャルパラダイム４１０ｃは、ソーシャルネットワークからの情報を使用し、たとえば装置の使用に基づいてソーシャルネットワークに情報を提供し、ならびに／またはソーシャルネットワークプラットフォームとのユーザおよび／もしくは装置対話と関連付けられるデータを処理する。
【００５６】
処理エンジン３０８は、挑戦／ルール／コンプライアンス／報酬パラダイム４１０ｄを含み得、それは、挑戦、競合、ルール、コンプライアンス規則、および／もしくは報酬をユーザに通知し、ならびに／または動作データを使用して、挑戦に応じられたか、ルールもしくは規則は遵守されたか、および／もしくは報酬が得られたかどうかを判断する。挑戦、ルールまたは規則は、エネルギを節約する努力、たとえば毒物または発がん性物質に晒されることを低減することによって安全に生活する努力、金銭の節約および／または機器寿命を保護する努力、健康を改善する努力などに関し得る。たとえば、１つの挑戦は、参加者が自分のサーモスタットを１週間の間１度だけ下げることを伴ってもよい。挑戦を成功裏に完了させたものは、クーポン、仮想通貨、ステータスなどによってのように報酬を与えられる。コンプライアンスに関しては、１つの例はレンタル不動産所有者が、賃借
人はある所有者の部屋にアクセスすることは許可されない旨の規則を作ることを伴う。占有センサを有する部屋における装置は、部屋がアクセスされた時に所有者に更新を送信し得る。
【００５７】
本開示の原理に従うと、処理エンジン３０８は、１つ以上の処理パラダイムの機能を向上させるために、外部源からの外部情報４１２を統合または別の態様で利用し得る。外部情報４１２は、装置から受信されるデータを解釈し、装置が囲まれる構造物の外部の天気などの装置の近くの環境の特性を判断し、ユーザに利用可能なサービスまたは製品を判断し、ソーシャルネットワークまたはソーシャルネットワーク情報を識別し、装置の近くの非常事態応答チーム、警察または病院のようなたとえば公共サービス実体などのエンティティのコンタクト情報を判断し、郡、町、市、州などの住宅または近隣または地域と関連付けられる統計的もしくは環境的条件、傾向または他の情報を識別するためなどに使用され得る。
【００５８】
次に図５および図６を参照して、図２の例示的な環境２００に組込まれ得る例示的なスマートハザード検出器５００が本開示の原理に従って示される。例示的なハザード検出器５００の別の図が、少なくとも図３１に関連して以下に示される。一例では、ハザード検出器５００は、たとえば図２に関連して、本開示の他の部分に記載されるハザード検出器２１４に対応する。図５はハザード検出器５００の分解斜視図を示し、図６は同じハザード検出器５００の組立図を示す。ある例では、ハザード検出器５００は、煙の存在を検出し、警報を鳴らして住宅または構造物の占有者または占有者らに潜在的な火事または他の危険を可聴的に警告するように構成される煙検出器である。他の例では、ハザード検出器５００は、一酸化炭素検出器、熱検出器等であってもよい。他の例では、ハザード検出器５００は、煙検出器、一酸化炭素検出器、熱検出器、モーション検出器等を含むマルチ検知の検出器であってもよい。特に、さまざまな検知モードを単一の装置内で互いに組合せると、装置の小型化、コンポーネントの電力供給、ならびに全体的なコンポーネント統治および協調の１つ以上に関して大きな課題が提起され得るため、本開示の多くは、ハザード検出器５００がマルチ検知の検出器である例について特に有利である。
【００５９】
１つの例示的な実現では、ハザード検出器５００は、幅が約１２０ｍｍから１３４ｍｍであり厚みが約３８ｍｍの概して正方形のまたは矩形の物体である。換言すれば、ハザード検出器５００は、数ある機能の中でもとりわけ、煙の存在を検出し、潜在的な火事の危険に対して住宅または構造物の内部の占有者の注意を喚起することができるように、住宅または構造物の壁または天井に容易に取付けられ得る極めて小型の形状およびサイズを有するマルチ検知のユニットである。図５に示されるように、ハザード検出器５００は、建物または構造物の壁に取付けられてハザード検出器５００を壁に固定し得る装着プレート５０２を含む。ハザード検出器５００はさらに、装着プレート５０２および前側ケーシング５０６に装着され得るバックプレート５０４を含み、前側ケーシング５０６はバックプレート５０４に結合されるか他の方法で固定されて、ハザード検出器５００のコンポーネントが収容される内部領域を有するハウジングを規定し得る。
【００６０】
回路基板５０８がバックプレート５０４に結合されるか取付けられ得る。さまざまなコンポーネントが回路基板５０８に装着され得る。たとえば、煙チャンバ５１０が回路基板５０８に結合されるか装着されて煙の存在を検出し得る。一例では、煙チャンバ５１０は、空気が回路基板５０８の上方および回路基板５０８の下方の位置から煙チャンバ５１０に流れ込み得るように、回路基板５０８に対して中央に装着され得る。スピーカ５１２、および／またはスピーカ５１２とは別個のコンポーネントであり得る警報装置がさらに回路基板５０８に装着され、煙の存在が煙チャンバ５１０を介して検出されると、たとえば占有者に潜在的な火事の危険性を可聴的に警告し得る。たとえば超音波、受動ＩＲ等のモーションセンサ、ＣＯセンサ、温度センサ、熱センサ、周囲光センサ、ノイズセンサ、マ
イクロプロセッサなどの他のコンポーネントが、場合によっては実装固有要件に従って回路基板５０８にさらに装着されてもよい。
【００６１】
一例では、保護プレート５１４が回路基板５０８に取付けられるかそうでなければ結合され、ハザード検出器５００の内部コンポーネントに視覚的に美しい外観を与え、および／または気流を空気チャンバ５１０に注ぎ込むか導き得る。たとえば、ハザード検出器５００の内部コンポーネントをバックプレート５０４の通気口を介するなどして見た場合、保護プレート５１４は比較的滑らかな表面の外観を与え得、そうでなければ回路基板５０８のコンポーネントまたは回路を隠すか見えなくし得る。保護プレート５１４は同様に、気流をバックプレート５０４の通気口から煙チャンバ５１０に向けて導き、煙チャンバ５１０に出入りする気流を容易にするように機能し得る。
【００６２】
ハザード検出器５００はさらに、ハザード検出器５００が１２０Ｖ電源などの外部電源に結合されていない時にハザード検出器５００のさまざまなコンポーネントに電力を与えるバッテリパック５１６を含み得る。カバープレート５１８が、ハザード検出器２１４に視覚的に美しい外観を与えるため、および／または他の機能上の目的で、前側ケーシング５０６に結合され得る。具体例では、カバープレート５１８は、ハザード検出器５００の外部の物体を検知するために、回路基板５０８に結合された１つ以上のセンサがカバープレート５１８の表面を通して眺めるか見ることを可能にする複数の穴または開口部を含み得る。カバープレート５１８の複数の開口部は、住宅または構造物の占有者によって見られた場合に視覚的に美しい外観を与えるように配置され得る。一例では、カバープレート５１８の複数の開口部は、フィボナッチまたは他の数列などの反復パターンに従って配置され得る。さらに他の例も可能である。
【００６３】
レンズボタン５２０がカバープレート５１８に結合されるかそうでなければ装着され得る。レンズボタン５２０は、１つ以上のセンサがさまざまな目的でレンズボタン５２０を通して眺めることを可能にし得る。たとえば、一例では、ＰＩＲセンサがレンズボタン５２０の後ろに位置決めされ、レンズボタン５２０を通して眺めることによって住宅または構造物の内部の占有者または占有者らの存在を検出するように構成され得る。ある例では、レンズボタン５２０は、誤ったまたはそうでなければ無害の状態に応答してトリガされる警報を停止するためなどに、さまざまなコマンドをハザード検出器５００に入力するためにユーザによって押下可能なボタンとしても機能し得る。レンズボタン５２０の後ろに遠位に位置決めされているのは光リング５２２であり得、光リング５２２は、ＬＥＤ（発光ダイオード）または別の発光素子からなどの光を受光し、当該光を光リング５２２の内部で消散させて、レンズボタン５２０の後ろにハローなどの所望の視覚的外観または合図を与える。光リング５２２の後ろに遠位に位置決めされているのは、ＰＩＲセンサ、ＬＥＤなどの１つ以上の電気コンポーネントを含むフレキシブル回路基板５２４であり得る。フレキシブル回路基板またはフレキシブルリング５２４は回路基板５０８に電気的に結合され、ハザード検出器５００の動作時に回路基板に装着された１つ以上のマイクロプロセッサと通信し、および／またはそれらから命令を受信し得る。
【００６４】
次に特に図６を参照して、図５のハザード検出器５００が組立てられた状態で示されている。具体的には、装着プレート５０２、前側ケーシング５０６、バックプレート５０４、およびカバープレート５１８は、さまざまな他のコンポーネントがハザード検出器５００の内部空間に収容されている組立後の構成にある。図６は、外観的に美しい設計を形成するカバープレート５１８の複数の穴または開口部を示し、レンズボタン５２０は、カバープレート５１８に対して中央に位置決めされるようにハザード検出器５００に取付けられて示されている。上に簡単に述べたように、光リング５２２は、レンズボタン５２０の周りまたは後ろに光のハロー外観を与えるために用いられ得る。ハザード検出器５００は組立てられると、小型であるがロバストな多機能装置を提供する。
【００６５】
次に図７を参照して、図５の回路基板５０８の前面および後面斜視図が示される。この例では、回路基板５０８は、前側または面および後側または面を有する本体７０２を含む。さまざまな電気コンポーネントが回路基板５０８に装着され得、そのようなコンポーネントのタイプおよび形態は実装固有であってもなくてもよく、技術が発展するにつれて発展し得る。ある例では、これらのコンポーネントは回路基板５０８の前面に、前面と反対側の回路基板５０８の後面に、または回路基板５０８の両面に装着され得る。たとえば、具体例では、１つ以上のマイクロプロセッサおよび／または他のプロセッサ関連コンポーネントが、保護プレート５１４に面している回路基板５０８の後面に装着され得るのに対して、警報装置、ＣＯ検出器、スピーカ、モーションセンサ、ＷｉＦｉ装置、ＺｉｇＢｅｅ（登録商標）装置などの１つ以上の機能コンポーネントは、ハザード検出器５００が内部に位置決めされている住宅または構造物の部屋に面している回路基板５０８の前面に装着される。ここに記載されるように対向面が回路基板５０８の対向側に位置決めされるように、他のコンポーネントが回路基板５０８に対して中央に装着されてもよい。
【００６６】
具体例では、回路基板５０８の前面は、一酸化炭素ガスの存在を検出し、ＣＯガスレベルが高すぎると判断されると警報装置７０６をトリガするＣＯ検出器７０４を含み得る。意図的に鋭いまたは耳障りな音を有する圧電ブザーであり得る警報装置７０６は、同様に、ハザード検出器５００が内部に位置決めされている部屋の占有者に面して、占有者に潜在的な危険について警報を発するために、回路基板５０８の前面に装着され得る。警報装置７０６は、潜在的な危険に対して占有者の注意を喚起する１つ以上の音または信号を生成し得る。
【００６７】
前面はさらに、スピーカ５１２が位置決めされる領域７０８を含み得る。スピーカ５１２は、可聴警告またはメッセージを部屋の占有者に与える。たとえば、スピーカ５１２は潜在的な危険に対して占有者の注意を喚起し、占有者に部屋を出るように命じ得る。ある例では、スピーカ５１２は、ハザード検出器５００の設置を案内するためなどに、具体的な命令を占有者に与え得る。バッテリが低状態であること、ＣＯレベルが室内で比較的高いこと、ハザード検出器５００が周期的なクリーニングを必要としていることに対して占有者の注意を喚起するため、またはハザード検出器５００もしくはそのコンポーネントに関するその他の異常もしくは問題について占有者の注意を喚起するためなどに、他のメッセージが同様に占有者に通信されてもよい。
【００６８】
回路基板５０８はさらに、自身の前面に装着される１つ以上のモーションセンサを含み得る。モーションセンサは、ハザード検出器５００の部屋または周囲領域内の個人の存在を判断するために用いられ得る。この情報は、上記のようにハザード検出器５００および／または一般のネットワーク内に接続された１つ以上の他の装置の機能を変更するために用いられ得る。たとえば、この情報はスマートサーモスタットに中継され、スマートサーモスタットが１つ以上の学習したまたはプログラミングされた設定に従って住宅または構造物を条件付け得るように、住宅または構造物の占有者が存在することをサーモスタットに通知し得る。ハザード検出器５００は同様に、ジェスチャハッシュを介することなどによって警報装置を静かにするためなどの１つ以上の理由で、またはさまざまな他の理由でこの情報を使用し得る。
【００６９】
一例では、第１の超音波センサ７１０および第２の超音波センサ７１４が回路基板５０８の前面に装着され得る。２つの超音波センサ７１０および７１４は、やや異なる方向を向くために軸方向にオフセットし得る。この方位において、各超音波センサは、部屋および／または占有者に対するハザード検出器５００の方位に基づいて個人のモーションを検出するために、ならびにハザード検出器５００からハザード検出器５００の近くのまたはハザード検出器５００隣接した１つ以上の壁または表面までの距離を求めるために用いら
れ得る。個人のモーションを検出することは、ここに説明されるように警報装置を静かにするために、またはその他の理由で用いられ得る。一例では、第１の超音波センサ７１０の軸はハザード検出器５００に対して実質的に外向きに方位付けられ得るのに対して、第２の超音波センサ７１４の軸は第１の超音波センサ７１０の軸に対して傾いて方位付けられる。第１の超音波センサ７１０は、ハザード検出器５００が住宅または構造物の天井に装着されると、個人のモーションを検知し得る。
【００７０】
第１の超音波センサ７１０はハザード検出器２１４に対して実質的に外向きに方位付けられているため、ハザード検出器５００がたとえば天井に設置されると、第１の超音波センサ７１０はハザード検出器５００の下方の個人を本質的にまっすぐ見下ろす。第２の超音波センサ７１４は同様に、ハザード検出器５００が住宅または構造物の壁に装着されると、個人のモーションを検出し得る。第２の超音波センサ７１４は第１の超音波センサ７１０およびハザード検出器５００に対して傾いて方位付けられているため、第２の超音波センサは、ハザード検出器５００が住宅または構造物の壁に装着されると、第１の超音波センサ７１０のように直接的に外向きに見る代わりに、本質的に床に向かって見下ろす。一例では、２つの超音波センサの角度オフセットは約３０°またはその他の所望の値であり得る。他の例も可能であり、使用目的に応じて変化し得る。たとえば、２つの超音波センサ７１０および７１４がさらに、または代替的に、または付加的に、ハザード検出器５００の設置を補助するように意図されるシナリオでは、異なる構成が活用され得る。
【００７１】
たとえば、別の例では、２つの超音波センサ７１０および７１４は単一の超音波センサによって置換えられてもよく、単一の超音波センサは、単一の超音波センサが第１の超音波センサ７１０と同様にまっすぐ外向きに見ることが可能であるか、または第２の超音波センサ７１４と同様に見下ろすことが可能であるように、ハザード検出器５００の内部で回転するように構成される。単一の超音波センサは、ハザード検出器５００の方位に基づいて超音波センサの回転を可能にするヒンジを介して回路基板５０８に結合され得る。たとえば、ハザード検出器５００が住宅または構造物の天井に装着されると、重力によって超音波センサはまっすぐ見下ろすよう方位付けられ得るのに対して、ハザード検出器５００が住宅または構造物の壁に結合されると、重力によって超音波センサはヒンジを介して回転し、床に向かって、かつハザード検出器５００に対して見下ろし得る。別の例では、モータが、ハザード検出器５００の方位に基づいて超音波センサを回転させるように単一の超音波センサに結合されてもよい。このように、超音波センサは、ハザード検出器５００の周囲の部屋または空間の内部の個人のモーションを検出しやすい方向を常に向き得る。さらに別の例では、単一の超音波センサは、２つの超音波センサ７１０および７１４の両方の装着位置を実質的に収容可能な広い視野を有し得る。
【００７２】
図７に示されるように、回路基板５０８の本体７０２は、実質的に中央に位置する開口７１６をさらに含み、これを通して煙チャンバ５１０は、煙チャンバ５１０を回路基板５０８に対して中央に装着するように挿入され得る。開口７１６は１対のノッチ７１８をさらに含み得、これを通してワイヤが挿入されて煙チャンバ５１０を回路基板５０８に電気的に結合する。開口７１６を通して煙チャンバ５１０を中央に装着することによって、煙および空気が回路基板５０８の前面または側および回路基板５０８の後面または側の両方から煙チャンバ５１０に入ることが可能となり得る。回路基板５０８上には、システムプロセッサ、比較的高出力の無線通信回路およびアンテナ、比較的低出力の無線通信回路およびアンテナ、不揮発性メモリ、スピーカ５１２、１つ以上のインターフェイスセンサ、安全プロセッサ、安全センサ、警報装置７０６、電源、および電源供給回路を含むいくつかの他のコンポーネントが含まれ得る。
【００７３】
コンポーネントは、電力消費を最小化する回路トポロジおよび電力予算編成法を用いてフェールセーフ安全検出特徴およびユーザインターフェイス特徴を提供するように作動す
る。一例によれば、ハザード検出器５００のさまざまな特徴を処理するために、分岐またはハイブリッドプロセッサ回路トポロジまたはアーキテクチャが用いられ、安全プロセッサは、従来の煙／ＣＯ警報上に提供されるであろうコア安全センサ統治およびコア警告機能に専用の、比較的小型の、比較的リーンのまたは薄いプロセッサであり、システムプロセッサは、クラウド通信、ユーザインターフェイス特徴、占有および他の高度な環境トラッキング特徴などのより高度な特徴、ならびにより一般的には「コア」または「従来の」安全検知および警報タスクと考えられないその他のタスクに専用の、比較的大型の、比較的高出力のプロセッサである。
【００７４】
一例として、安全プロセッサはＦｒｅｅｓｃａｌｅ  ＫＬ１５マイクロコントローラであり得るのに対して、システムプロセッサはＦｒｅｅｓｃａｌｅ  Ｋ６０マイクロコントローラであり得る。安全プロセッサは、安全プロセッサがシステムプロセッサのステータスまたは状態に関わらずそのコアの安全関連義務を動作および実行可能なようにプログラミングされ得る。したがって、たとえば、システムプロセッサが利用可能でないかそうでなければいずれの機能も実行不可能である場合でも、安全プロセッサは、ハザード検出器５００が、ハザード検出器５００が供される目的の煙、ＣＯ、および／または他の安全関連監視に必要とされるすべての業界および／または政府安全基準を依然として満たすように、そのコアの安全関連タスクを実行し続ける。
【００７５】
一方、システムプロセッサは、安全プロセッサの機能上にオーバーレイされた随意のまたは高度な機能と称され得るものを実行し、随意のまたは高度なとは、業界および／または政府安全基準に準拠することが特に要求されないタスクを指し得る。したがって、システムプロセッサは、ハザード検出器５００の全体性能、特徴セット、および／または機能を向上させ得る態様で安全プロセッサと相互運用するように設計されるが、その動作は、ハザード検出器５００がコアの安全関連業界および／または政府安全基準を満たすことを必要としていない。システムプロセッサは、一般に安全プロセッサよりも大型で有能なプロセッサであるため、両プロセッサが活性状態である時は安全プロセッサよりも電力を消費する。
【００７６】
同様に、両プロセッサが不活性状態である時、システムプロセッサは依然として安全プロセッサよりも電力を消費する。システムプロセッサは、コアの安全検知に直接関連し得ない、たとえば占有センサ、音声センサ、カメラなどのユーザインターフェイス特徴およびモニタインターフェイスセンサを処理するように作動し得る。たとえば、システムプロセッサは、高出力および低出力の両方の無線通信回路上の無線データトラフィックを導き、不揮発性メモリにアクセスし、安全プロセッサと通信し、スピーカ５１２から音声を発せさせ得る。別の例として、システムプロセッサは、インターフェイスセンサを監視し、いずれかのアクションを取るべきか否かを、たとえば警告を「消音する」ユーザ検出アクションに応答して活性状態の警報を停止することを判断し得る。
【００７７】
安全プロセッサは、ハザード検出器５００のコアの安全関連タスクを処理するように作動し得る。安全プロセッサは、たとえば煙および／またはＣＯセンサなどの安全センサをポーリングし、安全センサの１つ以上がハザードイベントが検出されることを示すと警告装置７０６を起動し得る。安全プロセッサはシステムプロセッサとは独立して動作可能であり、システムプロセッサがどの状態にいるかに関わらず警告装置７０６を起動可能である。たとえば、システムプロセッサがたとえばＷｉＦｉ更新を実行するなどの活性機能を実行している場合、または電力制約のために遮断された場合、安全プロセッサは、ハザードイベントが検出されると依然として警報装置７０６を起動し得る。
【００７８】
ある例では、安全プロセッサ上で実行されるソフトウェアは永久的に固定され得、ハザード検出器５００が工場から出荷された後はソフトウェアまたはファームウェア更新によ
って決して更新されなくてもよい。システムプロセッサと比較して、安全プロセッサは電力消費の少ないプロセッサである。安全センサを監視するために、システムプロセッサを用いる代わりに安全プロセッサを用いると、安全プロセッサは安全センサを常時監視し得るため、節電がもたらされ得る。システムプロセッサが安全センサを常時監視するものである場合は、節電は実現され得ない。安全センサを監視するために安全プロセッサを用いることによって実現される節電に加えて、プロセッサを分岐させることによっても、より高位のユーザインターフェイスが働くか否かに関わらず、ハザード検出器５００の安全特徴が常に働くことが保証され得る。比較的高出力の無線通信回路は、たとえば、８０２．１１プロトコルのいずれかに従って通信可能なＷｉＦｉモジュールであり得る。
【００７９】
一例として、比較的高出力の無線通信回路は、Ｂｒｏａｄｃｏｍ  ＢＣＭ４３３６２  ＷｉＦｉモジュールを用いて実現され得る。比較的低出力の無線通信回路は、８０２．１５．４プロトコルに従って通信可能な低出力ワイヤレスパーソナルエリアネットワーク（６ＬｏＷＰＡＮ）モジュールまたはＺｉｇＢｅｅ（登録商標）モジュールであり得る。たとえば、一例では、比較的低出力の無線通信回路は、Ｅｍｂｅｒ  ＥＭ３５７（６ＬｏＷＰＡＮ）モジュールを用いて実現され得る。不揮発性メモリは、たとえば、ＮＡＮＤフラッシュ、ハードディスクドライブ、ＮＯＲ、ＲＯＭ、または位相変化メモリなどの、任意の好適な永久メモリ記憶装置であり得る。一例では、不揮発性メモリは、スピーカ５１２を用いて再生可能な音声クリップを記憶し得る。音声クリップは、１つ以上の言語での設置命令または警告を含み得る。インターフェイスセンサはシステムプロセッサによって監視されるセンサを含み得るの対して、安全センサは安全プロセッサによって監視されるセンサを含み得る。
【００８０】
インターフェイスセンサは、たとえば、個別のフォトダイオードを用いて実現され得るなどのＡＬＳ（周囲光センサ）、ノイズセンサ、Ｅｘｃｅｌｉｔａｓ  ＰＹＱ１３４８モジュールを用いて実現され得るなどのＰＩＲモーションセンサ、および１つ以上のＭａｎｏｒｓｈｉ  ＭＳ−Ｐ２３６０Ｈ１２ＴＲモジュールを用いて実現され得るなどの１つ以上の超音波センサを含み得る。安全センサは、たとえば、たとえばＥｘｃｅｌｉｔａｓ  ＩＲモジュールを使用または活用し得る煙チャンバ５１０、たとえばＦｉｇａｒｏ  ＴＧＳ５３４２センサを使用または活用し得るＣＯモジュール７０４、および、たとえばＳｅｎｓｉｒｉｏｎ  ＳＨＴ２０モジュールを使用または活用し得る温度および湿度センサを含み得る。電源はハザード検出器の動作を可能にする電力を供給し得、任意の好適なエネルギ源を含み得る。ここに記載される例は、ＡＣ線電力、バッテリ電力、ＡＣ線電力とバッテリバックアップとの組合せ、およびＵＳＢ（ユニバーサルシリアルバス）供給電力などの外部供給ＤＣ電力を含み得る。ＡＣ線電力、バッテリバックアップを有するＡＣ線電力、または外部供給ＤＣ電力を用いる例は、バッテリのみの例とは異なる節電制約を受け得る。
【００８１】
好ましくは、バッテリのみで電力供給される例は、ハザード検出器５００が少なくとも７，８，９または１０年の最小期間にわたって動作するように有限のエネルギ供給の電力消費を管理するように設計される。電力線で電力供給される例はそのように制約されない。バッテリバックアップを用いる電力線で電力供給される例は、バックアップバッテリの寿命を延ばす節電方法を採用し得る。バッテリのみの例では、電源は、バッテリパック５１６などの１つ以上のバッテリを含み得る。バッテリは、たとえばアルカリまたはリチウム二硫化鉄などの異なる組成で構成され得、たとえば永久的な、ユーザ交換可能な、またはユーザ交換不可能な、などのエンドユーザ構成が用いられ得る。一例では、Ｌｉ−ＦｅＳ2の６個のセルが３つずつ２つのスタックに配置され得る。そのような配置は、ハザー
ド検出器５００に対して約２７０００ｍＷｈの全利用可能電力を生じ得る。他の例も可能である。
【００８２】
次に図８を参照して、ハザード検出器を設定し、ハザード検出器とオンライン管理アカウントとの間のペアリングを確立するための例示的な方法８００が、本開示の原理に従って示される。例示的な方法８００の各ステップは以下に詳細に述べられ、いくつかのステップは、例示的な方法８００のステップに関連する物理的例示を提供し得る付加的な図面を参照して述べられる。方法８００はハザード検出器を設定してペアリングする例示的な方法であり、いくつかの示されるステップは不要または適用不可能であり得、他の付加的なステップが適切であるか所望通りに実現され得、それらは実装固有であってもなくてもよい。
【００８３】
ステップ８０２において、たとえば図２のシステム２３６などの中央サーバまたはクラウドコンピューティングシステムが、コードに対応する入力を受信し得る。このコードは、ハザード検出器５００などのハザード検出器の固有識別子またはＩＤに対応し得る。コードは、たとえば、ハザード検出器５００の製造日、ハザード検出器上に最初にインストールされたソフトウェアバージョン、および／またはハザード検出器に関する他の情報などの、サーバまたはシステム上に記憶される付加的な情報にも関連付けられ得る。ステップ８０２においてサーバがこのコードを受信し得る前に、ユーザはまず、ハザード検出器５００からコードを得てもよい。コードはハザード検出器の製品パッケージングに含まれ得るか、またはハザード検出器上に表示され、システム２３６に通信を提供するように構成されるアプリまたはウェブページを介してシステム２３６に提供され得る。
【００８４】
次にさらに図９〜図１６参照して、上記のコードを取得し、コードを受信するサーバにコードを与えるための例示的な物理的プロセスが本開示の原理に従って示される。まず、ハザード検出器５００がその製品パッケージングから取出され得る。これは、図９に示されるように、ボックス１０００の上部および底部１０００ａ〜ｂを分離し、ハザード検出器５００を露出することによって達成され得る。次に、図１０に示されるように、ハザード検出器５００が、ボックス１０００の他の内容物とともにボックス１０００から取出され得る。他の内容物は、たとえば装着プレート５０２などの装着プレート１００２、装着プレート１００２を住宅または他の構造物の壁にしっかりと付けるための締結具１００４、およびハザード検出器情報パケット１００６を含み得る。ある例では、ユーザが、たとえばバッテリパック５１６のバッテリなどのバッテリの端子を露出するためにバッテリタブを引っ張り、動作電力またはバックアップ電力をハザード検出器５００に与えることが必要であり得る。
【００８５】
ハザード検出器５００および装着プレート１００２は、図１１に示されるように、ユーザがハザード検出器５００を回転方向１００８にひねるとハザード検出器５００が装着プレート１００２上にロックされるように、対応する特徴を含み得る。ハザード検出器５００はさらに、ハザード検出器５００が装着プレート１００２に装着されたことをセンサが検出するとハザード検出器５００を「起動」させるかそのオペレーティングシステムを開始する回路およびセンサを含み得る。図１１に示されるように、ハザード検出器５００は音楽を生成して自身が起動していることを示し得、たとえば、ハザード検出器５００はスピーカ５１２を介して音楽を生成し得る。代替的に、ハザード検出器５００は、いずれかの形態の、トーン、スピーチ等の音声指示、および／または予め定められたパターンに従って光を生成し得るＬＥＤ光などの視覚指示を生成し得る。
【００８６】
図１２に示されるように、ハザード検出器５００が起動した後、ユーザはレンズボタン５２０を方向１０１０に押してハザード検出器５００との通信を開始し得る。代替的に、ユーザは音声コマンドを用いてハザード検出器５００との通信を開始してもよい。これに応答して、図１３に示されるように、ハザード検出器５００は音声および／または視覚インジケータを生成し得る。たとえば、ハザード検出器５００はユーザに「デバイスの準備完了！もう一度押してテスト下さい」と伝え得る。ハザード検出器５００はさらに、光リ
ング５２２を介してパルス状の青色光線または他の視覚効果を生成し得る。以下に述べるように、これらの音声および／または視覚インジケータは、ユーザに、コードを提供するためにコンピューティングデバイスでアプリまたはウェブページを開くように導くか命令する。ハザード検出器５００はさらに、ユーザがハザード検出器５００の動作について言語設定を選択できるように、音声および／または視覚インジケータを生成し、レンズボタン５２０を介して入力を受信し得る。
【００８７】
図１３は、とりわけユーザにセットアッププロセスの次のステップについての命令を与え得るアプリすなわちアプリケーション１０１２、または、たとえばウェブページを示す。たとえば、アプリケーション１０１２は、たとえば図２に示されるようなモバイル機器２３０などのコンピューティングデバイス上に開かれ、ユーザをセットアッププロセスの次のステップに導くためのスクリーン１０１４上のインターフェイスを提供し得る。より具体的には、図１３は、アプリケーション１０１２がユーザに「光が青色パルスの時はデバイスの準備ができています」等を通知し得ることを示す。したがって、ユーザは、ハザード検出器５００が青色光線１０１８をパルス化し、以下のスピーチ「準備完了」を生成した後、セットアップボタン１０１６を選択し得る。アプリケーション１０１２がモバイル機器２３０上にまだインストールされていない状況では、ハザード検出器は、音声（たとえばスピーチ）および／または視覚インジケータを用いて、ユーザにアプリケーション１０１２をダウンロードおよびインストールするように実際に命令し得る。
【００８８】
セットアップボタン１０１６を選択すると、ハザード検出器５００に固有のコードを与えるようユーザに指示する、図１４に示されるようなアプリケーション１０１２のインターフェイスが表示される。ユーザは英数字コードを手動でフィールド１０２０内に入力し、終わると終了ボタン１０２２を選択し得る。代替的に、ユーザはスキャンボタン１０２４を選択して、図１５に示されるようなアプリケーション１０１２のインターフェイスを表示させてもよい。そのインターフェイスはＱＲコード（登録商標）をスキャンするために用いられ得る。ＱＲコードおよび英数字コードは、ハザード検出器５００のバックプレート５０４上に位置するスティッカー１０２６上に見つけられ得る。図１５に示されるように、アプリケーション１０１２は、ユーザがスティッカー１０２６上の英数字コード１０３０の隣に位置するＱＲコード１０２８の写真を撮ることができるように、カメラモードインターフェイスを入力し得る。アプリケーション１０１２は、英数字コード１０３０、ハザード検出器５００の別の固有ＩＤ、またはハザード検出器５００に関する他の情報を判断するかそうでなければ識別するためにＱＲコード１０２８を処理し得る。アプリケーション１０１２は、ＱＲコード１０２８のスキャンに続いて、英数字コード１０３０をフィールド１０２０（図１６に示される）内に自動的に入力またはポピュレートし得る。
【００８９】
図１６は、フィールド１０２０内に入力された英数字コード１０３０を示す。ここでも、これは、英数字コード１０３０をフィールド１０２０内に手動で入力することによって、またはＱＲコード１０２８（図１５参照）をスキャンしてアプリケーション１０１２が英数字コード１０３０を判断してフィールド１０２０内に自動的にポピュレートできるようにすることによって、達成され得る。ユーザは次に、英数字コード１０３０を中央サーバまたはクラウドコンピューティングシステムまたはシステム２３６に送信するために、終了ボタン１０２２を押し得る。
【００９０】
中央サーバが、たとえば英数字コード１０３０などの受信したハザード検出器コードを処理および記憶するためには、そのコードをユーザおよび／またはユーザのオンライン管理アカウントと関連付けることが必要であり得る。以下に述べるように、方法８００のステップ８０４および８０６は、中央サーバが、たとえば英数字コード１０３０などの受信したハザード検出器コードを処理および記憶することを可能にし得る。特に、例示的な方法８００のステップ８０４において、たとえば図２のシステムまたはシステム２３６は、
オンライン管理アカウントにアクセスするためのクレデンシャルに対応する入力を受信し得る。たとえば、終了ボタン１０２２（図１６参照）の押下を検出した後、アプリケーション１０１２は、クレデンシャルがアプリケーション１０１２上に予め記憶していた可能性があるオンライン管理アカウントのためのクレデンシャルを、システム２３６に送信し得る。これらのクレデンシャルは、たとえばアプリケーション１０１２を最初に開いた後、または上記のステップ８０２を開始する前の他の時間、などの先の時間にアプリケーション１０１２において入力されていてもよい。代替的に、ユーザは、終了ボタン１０２２を押した後にオンライン管理アカウントを作成するように促されてもよい。オンライン管理アカウントは、通信をシステム２３６に提供するように構成されるアプリケーション１０１２またはウェブページにおいて作成され得る。新たに作成されたオンライン管理アカウントのためのクレデンシャルは次に、たとえば英数字コード１０３０をアプリケーション１０１２を介してシステム２３６に与えるのと同様の態様で、アプリケーション１０１２によってまたはアプリケーション１０１２を介してシステム２３６に与えられ得る。たとえば電子メールアドレスによって固有に識別され得るオンライン管理アカウントが、図２に関連して上述したように、ユーザがたとえばサービス３０６などのオンラインサービスにアクセスするかそうでなければオンラインサービスから利益を得ることを可能にし得る。
【００９１】
ステップ８０６において、中央サーバ、またはたとえばシステム２３６などのクラウドコンピューティングシステムが、たとえば英数字コード１０３０などのコード、およびオンライン管理アカウントのためのクレデンシャルを用いて、ハザード検出器５００とオンライン管理アカウントとを関連付け得る。これによってさらに、たとえば図３のホームデータ３０４などのデータを、ユーザのオンライン管理アカウントにおいて収集、記憶、リンク付けおよび／またはアクセス可能とすることが可能となり得る。さらに、この関連付けによって、ユーザのオンライン管理アカウントを介してハザード検出器５００の遠隔アクセスおよび／または遠隔もしくは分散制御が可能となり得る。しかし、ハザード検出器５００から収集されたデータおよび／またはハザード検出器５００の遠隔制御を可能にするためには、ハザード検出器５００はネットワーク接続へのアクセスを有する必要があり得る。
【００９２】
次にさらに図１７〜図２２を参照して、ハザード検出器５００をネットワーク２３４（たとえば図２参照）に接続するための物理的プロセスの例が本開示の原理に従って示される。たとえば、図１７に示されるように、ハザード検出器５００をネットワーク２３４に接続するための命令を提供するために、インターフェイスがモバイル機器２３０上のアプリケーション１０１２においてまたはアプリケーション１０１２によって提供され得る。たとえば、命令は、（１）設定アプリを開く、（２）ＷｉＦｉの下で「Ｄｅｖｉｃｅ−６５９Ｆ３８」と称されるネットワークに接続する、および（３）ハザード検出器５００の設定を完了するためにアプリケーション１０１２に戻る、ことを含む、ハザード検出器５００をネットワーク２３４に接続し、ハザード検出器５００についてのセットアッププロセスを続行するためのある数のステップを含み得る。これらのステップのうちのいくつかはモバイル機器２３０のタイプまたは形態に特定であり得、それはたとえばカリフォルニア州クパチーノのＡｐｐｌｅ，Ｉｎｃ．のｉＰｈｏｎｅ（登録商標）に対応し得るが、たとえばタブレット、ラップトップ、ネットブック、ゲーミングコンソール、オールインワンコンピュータなどの他のコンピューティングデバイスを、ハザード検出器５００によってブロードキャストされる一時的なネットワークに接続するために、当該コンピューティングデバイスに対して同様のステップが取られてもよい。
【００９３】
「Ｄｅｖｉｃｅ−６５９Ｆ３８」ネットワークは、セットアッププロセス時にハザード検出器５００によってブロードキャストされる一時的なＷｉＦｉネットワークであり得る。代替的に、ハザード検出器５００は、たとえばここに言及される他の無線プロトコルの
うちのいずれかなどの他の無線プロトコルを用いて、たとえばモバイル機器２３０などのコンピューティングデバイスと通信するための１つ以上の他のネットワークをブロードキャストしてもよい。この一時的なネットワークは、ハザード検出器５００がネットワーク２３４に接続されていない間にハザード検出器５００がモバイル機器２３０と通信することを可能にするための、便利な当初の手段を提供し得る。
【００９４】
図１８は、「Ｄｅｖｉｃｅ−６５９Ｆ３８」が選択されたネットワークである、設定アプリケーション１０３２のＷｉＦｉ構成インターフェイスを示す。この「Ｄｅｖｉｃｅ−６５９Ｆ３８」ネットワークは、設定アプリケーション１０３２によって表示される検出さネットワークのリスト内の「Ｄｅｖｉｃｅ−６５９Ｆ３８」をタップすることによって選択されていてもよい。図１８に示されるような設定アプリケーション１０３２のＷｉＦｉ構成インターフェイスは、図１７のアプリケーション１０１２によって表示される命令のステップ（１）および（２）を完了した後にユーザが見得るものの例である。ステップ（３）において、ユーザはアプリケーション１０１２に戻ってハザード検出器５００のセットアップを完了し得、その結果、アプリケーション１０１２は図１９に示される画面を表示し得る。その画面は、モバイル機器２３０がハザード検出器５００に接続されている確認を提供する。ハザード検出器５００はさらに、モバイル機器２３０およびハザード検出器５００の接続またはペアリングが成功したことをユーザに通知する音声および／または視覚インジケータを生成し得る。たとえば、図１９に示されるように、ハザード検出器５００は以下のスピーチ「デバイスがアプリに接続されました！」を生成し得る。代替的に、ハザード検出器５００は成功した接続の他の音声および／または視覚確認を生成してもよい。セットアッププロセスを続行するために、ユーザは続行ボタン１０３４を選択し得る。
【００９５】
図２０はアプリケーション１０１２のネットワークセットアップインターフェイスを示す。この点で、アプリケーション１０１２はユーザに、モバイル機器２３０によって検出されて、アプリケーション１０１２によって図２０に示されるようにリスト形式で生成されたＷｉＦｉネットワークのリスト１０３６からメインホームネットワークを選択するように命令し得る。これによってユーザは、ハザード検出器５００がネットワークまたはネットワーク２３４に接続するのに使用し得る、たとえば「ＯｕｒＨｏｕｓｅ」ネットワークなどのネットワークを選択することが可能となり得る。ネットワークを選択すると、図２１に示されるように、アプリケーション１０１２によってインターフェイスが表示され得、この中でユーザは選択されたネットワークに接続するためのパスワードをフィールド１０３８に入力し得る。これらのクレデンシャルは、ハザード検出器５００が選択されたネットワークのルータを介してネットワーク２３４へのアクセスを得ることができるように、アプリケーション１０１２によってハザード検出器５００に送信され得る。
【００９６】
アプリケーション１０１２は次に、ハザード検出器５００が「ｈｏｓｔ．ｃｏｍ」ウェブサイトを介して「ＯｕｒＨｏｕｓｅ」ローカルネットワーク、ネットワーク２３４、およびシステム２３６に接続したという確認を提供するために、図２２に示されるような画面を表示し得る。ハザード検出器５００はさらに、対応する音声および／または視覚インジケータを生成し得る。たとえば、図２２に示されるように、ハザード検出器５００は以下の音声「デバイスがｎｅｓｔ．ｃｏｍに接続されました！」を生成し得る。代替的に、ハザード検出器５００は、成功した接続の他の音声および／または視覚確認を生成してもよい。さらに、モバイル機器２３０自体が、成功した接続の確認のための音声および／または触覚または振動出力を生成してもよい。これらの確認は、ハザード検出器５００がオンライン管理アカウントと関連付けられたこと、および、ユーザがサービス３０６（たとえば図３参照）にアクセスするかそうでなければサービス３０６から利益を得ることができること、たとえば、ユーザが、デスクトップコンピュータ、ラップトップコンピュータ、タブレットなどのコンピューティングデバイス、またはモバイル機器２３０などの他の
デバイスを用いてハザード検出器５００と通信し得ることを表わし得る。
【００９７】
次に再び図８を参照して、例示的な方法８００のステップ８０８において、ハザード検出器５００は、ハザード検出器５００が物理的に位置している場所に関する指示を提供する、モバイル機器２３０内へのエンドユーザ入力情報またはレンズボタン５２０の手動押下によるなどの、住宅または建物内のその場所に対応するユーザ入力を受信するかそうでなければ検出し得る。ある例では、ハザード検出器５００は場所情報を中央サーバまたはシステム２３６に送信し得る。言及したように、ユーザ入力は、ハザード検出器５００が現在までに又は一時的に設置されている部屋のタイプまたは部屋の名前の指示などの、場所情報に対応し得る。場所情報はハザード検出器５００に局所的に、および／またはたとえばシステム２３６などのユーザのオンライン管理アカウントにおいて記憶され得、ハザード検出器５００によっておよびハザード検出器５００に与えられるサービス３０６の特徴を向上させるように用いられ得る。
【００９８】
場所情報は、ハザード検出器５００をさらに構成するように用いられ得る。たとえば、ハザード検出器５００の場所は、アラートおよび／もしくは警報が与えられる方法、ならびに／またはハザード検出器５００がそのさまざまなセンサによって取得されるデータをどのように解釈するかを変更するために用いられ得る。より具体的には、たとえば、ハザード検出器５００は予警報閾値を調整することによって台所の環境特性を考慮し、台所環境において一般に観察される煙および熱に対するハザード検出器５００の感度を低下させ得る。また、たとえば、ハザード検出器５００は、たとえば料理用レンジの上面で湯を沸かしている場合に高湿度が台所で生じ得るなど、高レベルの湿度は台所環境の特性であるため、増加した湿度を考慮し得る。さらに、たとえば、ハザード検出器５００は、公知の安全な煙状態については警報を先制的に消音するためにユーザにより多くの機会を提供することなどによって、アラートまたは警報シーケンスを変更し得る。別の例では、ハザード検出器５００は寝室に設置され得る。寝室の環境特性を考慮するため、ハザード検出器５００は、特定のアルゴリズムに基づいて自動的に、または特定のユーザ入力に基づいて手動で、煙およびＣＯに対する感度が高まり得、および／またはハザード検出器５００は、潜在的に危険な状態を検出すると睡眠中の個人を起こすためにその警報音量を増加させ得る。
【００９９】
次にさらに図２３を参照して、ステップ８０８と関連付けられる物理的プロセスの例が本開示の原理に従って示される。この例では、ユーザが、リビングルーム、主寝室等の部屋のタイプを選択することによってハザード検出器５００のためのまたはハザード検出器５００の特定の設置場所を選択することを可能にするか可能化するインターフェイスがモバイル機器２３０上のアプリケーション１０１２によってまたはアプリケーション１０１２において提供され得る。ユーザはリストオブジェクト１０４０上をなぞるジェスチャを行ない、リストオブジェクト１０４０上に含まれる部屋のタイプのリストをスクロールアップまたはダウンさせ、部屋のタイプのうちの１つを選択フィールド１０４２に入れることができる。所望の部屋のタイプが選択フィールド１０４２内に現われると、ユーザは終了ボタン１０４４を選択して、住宅内のハザード検出器５００の場所を示すユーザ入力を提出し得る。図２３に示されるように、リストオブジェクト１０４０は以下の選択可能な部屋のタイプ、すなわち、リビングルーム、主寝室、子供の寝室、来客用寝室、およびダイニングルームを含む。しかし一般には、リストオブジェクト１０４０は、たとえば、住宅の他の部屋、オフィスビルの部屋、ガレージ、トレーラーハウス部屋などの異なるおよび／または付加的な選択可能な部屋のタイプも含み得る。代替的に、アプリケーション１０１２は図２１に示されるようなフィールド１０３８などのフィールドを提供し得、この中にユーザが、ハザード検出器５００が設置される場所の部屋の名前もしくは部屋のタイプ、またはハザード検出器５００のための別の名前を手動で入力し得る。
【０１００】
次にさらに図２３を参照して、ステップ８０８と関連付けられる物理的プロセスの別の例が本開示の原理に従って示される。この例によれば、ハザード検出器５００は、「検出器の場所を入力する準備をして下さい」などの音声命令を生成し得る。ここで、ハザード検出器５００は一瞬休止した後、音声の「では次に台所用に押して下さい」を出力し得る。ユーザが「では次に台所用に押して下さい」の命令を聞いた直後にレンズボタン５２０を押した場合または押した時、ハザード検出器５００はその場所を「台所」に設定し得る。しかし、ユーザがレンズボタン５２０を押さない場合は、ハザード検出器５００は音声の「では次に寝室用に押して下さい」を出力し得る。ユーザが「では次に寝室用に押して下さい」の命令を聞いた直後にレンズボタン５２０を押すと、ハザード検出器５００はその場所を「寝室」に設定し得る。このプロセスは、ユーザがハザード検出器５００の特定の設置場所を選択するまで継続し得ることが考えられる。そのような可聴コマンドが例示目的で与えられ、同じまたは異なる命令を通信するために用いられ得る無限の数の語および語の組合せが存在する。
【０１０１】
次に再び図８を参照して、例示的な方法８００のステップ８１０において、ユーザは、ハザード検出器５００の識別された場所に基づいてハザード検出器５００について勧められる設定を助言され得る。ハザード検出器５００のいくつかの特徴は場所によっては望ましくない場合があり、それらの場所に設置されると、ハザード検出器５００はそれらの特徴のうちの１つ以上が不能化される、制限された動作モードになり得る。たとえば、ガレージはＣＯ検出器を配置するのに推奨されない場所であると考えられる。しかし、ガレージは熱検出器を配置するのに推奨される場所であるとさらに考えられる。したがって、次にさらに図２５を参照して、ステップ８０８においてユーザが「ガレージ」を場所として入力すると、次にステップ８１０に従って、アプリケーション１０１２はユーザにメッセージ１０４６を与え、ＣＯ検出はガレージ内で推奨されないことをユーザに通知し、制御要素１０４７を介してＣＯ検出機能をオフにするオプションをユーザに与え得る。
【０１０２】
図２６は、ハザード検出器５００の識別された場所に基づいてハザード検出器５００について勧められる設定を提供するアプリケーション１０１２の別の例を示す。ここで、アプリケーション１０１２は、ハザード検出器５００の場所について勧められる設定のリスト１０４８を提供する。示されるように、アプリケーション１０１２は、煙検出、熱検出、および常夜灯機能はオンにするが、このシナリオにおけるハザード検出器５００はガレージに設置することが意図されているため、ＣＯ検出を不能化することを勧め得る。ユーザは、終了ボタン１０４４を押すことによってこれらの勧められる設定を受付けてもよいし、またはユーザは、オフとオンとをトグルするためのリストされた設定の各々の隣の制御またはボタン１０５０の特定のインスタンスを押すことによって、勧められる設定を変更し、その後、設定がユーザの好みに合うとボタン１０５０を押してもよい。
【０１０３】
図２７は、ハザード検出器５００の識別された場所に基づいてハザード検出器５００について勧められる設定を提供するアプリケーション１０１２のさらに別の例を示す。この例では、ハザード検出器５００は常夜灯機能についてのデフォルト設定がオフである場合は「子供の寝室」に設置されており、オンは煙検出、ＣＯ検出、および熱検出についてのデフォルト設定である。光が睡眠中の人々または子供を起こさないように、常夜灯はオフに設定される。しかし、リビングルームおよび台所などの他の部屋については、常夜灯機能についてのデフォルト設定はオンであり得る。
【０１０４】
次に再び図８を参照して、例示的な方法８００のステップ８１２において、ハザード検出器５００の場所に基づいてハザード検出器５００について勧められる設定を助言されたことに応答して、ユーザは、その特徴がオンおよびオフになるそれらの選択を入力し得る。図２５に関連して上述したように、ＣＯ検出はガレージ内には勧められないと助言されたことに応答して、ユーザは、制御要素１０４７を押して、ＣＯ検出機能をオフにするか
否かの質問に対してイエスまたはノーを答え得る。イエスまたはノーを選択した後、ユーザはボタン１０４４を押して選択を送信し得る。図２６〜図２７に関連して上述したように、ある場所について勧められる機能のリスト１０４８が呈示されたことに応答して、ユーザは特定のボタン１０５０を押して、ユーザがどの特徴をオフまたはオンにしたいかを選択し得る。ユーザは次にボタン１０４４を押して選択を入力し得る。
【０１０５】
例示的な方法８００のステップ８１４において、ハザード検出器５００が、そのセンサの１つ以上が妨害されるなどの、悪いまたは好ましくないまたは非最適な場所に設置されていないか設置されないことを確実にするためのテストが行なわれ得る。この例では、ハザード検出器５００は、その超音波センサ（単数または複数）を活用して、壁、天井、床、および／または部屋の中に位置する他の物体に対するその位置を求める自己テストを実行し得ることが考えられる。たとえば、ハザード検出器５００はその超音波センサ（単数または複数）を用いて、ハザード検出器５００が、部屋の占有の検出を含む、部屋の状態を監視するための妨害されないアクセスを有しない、隅の奥深くにまたは障害物の後ろに位置しているか否かを「見る」ことができる。一例では、ハザード検出器５００は、その超音波センサを用いて、特定の壁が、たとえば５フィートまたは数メートルなどの予め定められた距離内にあるか否かを検出することによって、ハザード検出器５００が隅の奥深くにあるか否かをテストし得る。
【０１０６】
次にさらに図２８を参照して、ステップ８１４と関連付けられる物理的プロセスの例が本開示の原理に従って示される。この例では、ハザード検出器５００が、自身がハザード状態を最適に検出することができる良好な場所に自身が設置されているか否かをテストする準備ができていることを説明するためのインターフェイスがモバイル機器２３０上のアプリケーション１０１２においてまたはアプリケーション１０１２によって提供され得る。ここで、ユーザはボタン１０５２を押してテストを開始し得ると考えられる。また、図２８に示されるように、ハザード検出器５００は可聴メッセージ「ボタンを押して私の場所をテストして下さい」を出力し得る。これに応答して、特定の個人ユーザはレンズボタン５２０を方向１０１０に押してテストを開始し得る。ハザード検出器５００の位置がたとえば壁などの物体に近すぎるためにテストが失敗した場合、アプリケーション１０１２はメッセージを表示し得、および／またはハザード検出器５００は音声および／または視覚合図またはメッセージを出力して、ハザード検出器５００が壁などの物体に近すぎる可能性があることを示し得、さらに、ハザード検出器５００の別の設置位置または場所への再配置を勧め得る。
【０１０７】
次に再び図８を参照して、例示的な方法８００のステップ８１６において、システム２３６（図２参照）はハザード検出器５００のセットアップおよびペアリングを確認し得る。たとえば、ステップ８１６において、アプリケーション１０１２は、ステップ８０４で生成されたペアリング関連付け、ならびにステップ８０８および８１２でなされたセットアップ選択が成功であったことを確認する音声および視覚合図または確認メッセージの一方または両方を提供し得る。次にさらに図２９を参照して、ステップ８１６と関連付けられる物理的プロセスの例が本開示の原理に従って示される。ここで、アプリケーション１０１２は、ハザード検出器５００についてのセットアップが完了しているという確認を提供するために画面を表示または出力し得る。ハザード検出器５００はさらに、対応する音声および／または視覚インジケータを生成し得る。たとえば、図２９に示されるように、ハザード検出器５００は、「子供の寝室」がステップ８０８で選択された場所である場合は以下の出力「子供の寝室のデバイスの準備完了」を生成し得る。代替的に、ハザード検出器５００は、成功した関連付けの他の音声および／または視覚確認を生成してもよい。これらの確認は、ハザード検出器５００がシステム２３６上のオンライン管理アカウントにおいて選択された場所と関連付けられたことを表わし得る。ユーザは次に続行ボタン１０５２をタップして、確認画面を見たことを確認し得る。ハザード検出器５００のセット
アップを完了するために付加的なステップが必要とされ得るが、ユーザは依然として、ハザード検出器５００が適切に機能していることを確かめるための付加的なステップを進めてもよい。
【０１０８】
ある例では、例示的な方法８００のコンテキストで述べたようなアプリケーション１０１２において与えられる入力は、スピーチ認識、エアジェスチャ、アイトラッキングおよび瞬き検出および／または他の入力手段を用いて達成され得る。ここでも上記のように、方法８００はパーソナルコンピュータまたは任意の他のコンピューティングデバイスを介してまたはこれによってアクセスされるウェブページにおいて生じてもよい。さらに、ハザード検出器５００とモバイル機器２３０との間の通信はＷｉＦｉ上で起こると上に説明したが、ハザード検出器５００およびモバイル機器２３０の両方によってサポートされる他の無線プロトコルでもよい。また、ハザード検出器５００によって生成される限られた数の視覚および音声インジケータを上に説明したが、例示的な方法８００の間にハザード検出器５００によって他のインジケータも生成されてもよい。
【０１０９】
本開示の原理によれば、住宅などの環境における警報状態を検出して当該状態をユーザに警告するための「警報状態検出および通知」サービスが提供される。より特定的には、ハザード検出器５００はたとえば、そのセンサから得られた情報に基づいて警報状態を検出し、ユーザまたは顧客が知覚可能な対応する警報を与え得る。一般に、警報状態はたとえば２つのカテゴリ、すなわちハザード前状態および深刻なハザード状態に分類され得る。深刻なハザード状態は、環境における状態が環境における個人の健康および安全に危険であることをセンサデータが示す状況を含み得る。しかし、ハザード前状態は、センサデータが深刻なハザード状態をサポートするほど十分に「強く」ないが、センサデータが、ハザード前状態が環境に存在し得ること、および、ユーザが状態を調査して、ハザード前状態が深刻なハザード状態にエスカレートするのを防止するための修復対策が正当化されるか否かを評価できるように、ユーザに通知することが有益であり得ること、を示唆するのに十分である状況を含み得る。
【０１１０】
述べられるように、ハザード検出器５００は、警報状態が環境に存在すると判断すると、ユーザに警告を与え得る。煙関連の例では、ハザード検出器５００は、煙についての警報状態が環境に存在することを示す、煙についての警告を与え得る。一例では、ハザード検出器５００は、そのセンサから得たデータに基づいて、環境における状態が、煙閾値、湿度閾値、ＣＯ閾値、および温度閾値のうちの１つ以上を含む１つ以上の予め定められた閾値に達したかこれらを超えたことをハザード検出器５００が観察すると、煙についての警報状態が存在すると判断し得る。特定の例では、ハザード検出器５００は、環境における煙レベルが、たとえば連続３０秒間にわたる０．５の遮蔽性などの煙についての閾値傾向を超えると、煙についての警報状態が存在すると判断し得る。別の煙関連の例では、ハザード検出器５００は、環境における煙レベルが煙についての閾値傾向を超え、環境の湿度レベルが低下していると、煙についての警報状態が存在すると判断し得る。他の例では、ハザード検出器５００は、環境のＣＯレベルが、たとえば一時的にＣＯ＞７０であるなど、ＣＯについての閾値を超えると、または環境の温度が、たとえば環境の温度が最近の３分間で１０°Ｆ上昇するなど、温度についての閾値傾向を超えると、煙についての警報状態が存在すると判断し得る。
【０１１１】
ＣＯ関連の例では、ハザード検出器５００は、ＣＯについての警報状態が環境に存在することを示す警報を与え得る。この例では、ハザード検出器５００は、そのセンサからのデータに基づいて、環境における状態が、ＣＯについての警報状態が存在するか否かを判断するために用いられる１つ以上の予め定められた閾値に達したかこれらを超えたことをハザード検出器５００が観察すると、ＣＯについての警報状態が存在すると判断し得る。一例では、ハザード検出器５００は、ＣＯについての警報状態が存在すると判断し、次に
、そのＣＯセンサが、ＣＯ濃度が連続３０秒間５０ｐｐｍを超える、またはＣＯ濃度が３分間の後に３００ｐｐｍを超える、などの、ＣＯについての閾値傾向よりも高いＣＯレベルをそのＣＯセンサが観察すると、対応する警報を与え得る。ある例では、二次関数などのべき法則関数が、ＣＯについての閾値傾向をモデル化するために用いられ得る。例示的な二次関数では、時間は独立変数でありＣＯレベルは従属変数である。特定の時間に、環境のＣＯレベルが、その特定の時間について二次関数によって与えられるＣＯレベルを超えると、ハザード検出器５００はＣＯについての警報状態が存在すると判断し得る。他の例も可能である。
【０１１２】
熱に関連した例では、ハザード検出器５００は、熱についてのハザード前状態が環境に存在することを示す予警報を与え得る。この例では、ハザード検出器５００は、そのセンサからのデータに基づいて、環境における状態が、熱についてのハザード前状態が存在するか否かを判断するために用いられる１つ以上の予め定められた閾値に達したかこれらを超えたことをハザード検出器５００が観察すると、熱についてのハザード前状態が存在すると判断し得る。一例では、ハザード検出器５００は、熱が９０°Ｆを超えるなどの、その熱センサが熱についての閾値よりも高い熱レベルを観察すると、熱についてのハザード前状態が存在すると判断し得、対応する予警報を与える。別の例では、ハザード検出器５００は、温度が６０秒間に少なくとも１２°Ｆ上昇したなど、その熱センサが熱についての閾値傾向よりも高い熱レベルを観察すると、熱についてのハザード前状態が存在すると判断し得、その後、対応する予警報を与え得る。
【０１１３】
さらに別の例では、ハザード検出器５００は、温度が９０°Ｆを超え、温度が６０秒間に少なくとも１２°Ｆ上昇したなど、その熱センサが熱についての閾値および閾値傾向よりも高い熱レベルを観察すると、熱についてのハザード前状態が存在すると判断し得、その後、対応する予警報を与え得る。区分一次関数などの一次関数を用いて熱についての閾値傾向をモデル化してもよいことを認識すべきである。例示的な一次関数では、時間は独立変数であり温度は従属変数である。特定の時間に、環境の温度が、その特定の時間について一次関数によって与えられる温度を超えると、ハザード検出器５００は熱についてのハザード前状態が存在すると判断し得る。
【０１１４】
全体にわたって論じられるように、本開示のハザード検出器５００は、「ヘッズアップ（heads-up）」能力とも称され得る予警報発生または予警報能力を提供し、検出されているタイプのハザードと一致する読取が高いが、それらの読取はまだ実際のまたは深刻な警報状態と一致するレベルに上昇していないハザード前状態が検出されたという警告をユーザに与え得る。予警報またはヘッズアップ状態の例は、高くなっているが標準的な非常一酸化炭素警報を鳴らすのを正当化するほど十分高くない一酸化炭素の読取、または、高くなっているが標準的な非常煙警報を鳴らすのを正当化するほど十分高くない煙レベルの読取を含み得るが、これらに限定されない。
【０１１５】
ヘッズアップ状態が検出されると、ハザード検出器５００は、聞こえる範囲にいる人物に予警報状態を可聴的に通知する、可聴の、しかし耳をつんざくほどではない「予警報」または「ヘッズアップ」メッセージを鳴らすか出力し得る。ある例では、音声予警報メッセージは、赤色もしくは黄色などの関連色の変調された光、および／またはハザード検出器５００の光リング５２２を介して出力される時空間光パターンを伴い得る。寝室に設置されたハザード検出器のための煙の予警報レベルのコンテキストで提供され得るそのような可聴メッセージの一例は、ベルまたはベルのような音の後に、音声メッセージ「ヘッズアップ。寝室に煙があります」が続き得る。ある例では、たとえば個人ユーザが寝室に行って灰皿にあった煙草をもみ消し、その行為が煙をなくすのに成功した場合など、予警報状態がなくなるか和らぐと、ハザード検出器５００は次に、「寝室のまたは寝室からの煙がなくなりました」などの、予警報状態がなくなったことを可聴的に助言し得る。予警報
状態が実際のまたは深刻な警報状態にエスカレートした場合は、耳をつんざくような警報が鳴り、場合によっては、点滅する赤色光などの、光リング５２２を介して出力される非常表示ハロー光を伴い、さらに、警報同士の間のいずれかの法律で義務付けられているまたは法律で認められている静寂期間中に、「非常事態。寝室に煙があります、今すぐ出て下さい」などの声または音声警報を伴い得る。他の例も可能である。
【０１１６】
いくつかの例によれば、ユーザはハザード検出器５００を「消音」して、ハザード検出器５００に「予警報発生」を停止させ、環境の監視を継続させ得る。ハザード検出器５００が「消音されている」または静かにされている間、ユーザは、示されたハザード前状態が実際に存在するか否かを調査して、必要な修復対策を取り得る。しかし、ハザード前状態が持続する場合は、ハザード検出器５００は、ハザード前状態が依然として存在することを示す別の予警報を与え得る。さらに、ハザード検出器５００は、ハザード前状態が深刻なハザード状態にエスカレートした場合、深刻なハザード状態が存在することを示す「正規の」または「非常」または「深刻なハザード警報」を与え得る。ある例では、ハザード検出器５００が深刻なハザード状態が存在するか否かを判断する際に用いる閾値は、ＵＬ安全基準にまたは少なくともこれに基づいて設定される。一般に、それらの閾値は、全体にわたって論じられるように「予警報」または「ヘッズアップ」閾値と同様の態様で調整または修正され得る。しかし本開示はそのように限定されない。たとえば、ある例では、ハザード検出器５００が深刻なハザード状態が存在するか否かを判断する際に用いる閾値、すなわちＵＬ安全基準にまたは少なくともこれに基づいて設定される閾値は、場合によっては実装固有詳細に基づいて、全体にわたって論じられるような「予警報」または「ヘッズアップ」閾値と同様の態様で調整または修正され得る。
【０１１７】
例によれば、ハザード前状態を示す予警報は、ハザード前状態についての詳細を与える。たとえば、ハザード検出器５００および／またはシステム２３６は、状態についての詳細を述べるメッセージをモバイル機器２３０に送信し得る。１つの特定の例では、メッセージは「貴方の家のＣＯレベルが過去２週間で２０パーセント増加しました。専門家に貴方の家を検査してもらって原因を突止めるのがよいかもしれません」を含み得る。さらにたとえば、住宅内のハザード検出器５００および／または他のスマートデバイスは、たとえばユーザインターフェイスまたは壁もしくは天井上への投影を介して、同様の可聴告知を行うか、同様に書かれたメッセージを表示し得る。
【０１１８】
例によれば、予警報状態が存在するか否かを判断するためにハザード検出器５００によって用いられる煙閾値、ＣＯ閾値、熱閾値等の閾値は、ハザード検出器５００が位置している場所に少なくとも一部基づいて調整または設定される。たとえば、台所における予警報状態を検出するために台所内に位置している特定のハザード検出器５００によって用いられる閾値は、寝室における予警報状態を検出するために寝室内に位置している特定のハザード検出器５００によって用いられる閾値とは異なり得る。たとえば、台所内に位置しているハザード検出器５００によって用いられる閾値は、台所に一般的な煙レベルを考慮することによって、台所で起こる通常の調理行為に起因する煙に対するハザード検出器５００の感度を低下させ、ハザード検出器５００が望ましくない予警報を生じる可能性を低下させ得る。望ましくない予警報を減少させることは、ハザード検出器５００が位置している場所に基づいて閾値を調整または設定することによって提供される１つの顕著な利点である。
【０１１９】
次に図３０を参照して、予警報状態が存在するか否かを判断するためにハザード検出器によって用いられる１つ以上の閾値を設定する例示的な方法３０００が示される。この例では、閾値は、住宅または住居内の特定のハザード検出器５００の場所に基づいて設定される。ステップ３００２に示されるように、例示的な方法３０００は一般に、ハザード検出器５００が場所情報を受信すると開始する。一例では、場所情報は、ハザード検出器５
００を設置するプロセス時に個人によって提供され得る。たとえば、ユーザは、住宅または住居内のハザード検出器５００の場所を示すユーザ入力をハザード検出器５００に与え得る。たとえば、ユーザ入力は、ハザード検出器５００が位置している寝室、台所、ガレージ等の部屋または領域の名前またはタイプを示し得る。
【０１２０】
ハザード検出器５００の場所を示すそのようなユーザ入力をハザード検出器５００が受信する例を図２３〜図２４に示す。たとえば、モバイル機器２３０上で実行されるアプリケーション１０１２は、ユーザがハザード検出器５００の場所を入力することを可能にするユーザインターフェイスを提供し得る。それを行うために、ユーザはリストオブジェクト１０４０と対話して、リストオブジェクト１０４０上に含まれる部屋のタイプのリストをスクロールアップまたはダウンさせ、部屋のタイプのうちの１つを選択フィールド１０４２に入れることができる。所望の部屋のタイプが選択フィールド１０４２内に現われると、ユーザは終了ボタン１０４４を選択して、住宅内のハザード検出器の場所を示すユーザ入力を提出し得、モバイル機器２３０は次に当該情報をハザード検出器５００に送信し得る。
【０１２１】
ステップ３００４において、ハザード検出器５００の場所と一致する予め定められた閾値がアクセスされ得る。この例では、ハザード検出器５００が検出閾または閾値を設定するために用い得る予め定められた閾値を含むデータが提供され得、ハザード検出器５００はそれを用いて、ハザード検出器５００が設置される場所に、とりわけ、煙、ＣＯ、および熱についての予警報状態が存在するか否かを判断する。予め定められた閾値は場所に基づいて異なる。たとえば、煙についての予警報状態が育児室に存在すると判断するための閾値は、煙についての予警報状態が台所に存在するとを判断するための閾値よりもかなり感知可能であるように設定され得る。これは、親は、育児室では少量の煙であってもヘッズアップ警報を有することを望むが、台所ではある程度の煙が予測されるため、かなり多い煙がない限り台所では予警報によって邪魔をされたくないであろうという事実と一致する。
【０１２２】
ある例では、予め定められた閾値および対応場所を有するデータがハザード検出器５００上に局所的に記憶される。たとえば、データは、ハザード検出器５００上のメモリに記憶されたルックアップテーブルであり得る。したがって、予め定められた閾値にアクセスするために、例示的な方法３０００のステップ３００４によれば、ハザード検出器５００はローカルメモリに記憶されたルックアップテーブルにアクセスし得る。他の例では、このデータは、システム２３６などのリモートサーバにまたはリモートサーバ上に記憶され得る。これらの例によれば、ハザード検出器５００は、予警報閾値をネットワーク通信を介してサーバから受信することによって、当該閾値を得ることができる。たとえば、ハザード検出器５００は、ネットワーク接続を介して、たとえばシステム２３６などのサーバに、ユーザによって入力された部屋のタイプを含む照会メッセージを送信し得る。メッセージを受信すると、サーバは、部屋のタイプおよび対応する予警報閾値を有するデータにアクセスして、部屋のタイプと一致する予警報閾値を識別し得る。サーバは次に、応答メッセージにおいて識別された予警報閾値をポピュレートし、そのメッセージをハザード検出器５００に送信し返し得る。ここで、ハザード検出器は、ネットワーク接続を介して、部屋のタイプと一致する予警報閾値を含む応答メッセージをサーバから受信し得る。ステップ３００４に従って予め定められた閾値および対応場所を有するデータにアクセスすると、例示的な方法３０００は、場所情報と一致する予め定められた閾値をアクセスデータ内で識別するためのステップ３００６に進み得る。
【０１２３】
引続き図３０を参照して、方法３０００は次に、ハザード検出器５００の閾値を、ハザード検出器５００の場所と一致する識別された予め定められた閾値に等しく設定するためのステップ３００８に進み得る。例によれば、ハザード検出器５００は、煙、ＣＯ、およ
び熱についての予警報状態を検出するために自身が用いるそれぞれの閾値を、ステップ３００６に従って識別された、対応する予め定められた閾値に等しく設定し得る。さらなる例によれば、ハザード検出器５００は、ハザード検出器５００がガレージ内に位置していない場合でもガレージ内のＣＯを含む予警報状態を検出するために、履歴ＣＯデータに基づいて動的に調整可能な予警報を自動的に作成し得る。ＣＯ検出器は典型的に、車によって生じる高レベルのＣＯに起因する高頻度の誤警報のため、ガレージには勧められない。しかし、ガレージにＣＯ検出を提供するのが有益であり得ると考えられる。
【０１２４】
ガレージに上記ＣＯ検出を提供するために、ハザード検出器５００は、自身が検出したＣＯデータの履歴ログを記録し得る。このログはハザード検出器５００自体上に局所的に記憶され得るか、またはそれはシステム２３６において記憶され得る。ハザード検出器５００のまたはシステム２３６のプロセッサは、１つ以上のアルゴリズムをＣＯデータのログに適用して、１台以上の自動車が近くで定期的に発進されることをデータが示すか否かを判断し得る。たとえば、アルゴリズムは、急速に消散する散発的なＣＯスパイクを検出し得、ＣＯレベルの増加量および検出したＣＯが消散するのに掛かる時間に基づいて、ハザード検出器５００またはシステム２３６は、スパイクは発進されてから走り去った車に起因すると推論し得る。車が定期的に発進されて走り去るというこの推論を行なった後、ハザード検出器５００は、ＣＯがスパイクするがスケジュールまたは公知のプロファイルに従って消散しないインシデントを観察し得る。次に、ハザード検出器５００は、増加ＣＯレベルが深刻なハザード状態を、または普通の状況下のハザード前状態でさえも正当化するのに十分高くない場合でも、ＣＯについてのハザード前状態が存在すると判断し得る。
【０１２５】
次に再び図１を参照して、図１に関連して上述したように、図１は、ハザード検出器５００などの特定のスマートハザード検出器であって、それ自体が、当該検出器を設置場所に設置するプロセス時にガイドとして機能し得るスマートハザード検出器の例示的な実現を示し、さらに、特定のスマートハザード検出器の設置場所が、スマートハザード検出器のさまざまな設定が経時的にどのように定義および調整されるかにおいて中心的役割を果たし得ることを示す。特にステップ１０２において、スマートハザード検出器の住居内の設置場所を識別する入力が、特定のスマートハザード検出器に、またはたとえばスマートハザード検出器にもしくはスマートハザード検出器と通信可能に結合された装置もしくはシステムに提供または供給され得る。設置場所の例は、たとえば特定の住居のまたは住居内の「廊下」または「リビングルーム」または「ガレージ」を含み得る。
【０１２６】
そのような特徴またはステップは、ある例では、複数の特徴と、複数の特徴のうちの予め定められたものを可能化または不能化されると規定するデフォルト構成プロファイルとを有するハザード検出器を構成するための方法を可能にし得る。例示的なデフォルト構成プロファイルは表１に関連して以下に図示および記載されており、対象の例示的な方法は、全体にわたって論じられるのと同様の態様で、ユーザが住居内のハザード検出器を設置するための指定場所を入力する機会を提供するステップ１０２ａ、すなわち、たとえば図１のステップ１０２のサブステップを含むか備え得る。
【０１２７】
方法は、付加的に、または代替的に、指定場所を受信したことに応答して、指定場所に基づいて可能化または不能化すべき複数の特徴のうちの少なくとも１つの特徴を識別するステップ１０４ａ、すなわち、たとえば図１のステップＳ１０４のサブステップと、少なくとも１つの特徴を識別したことに応答して、ハザード検出器の複数の特徴のうちの少なくとも１つの特徴を可能化または不能化するコマンドをインスタンス化するステップ１０４ｂとを含むか備え得る。「に応答して」という語句は、全体にわたって論じられるいくつかの例においては、明示的な手動のユーザ入力なしでハザード検出器５００などのコンピュータシステムまたは装置によって自動的に、または自動化プロセスの一部として実現
および／または実行される本開示のステップ（単数もしくは複数）および／または特徴（単数もしくは複数）を指すかそうでなければ指定し得る。他の例も可能である。
【０１２８】
さらに、一例として、言及した複数の特徴は煙検出特徴および一酸化炭素検出特徴を含み得、言及したデフォルト構成プロファイルは、指示を含み得、ならびに／または煙検出特徴および一酸化炭素検出特徴の両方を可能化されるか起動されるかオンもしくは準備完了状態等にされると規定し得、言及した指定場所が、一酸化炭素検出が推奨されないか勧められないなどの予め定められたタイプの場所である場合は、一酸化炭素検出特徴はハザード検出器によって不能化され得る。そのようなタイプの場所の例は、ガレージタイプの場所を含み得る。有利なことに、ハザード検出器がそのような特定のタイプの場所に設置されると、たとえばガレージ内の車両の（たとえば少なくとも一時的な）開始／走行に起因する一酸化炭素レベルによる、たとえば「ヘッズアップ予警報」などの警報のインスタンス化を防止するか少なくとも最小限にするために、一酸化炭素検出特徴は不能化されるか停止されるかオフまたは待機状態等にされ得る。一般に、ユーザは、この理由および場合によっては他の理由のために、ガレージに設置されたハザード検出器の一酸化炭素検出特徴を不能化することが勧められると助言され得る。他の例も可能である。
【０１２９】
方法は、付加的に、または代替的に、ハザード検出器のメモリに予め記憶された情報にアクセスして、指定場所に基づいて可能化または不能化すべき少なくとも１つの特徴を識別するステップ１０４ｃを含むか備え得る。付加的に、または代替的に、方法は、ハザード検出器から遠隔のデータベースに予め記憶された情報にアクセスして、指定場所に基づいて可能化または不能化すべき少なくとも１つの特徴を識別するステップ１０４ｄを含むか備え得る。有利なことに、そのような実現によって、ハザード検出器は、たとえばネットワーク接続が利用可能である場合に、リモートサーバシステムと交渉して、指定場所に基づいて可能化または不能化すべき少なくとも１つの特徴を識別することが可能となり得る。リモートサーバシステムにおいてまたはリモートサーバシステムによって記憶および／または維持されるそのような情報は、周期的にまたは少なくとも間欠的にリフレッシュまたは更新され得るため、次にハザード検出器には、指定場所に基づいて、可能化／不能化すべき勧められる特徴について最も最近の最新情報が供給され得る。この例では、ハザード検出器のメモリに予め記憶される情報も、次に、ネットワーク接続が一時的にまたは現在利用可能でないインスタンスにおいて周期的にまたは少なくとも間欠的にリフレッシュまたは更新され得る。したがって、ハザード検出器においてまたはハザード検出器によって記憶および／または維持されるそのような情報は、周期的にまたは少なくとも間欠的にリフレッシュまたは更新され得るため、次にハザード検出器は、可能化／不能化すべき勧められる特徴について最も最近の最新情報を有し得る。他の例も可能である。
【０１３０】
方法は、付加的に、または代替的に、複数の特徴のうちの関連付けられた特徴が可能化と不能化との間で切換えられるように、ユーザがデフォルト構成プロファイルにおける特定の設定をオーバーライドする機会を提供するステップ１０４ｅを含むか備え得る。一般に、以下にさらに詳細に記載される以下の表１を参照して、ユーザはたとえば自分のスマートフォンと対話して、たとえばウェブサイトまたはモバイルアプリケーションをナビゲートし、ハザード検出器の特定の特徴を選択的に可能化／不能化し得る。上記の図２６は、複数の特徴のうちの関連付けられた特徴が可能化と不能化との間で切換えられるように、ユーザがデフォルト構成プロファイルにおける特定の設定をオーバーライドするか変更することを可能にし得るユーザインターフェイスの例を示す。有利なことに、そのような実現によって、ユーザは、特定のハザード検出器がどこにまたはどの場所に設置されているか、すなわち指定場所に少なくとも部分的に基づいて、自宅内のハザード検出器の各インスタンスをさらにカスタマイズ化することが可能となり得る。他の例も可能である。
【０１３１】
方法は、付加的に、または代替的に、ハザード検出器のスピーカシステムによって、ハ
ザード検出器を設置するための指定場所の入力の可聴要求を出力し、ハザード検出器の機械的入力装置の作動によって、ハザード検出器を設置するための指定場所の指示を受信するステップ１０４ｆを含むか備え得る。上記の図２４は、そのような実現の例を示す。他の例も可能である。たとえば、方法は、付加的に、または代替的に、ハザード検出器の外部のコンピューティングデバイスに、ユーザインターフェイスを介して、ハザード検出器を設置するための指定場所の入力を促させ、ハザード検出器の外部のコンピューティングデバイスに、指定場所をハザード検出器およびハザード検出器の外部のコンピューティングデバイスの一方に送信させて、指定場所に基づいて可能化または不能化すべき少なくとも１つの特徴を識別するステップ１０４ｇを含むか備え得る。上記の図２３は、そのような実現の例を示す。有利なことに、そのような例示的な実現によって、ユーザはハザード検出器と直接対話し、上記の指定場所に関して入力もしくは仕様を提供することが可能となり得、または可能である場合は、ユーザは自分のスマートフォンと直接対話し、上記の指定場所に関して入力または仕様を与えることが可能となり得る。したがって、ユーザまたは顧客は、上記の指定場所に関して入力または仕様を提供するのにスマートフォンまたはコンピュータへのアクセスさえも必ずしも有さなくてもよい。さらに他の例も可能である。
【０１３２】
方法は、付加的に、または代替的に、住居の特定の領域特有場所の指定を受信し、指定に基づいて可能化または不能化すべき複数の特徴のうちの少なくとも１つの特徴を識別し、ハザード検出器の複数の特徴のうちの少なくとも１つの特徴を可能化または不能化するコマンドをインスタンス化するステップ１０４ｈを含むか備え得る。この例では、「領域特有」という語句は、政治的境界、地理的境界、それらの１つ以上の「サブセット」、またはその他のタイプもしくは形態の境界設定のうちの少なくとも１つを指し得る。たとえば、住居の特定の領域特有場所の指定は、「アメリカ合衆国西海岸」または「カリフォルニア」または「ベイエリア」等を含み得る。他の例は、９４１２４などの郵便番号、太平洋標準時刻などのタイムゾーン、特定の番地、および／またはそれらのいずれかの組合せを含み得る。多くの他の例が可能であり、そのような実現によって有利なことに、ハザード検出器に、関連の「領域特有」情報を供するか提供することが可能となり得、当該情報は次に何らかの方法でユーザまたは顧客に伝達され得ることが考えられる。たとえば、国立気象サービスの警報、アンバーアラート、夏時間設定等と関連付けられる情報が、１つ以上の非局在化サーバシステムによって集約され、次に、ユーザまたは顧客に、特に関連した情報であると考えられ得るものが通知され得るように、ハザード検出器および／または特定のスマートフォンにプッシュダウンされ得る。たとえば、「悪天候が貴方の家に近づいています」などの音声合図がハザード検出器によって出力され得、同時に、同じことを述べている電子メールまたはテキストメッセージなどがそれらのスマートフォンに送信され得る。さらに多くの他の例も可能である。
【０１３３】
上記のように、本開示は、ハザード検出目的を提供するためのシステム、装置、方法、および関連のコンピュータプログラム製品に、またはこれらに対して向けられる。したがって、図１のステップ１０４に関連して述べた例示的な実現は多くの形態を取り得る。たとえば、ハザード検出器は、１つ以上の警報機能および１つ以上の家庭生活向上機能を含む複数の統合特徴と、複数の統合特徴と作動的通信状態における処理システムとを含むか備え得、処理システムは、ハザード検出器を設置するための住居内の特定の場所を指定するユーザベースの入力に応答して、少なくとも１つの統合特徴を第１のステータスから可能化ステータスおよび不能化ステータスの一方に切換え、その指示はユーザインターフェイスを介して勧告として出力されることが考えられる。
【０１３４】
ユーザインターフェイスを介して勧告として出力される指示の例は、少なくとも図２５および図２６に関連して上に図示および説明される。例示的な処理システムは、少なくとも図３２および図３３に関連して以下に図示および説明される。さらに、複数の統合特徴
は、一酸化炭素検出特徴、モーション起動式の照明特徴、ドアベル通知特徴、インターコム通信特徴、音声コマンド認識特徴、ガラス破壊認識特徴、救難音声認識特徴、占有検出特徴、および停電通知特徴から選択され得るが、これらに限定されないと考えられる。以下の表１はそのような例示的な特徴の要約を提供しており、とりわけ、そのような特徴の例示的なデフォルトまたは「アウトオブボックス」設定、および部屋特有（設置）単位で項目化されたそのような特徴の「勧められる」設定の例を示す。
【０１３５】
【表１】
2019091489.tif 000003
【０１３６】
表１は例示目的に過ぎない。表１において、レ点の記号は「オン」を表わし、「Ｘ」は「オフ」を表わし、「デフォルト」行は、列内に項目化されている、たとえばハザード検出器５００などの本開示のハザード検出器の特徴の例示的なデフォルトまたは「アウトオブボックス」設定を示し、他の行は、部屋のタイプに特有の単位で項目化された特徴の例示的な「勧められる」設定を示す。特に列を参照して、列１「ＳＫ」は煙検出特徴を表わし、列２「ＣＯ」は一酸化炭素検出特徴を表わし、列３「ＭＬ」は動作通路照明または「通路灯」特徴を表わし、列４「ＤＬ」はドアベル通知特徴を表わし、列５「ＩＣ」はインターコム通信特徴を表わし、列６「ＶＲ」は音声コマンド認識特徴を表わし、列７「ＯＡ」は「占有されている場合は警報」特徴を表わし、列８「ＧＢ」はガラス破壊マイクロフォン特徴を表わし、列９「ＯＤ」は「占有検出を不能化」特徴を表わし、列１０「ＢＣ」は「赤ちゃんが泣いている場合は通知」特徴を表わし、列１１「ＰＯ」は「停電の場合は通知」特徴を表わし、列１２「ＩＡＱ」は屋内の空気品質特徴を表わす。そのような特徴は、ハザード検出特徴および利便特徴を表わすことが認識されるであろう。これは、たとえばハザード検出器５００がハザード検出能力および警告を与えるのに加えて、スマートホーム／自動化環境にシームレスに組込まれ得ることが考えられる本開示の原理と一致する。表１に示されるハザード検出器５００の例示的な特徴を、少なくとも図３１に関連してさらに詳細に述べる。
【０１３７】
次に再び図１を参照して、図１に関連して上述したように、図１は、ハザード検出器５００などの特定のスマートハザード検出器であって、それ自体が、当該検出器を設置場所に設置するプロセス時にガイドとして機能し得るスマートハザード検出器の例示的な実現を示し、さらに、特定のスマートハザード検出器の設置場所が、スマートハザード検出器
のさまざまな設定が経時的にどのように定義および調整されるかにおいて中心的役割を果たし得ることを示す。特にステップ１０２において、スマートハザード検出器の住居内の設置場所を識別する入力が、特定のスマートハザード検出器に、またはたとえばスマートハザード検出器にもしくはスマートハザード検出器と通信可能に結合された装置もしくはシステムに提供または供給され得る。設置場所の例は、たとえば特定の住居のまたは住居内の「廊下」または「リビングルーム」または「ガレージ」を含み得る。
【０１３８】
そのような特徴またはステップは、ある例では、ヘッズアップ予警報能力と、標準非常警報能力と、検出すべきハザードについての第１のヘッズアップ予警報閾値および検出すべきハザードについての非常警報閾値が含まれるデフォルト構成プロファイルとを有するハザード検出器を構成するための方法を可能にし得る。例示的なデフォルト構成／プロファイルは表１に関連して上に図示および記載されており、対象の例示的な方法は、全体にわたって論じられるのと同様の態様で、ユーザが住居内のハザード検出器を設置するための指定場所を入力する機会を提供するステップ１０２ａ、すなわち、たとえば図１のステップ１０２のサブステップを含むか備え得る。
【０１３９】
方法は、付加的に、または代替的に、指定場所を受信すると、特定の場所の指定に基づいて第２のヘッズアップ予警報閾値を識別するステップ１０６ａ、すなわち、たとえば図１のステップＳ１０６のサブステップと、第２のヘッズアップ予警報閾値および非常警報閾値に従ってハザード検出器を動作させるコマンドをインスタンス化するステップ１０６ｂとを含むか備え得る。他の例も可能である。しかし、この例では、および上に詳細に述べたように、ヘッズアップ予警報は、危険な状態またはシナリオの可能性のより穏やかな警告（たとえば、「ビーッビーッ」という音の後に特定の音声／視覚通知が続く）であると考えられ得るのに対して、標準非常警報は、危険な状態またはシナリオの存在または差し迫った存在を示すより深刻な警告（たとえば、「耳をつんざく」サイレンの後に特定の音声／視覚通知が続く）であると考えられ得る点で、ヘッズアップ予警報は非常警報とは異なる。
【０１４０】
方法は、付加的に、または代替的に、指定場所が、１つ以上の他のタイプの家庭の場所よりも一般に高い検出すべきハザードのレベルと関連付けられると予測されるタイプの家庭の場所と一致する場合、第２のヘッズアップ予警報閾値を第１のヘッズアップ予警報閾値よりも高いレベルに設定するコマンドをインスタンス化するステップ１０６ｃを含むか備え得る。ある例では、１つ以上の他のタイプの家庭の場所よりも一般に高い検出すべきハザードのレベルと関連付けられると予測されるタイプの家庭の場所は、台所タイプの場所およびガレージタイプの場所から選択され得る。しかし他の例も可能である。有利なことに、予警報閾値をそのように上げることによって、ある特定のタイプのハザードが、標準非常警報の出力を必ずしも正当化しない濃度で、一般的である等ということが分かると、ハザード検出器は、そのタイプのハザードに対して警報警告を出力する傾向が低くなり得る。たとえば、台所に設置される特定のハザード検出器の煙検出特徴についての予警報閾値は、「焦げたトースト」からの煙がヘッズアップ予警報を必ずしもトリガしないように、例示的なシナリオにおいて「上げられ」得る。同時に、台所に設置されるハザード検出器の煙検出特徴についての非常閾値は、１つ以上の関連付けられる判断基準がハザード検出器によって満たされていると判断されると仮定して、「焦げたトースト」からの煙よりも重要である可能性が高い「油の火事」からの煙が非常警報をトリガするように、そのままであるか不変であり得る。他の例も可能である。
【０１４１】
方法は、付加的に、または代替的に、指定場所が、検出すべきハザードによる刺激に影響されやすい１人以上の個人がよく訪れると予測されるタイプの家庭の場所と一致する場合、第２のヘッズアップ予警報閾値を第１のヘッズアップ予警報閾値よりも低いレベルに設定するコマンドをインスタンス化するステップ１０６ｄを含むか備え得る。ある例では
、検出すべきハザードによる刺激に影響されやすい１人以上の個人がよく訪れると予測されるタイプの家庭の場所は、寝室タイプの場所または介護者タイプの場所から選択され得る。他の例も可能である。有利なことに、予警報閾値をそのように下げることによって、ある特定のタイプのハザードが、閾値を下げなければ予警報警告を必ずしもトリガし得ない濃度で一般的であるが、それらの濃度は依然として「危険がある」個人に影響し得るか影響する可能性があるということが分かると、ハザード検出器は、その種類のハザードについての予警報警告を出力し得る。たとえば、喘息持ちの子供の寝室に設置される特定のハザード検出器の煙検出特徴についての予警報閾値は、寝室の煙の濃度が最小であるか低いと見なされ得る場合であっても、「焦げたトースト」によって台所から漂ってくる煙がヘッズアップ予警報を依然としてトリガし得るように、例示的なシナリオでは「下げられ」得る。このように、親または保護者は、任意の特定の時間のインスタンスにおいて空気中にあまり煙がない場合であっても子供が煙の影響を受ける前に状況に対処することができるように、十分に警告され得る。他の例も可能である。
【０１４２】
方法は、付加的に、または代替的に、ハザード検出器から遠隔のデータベースに予め記憶された情報にアクセスして、特定の場所の指定に基づいて第２のヘッズアップ予警報閾値を識別するステップ１０６ｅを含むか備え得る。付加的に、または代替的に、方法は、ハザード検出器のメモリに予め記憶された情報にアクセスして、特定の場所の指定に基づいて第２のヘッズアップ予警報閾値を識別するステップ１０６ｆを含むか備え得る。付加的に、または代替的に、方法は、ハザード検出器から遠隔のコンピューティングシステムから第２のヘッズアップ予警報閾値の更新を周期的にまたは間欠的に受信するステップ１０６ｇ、すなわち、たとえば図１のステップ１０６のサブステップを含むか備え得る。有利なことに、そのような実現によって、ハザード検出器は、たとえばネットワーク接続が利用可能である場合に、リモートサーバシステムと交渉して、特定の場所の指定に基づいて第２のヘッズアップ予警報閾値を識別することができ得る。リモートサーバシステムにおいてまたはリモートサーバシステムによって記憶および／または維持されるそのような情報は、周期的にまたは少なくとも間欠的にリフレッシュまたは更新され得るため、次にハザード検出器には、特定の場所の指定に基づいて、第２のヘッズアップ予警報閾値の特定の「値」について最も最近の最新情報が供給され得る。したがって、ハザード検出器においてまたはハザード検出器によって記憶および／または維持されるそのような情報は、周期的にまたは少なくとも間欠的にリフレッシュまたは更新され得るため、次にハザード検出器は、特定の場所の指定に基づいて、第２のヘッズアップ予警報閾値の特定の「値」について最も最近の最新情報を有し得る。他の例も可能である。
【０１４３】
方法は、付加的に、または代替的に、ユーザが第２のヘッズアップ予警報閾値を手動で修正または調整する機会を提供するステップ１０６ｈを含むか備え得る。方法は、付加的に、または代替的に、ユーザインターフェイスを介して、第２のヘッズアップ予警報閾値を修正または調整するための入力を促し、受信したユーザ入力に基づいて第２のヘッズアップ予警報閾値を増加または減少させるコマンドをインスタンス化するステップ１０６ｉを含むか備え得る。図２６および／または図２７の例示的なユーザインターフェイスは、本開示の内容において記載されるようにそのような特徴を可能化するために修正され得ることが考えられる。たとえば、「感度」制御またはボタンなどが、図２６に示されるように「ＣＯ検出」オン／オフボタンまたは制御に隣接してまたは少なくともその近くに位置決めされるか位置し得る。「５分間の監視後の現在の閾値設定は一時的にＣＯ＞＝２００となっています、設定を５０ｐｐｍ単位で増加／減少させるには「増加」または「減少」制御ボタンを押して下さい」などのインジケータまたは指示が呈示され得ることが考えられる。対象のハザード検出器はガレージタイプの場所に設置されるため、機転の利くユーザまたは顧客は、インジケータが「５分間の監視後の現在の閾値設定は一時的にＣＯ＞＝４００となっています、濃度設定を５０ｐｐｍ単位で増加／減少させるには「増加」または「減少」制御ボタンを押して下さい」と示すまで、「増加」制御ボタンを押し得る。こ
のシナリオにおいて予警報閾値を上げることによって、たとえば自動車の発進による不愉快な誤警報が最小化され得る。そのようなアクションが実行されると、最終的にハザード検出器は、この例の対象の予警報閾値がそれに従って上げられるか上昇されるか増加され得るように、その予警報閾値設定を自己調整することができ得ることが考えられる。有利なことに、そのような実現によって、ユーザは、特定のハザード検出器がどこにまたはどの場所に設置されているかに少なくとも部分的に基づいて、すなわち、特定の場所の指定に基づいて、自宅のハザード検出器の各インスタンスをさらにカスタマイズすることが可能となり得る。
【０１４４】
上記のように、本開示は、ハザード検出目的を提供するためのシステム、装置、方法、および関連のコンピュータプログラム製品に、またはこれらに対して向けられる。したがって、図１のステップ１０６に関連して述べた例示的な実現は多くの形態を取り得る。たとえば、ハザード検出器は、少なくとも１つのハザード検出特徴と、少なくとも１つのハザード検出特徴と作動的通信状態における処理システムとを含むか備え得、処理システムは、少なくとも１つのハザード検出特徴が、検出すべきハザードについての第２のヘッズアップ予警報閾値、および検出すべきハザードについての標準非常予警報閾値に従って動作するように、住居内のハザード検出器の特定の設置場所を識別するユーザ入力に応答して少なくとも１つのハザード検出特徴の第１のヘッズアップ予警報閾値を第２のヘッズアップ予警報閾値に調整することが考えられる。
【０１４５】
一例では、第２のヘッズアップ予警報閾値は、第１のヘッズアップ予警報閾値よりも高いレベルに調整され得る。別の例では、第２のヘッズアップ予警報閾値は、第１のヘッズアップ予警報閾値よりも低いレベルに調整される。一例では、少なくとも１つのハザード検出特徴は一酸化炭素検出特徴を含むか備え得る。別の例では、少なくとも１つのハザード検出特徴は煙検出特徴を含むか備え得る。多くの他の例も可能である。さらに、ハザード検出器はさまざまな他のコンポーネントまたは要素のうちのいずれかを含むか備え得ると考えられる。
【０１４６】
たとえば、ハザード検出器は、スピーカおよび／またはマイクロフォンシステムなどの出力装置を含むか備え得る。この例では、ハザードの検出された大きさが第２のヘッズアップ予警報閾値よりも大きいが非常警報閾値よりも小さいと判断されると、第１の音量強度の特定の可聴アラートが出力装置によって生成され得、ハザードの検出された大きさが非常警報閾値よりも大きいと判断されると、第１の音量強度よりも大きい第２の音量強度の別の特定の可聴アラートが出力装置によって生成され得ることが考えられる。そのような実現は、本開示のヘッズアップ予警報と標準非常警報との上記の差異と一致する。特に、ヘッズアップ予警報は、危険な状態またはシナリオの可能性のより穏やかな警告であると考えられ得るのに対して、非常警報は、危険な状態またはシナリオの存在または差し迫った存在を示すより深刻な警告であると考えられ得る点で、ヘッズアップ予警報は標準非常警報とは異なる。しかし、他の警報またはアラートが出力装置によって出力され得ることが考えられる。
【０１４７】
たとえば、一例では、上記のハザードの検出された大きさが増加していると判断されると、特定の可聴アラートが出力装置によって出力され、ハザードの上昇レベルを示し得る。そのような出力の例は、「ＣＯレベルが増加しています。寝室の窓を開けて下さい」を含み得る。他の例も可能である。たとえば、一例では、上記のハザードの検出された大きさが減少していると判断されると、特定の可聴アラートが出力され、ハザードの下降レベルを示し得る。そのような出力の例は、「ＣＯレベルは低下しており、寝室の窓が開いていることが検出されました。もう寝室の窓を閉めても大丈夫です」を含み得る。さらに多くの他の例も可能である。
【０１４８】
次に再び図１を参照して、図１に関連して上述したように、図１は、ハザード検出器５００などの特定のスマートハザード検出器であって、それ自体が、当該検出器を設置場所に設置するプロセス時にガイドとして機能し得るスマートハザード検出器の例示的な実現を示し、さらに、特定のスマートハザード検出器の設置場所が、スマートハザード検出器のさまざまな設定が経時的にどのように定義および調整されるかにおいて中心的役割を果たし得ることを示す。ステップ１０８を参照して、そのような実現によって、ハザード検出器の設置を案内するための方法が可能となり得る。たとえば、方法は、住居内の特定の場所における設置時にハザード検出器によって、ハザード検出器の一時的な配置が、ハザード検出器が仕様内で動作して１つ以上のハザードを検出および／または緩和することを妨げるであろうか否かをテストする入力コマンドを受信するステップ１０８ａ、すなわち、たとえば図１のステップ１０８のサブステップを含むか備え得る。方法は、付加的に、または代替的に、入力コマンドを受信したことに応答してハザード検出器によって、ハザード検出器の一時的な配置が、ハザード検出器が仕様内で動作して１つ以上のハザードを検出および／または緩和することを妨げるであろうか否かを判断するテストシーケンスを実行するステップ１０８ｂを含むか備え得る。方法は、付加的に、または代替的に、ハザード検出器の少なくとも１つのコンポーネントの読取に基づいて、ハザード検出器の一時的な配置が、ハザード検出器が仕様内で動作して１つ以上のハザードを検出および／または緩和することを妨げるであろうと判断されると、ハザード検出器によって、特定の場所における設置時に特定の通知を出力するステップ１０８ｃを含むか備え得る。
【０１４９】
他の例も可能である。しかしこの例では、「一時的な配置」という語句は、ある例では、設置が意図されているハザード検出器の「現在の」または「目下の」位置および／または方位を指し得る。たとえば、ハザード検出器を設置するプロセスの最中にある個人は、ハザード検出器を手に持って、次にハザード検出器を住居の廊下の天井の特定の場所またはスポットに配置または位置決めし得る。しかしこの点で、ハザード検出器は天井に固定または他の方法で締結されていない。しかしそれは、ハザード検出器の一時的な配置においてハザード検出器の設置を完成させるために行なわれてもよい。さらに、「ハザード検出器が仕様内で動作して１つ以上のハザードを検出および／または緩和することを妨げる」という語句またはその変形は、ある例では、ハザード検出器が自身の一時的な配置と一致する位置に固定または他の方法で締結されていない場合に、ハザード検出器の少なくとも１つの機能または特徴が意図した通りに動作または機能できなくなるシナリオを指し得る。たとえば、ハザード検出器が引出しまたはクローゼットに入れられるワーストケースシナリオの場合、ハザード検出器が引出し内の表面に固定または他の方法で締結されていなければ、ハザード検出器の一酸化炭素検出器、煙検出器、周囲光検出器などの特徴は意図した通りに動作し得ない。これは、この例におけるハザード検出器はきつく閉じ込められた空間に設置されるからである。別の例として、ハザード検出器が天井の角に設置される場合、これは、たとえばハザード検出器を任意の特定の壁面から６インチ以上離すという推奨および／または義務付けられる配置に違反し得る。さらに多くの他の例も可能である。
【０１５０】
方法は、付加的に、または代替的に、ハザード検出器の近接センサの読取に基づいて、ハザード検出器の一時的な配置が１つ以上の壁または天井面からの禁止距離内にあると判断し、この判断に応答して、ハザード検出器の一時的な配置が、ハザード検出器が仕様内で動作して１つ以上のハザードを検出および／または緩和することを妨げるであろうことを示す特定の通知を出力するステップ１０８ｄを含むか備え得る。ある例では、近接センサは超音波センサで構成され得る。他の例では、近接センサはＬＥＤ飛行時間レンジファインダで構成され得る。さらに多くの他の例も可能である。しかしこれらの例では、たとえば、ハザード検出器が、その一時的な配置と一致する位置おいて、１つ以上の壁の表面に近すぎるか否かを、近接センサおよび最終的にハザード検出器が判断し得るように、近接センサは、たとえば１０ミリ秒に一度などの問合せパルスを送信し得ることが考えられ
る。このような場合、ハザード検出器は、可聴の「ハザード検出器が壁に近づきすぎて配置されています」および／またはハザード検出器の光リング５２２によって出力されるような視覚的な「点滅する赤色」もしくは「点滅する黄色」シーケンスなどのフィードバックを提供し得る。実際には、ハザード検出器が、１つ以上の壁の表面に近すぎない、またはもはや近すぎない距離にリアルタイムで動かされると、ハザード検出器は、可聴の「ハザード検出器はもはや壁に近すぎません」および／または視覚的な「点滅する緑色」シーケンスもしくは「定常の緑色」の視覚合図などの、付加的なフィードバックを提供し得る。さらに多くの他の例も可能である。
【０１５１】
方法は、付加的に、または代替的に、ハザード検出器の方位センサの読取に基づいて、ハザード検出器の一時的な空間的方位が、ハザード検出器の１つ以上の特徴が意図した通りに動作するのに好適でないと判断し、この判断に応答して、ハザード検出器の一時的な配置が、ハザード検出器が仕様内で動作して１つ以上のハザードを検出および／または緩和することを妨げるであろうことを示す特定の通知を出力するステップ１０８ｅを含むか備え得る。ある例では、方位センサは加速度計で構成され得る。ある例では、方位センサはジャイロスコープで構成され得る。さらに多くの他の例も可能である。しかしこれらの例では、方位センサは、図２４に示されるように基準軸または法線に対して測定されるような＋４５度などの、ハザード検出器の一時的な方位を検出し得、これは、ハザード検出器平坦面上で「上向きに」配置されている時は「０度」と規定され得ることが考えられる。したがって、典型的な設置シナリオでは、ハザード検出器は平坦な天井面に位置決めされると、図２４に示されるように基準軸または法線に対して測定されるような１８０度であると方位センサによって判断され得る。しかし、ハザード検出器またはそのコンポーネントがハザード検出器の方位を定量化するか判断する例示的な方法は例に過ぎない。多くの場合、ハザード検出器自体の方位センサが、ハザード検出器の別の特徴または表面に関して規定される基準のフレームが必要でないか不要であるように較正され得る。
【０１５２】
ある例では、特定の方位が他の方位と比較して好ましい場合がある。たとえば、いくつかの実装固有状況またはシナリオでは、ハザード検出器を、＋４５度またはその許容差範囲内ではなく、１８０度（たとえばほぼ上下逆さま）に設置することがより好ましい場合がある。さらに、上記の例と同様に、ハザード検出器は、可聴の「ハザード検出器が非最適な角度に現在配置されています」および／またはハザード検出器の光リング５２２によって出力されるような視覚的な「点滅する赤色」もしくは「点滅する黄色」シーケンスなどのフィードバックを提供し得る。実際には、ハザード検出器が、より最適なまたは好ましい方位にリアルタイムで動かされるか操作されると、ハザード検出器は、可聴の「ハザード検出器は適切な角度に現在配置されています」および／または視覚的な「点滅する緑色」シーケンスもしくは「定常の緑色」の視覚合図などの、付加的なフィードバックを提供し得ることが考えられる。さらに多くの他の例も可能である。
【０１５３】
方法は、付加的に、または代替的に、ハザード検出器によって検出された一時的な無線信号強度が許容不可の範囲内にあると判断し、この判断に応答して、ハザード検出器の一時的な配置が、ハザード検出器が仕様内で動作して１つ以上のハザードを検出および／または緩和することを妨げるであろうことを示す特定の通知を出力するステップ１０８ｆを含むか備え得る。ある例では、ハザード検出器のＷｉＦｉモジュールまたは無線通信部が、信号強度が、ハザード検出器がローカルネットワークなどとの信頼性のある通信リンクを確立するのに低すぎるか間欠的でありすぎる等と判断し得る。ここで、ハザード検出器は、可聴の「ハザード検出器がホームネットワークに接続できません」および／またはハザード検出器の光リング５２２によって出力されるような視覚的な「点滅する赤色」もしくは「点滅する黄色」シーケンスなどのフィードバックを提供し得ることが考えられる。実際には、ハザード検出器がより最適な方位にリアルタイムで動かされるか操作されると、ハザード検出器は、可聴の「信号強度は良好であり、ハザード検出器はホームネットワ
ークに接続されました」および／または視覚的な「点滅する緑色」シーケンスもしくは「定常の緑色」の視覚合図などの、付加的なフィードバックを提供し得ることが考えられる。さらに多くの他の例も可能である。
【０１５４】
方法は、付加的に、または代替的に、ハザード検出器の特定のハザード検出特徴が、一時的なまたは現在の読取が許容範囲外にあるために許容不可能な範囲内で動作していると判断し、この判断に応答して、ハザード検出器の一時的な配置が、ハザード検出器が仕様内で動作して１つ以上のハザードを検出および／または緩和することを妨げるであろうことを示す特定の通知を出力するステップ１０８ｇを含むか備え得る。ある例では、特定のハザード検出特徴は一酸化炭素検出特徴で構成され得る。ある例では、特定のハザード検出特徴は煙検出特徴で構成され得る。ある例では、特定のハザード検出特徴は周囲光センサ検知特徴で構成得る。ある例では、特定のハザード検出特徴は周囲温度検出特徴で構成され得る。さらに多くの他の例も可能である。しかしこれらの例では、センサまたは感知の過負荷、妨害などのために特定のハザード検出特徴が適切に機能できない場合、ハザード検出器は、可聴の「ハザード検出器の温度センサが適切に機能していません。ハザード検出器は直射日光に当たっていますか？」および／またはハザード検出器の光リング５２２によって出力されるような視覚的な「点滅する赤色」もしくは「点滅する黄色」シーケンスなどのフィードバックを提供し得る。実際には、ハザード検出器が、より最適な方位または位置にリアルタイムで動かされるか操作されると、ハザード検出器は、可聴の「ハザード検出器の温度センサは現在適切に機能しています」および／または視覚的な「点滅する緑色」シーケンスもしくは「定常の緑色」の視覚合図などの、付加的なフィードバックを提供し得ることが考えられる。さらに多くの他の例も可能である。
【０１５５】
上記のように、本開示は、ハザード検出目的を提供するためのシステム、装置、方法、および関連のコンピュータプログラム製品に、またはこれらに対して向けられる。したがって、図１のステップ１０８に関連して述べた例示的な実現は多くの形態を取り得る。たとえば、ハザード検出器は、特定の場所におけるハザード検出器の設置時に、ハザード検出器の一時的な配置が、ハザード検出器が仕様内で動作して１つ以上のハザードを検出および／または緩和することを妨げるであろうか否かをテストする少なくとも１つのコンポーネントと、少なくとも１つのコンポーネントと作動的通信状態における処理システムとを含むか備え得、処理システムは、少なくとも１つのコンポーネントの読取に基づいて、ハザード検出器の設置時のハザード検出器の一時的な配置が、ハザード検出器が仕様内で動作して１つ以上のハザードを検出および／または緩和することを妨げるであろうか否かを判断し、ハザード検出器の一時的な配置が、ハザード検出器が仕様内で動作して１つ以上のハザードを検出および／または緩和することを妨げるであろうと判断されると、通知アラートを出力して、ハザード検出器の設置時にユーザをハザード検出器についての好適な設置場所に案内することが考えられる。この例では、少なくとも１つのコンポーネントは多くの形態を取り得ることが考えられ、その例をここに、かつ少なくとも図３１に関連してさらに詳細に述べる。
【０１５６】
たとえば、一例では、少なくとも１つのコンポーネントは、問合せ超音波の反射に基づいてハザード検出器に近接している少なくとも１つの表面からのハザード検出器の距離を求める超音波センサを含むか備え得る。別の例として、少なくとも１つのコンポーネントは、問合せ光波の反射に基づいてハザード検出器に近接している少なくとも１つの表面からのハザード検出器の距離を求める飛行時間ＬＥＤコンポーネントを含むか備え得る。さらに別の例として、少なくとも１つのコンポーネントは、画像セグメント化および表面認識に基づいてハザード検出器に近接している少なくとも１つの表面からのハザード検出器の距離を求めるビデオカメラを含むか備え得る。そのような実装固有の例では、少なくとも１つの表面からのハザード検出器の距離が予め定められて調節された距離以下であると判断されると、ハザード検出器によって通知アラートが出力され得る。そのような距離は
、たとえば壁面から１２インチ以上などの当局によって義務付けられた距離であり得る。他の例も可能であり、領域特有または国特有の、場合によっては義務付けられた要件に特有であり得る。
【０１５７】
別の例として、少なくとも１つのコンポーネントは、特定の場所がハザード検出器の設置について禁止されたタイプのものであるか否かを判断するＧＰＳコンポーネントを含むか備え得る。この例では、特定の場所が、たとえばガレージまたは物置などの、ハザード検出器の設置について禁止されているか推奨されていないタイプであると判断されると、ハザード検出器によって通知アラートが出力され得る。たとえば、ＧＰＳコンポーネントは、場合によっては、三角測量によって住居内のハザード検出器のおおよその位置または場所を導き出すことが可能であり得るＷｉＦｉモジュールまたは無線通信部などのハザード検出器の１つ以上の他のコンポーネントと連携して、ハザード検出器の意図される設置場所がたとえばガレージまたは物置であると決定し得る。ここで、この判断に基づいて、ハザード検出器は、可聴の「ガレージは最適な設置場所ではありません。ガレージに隣接した廊下がよりよい選択でしょう」および／またはハザード検出器の光リング５２２によって出力されるような視覚的な「点滅する赤色」もしくは「点滅する黄色」シーケンスを出力し得る。例示的なシナリオでは、ハザード検出器がその設置のために「ガレージに隣接した廊下」にリアルタイムで動かされると、ハザード検出器は可聴の「勧められる場所に設置することを決定してくれてありがとうございます」および／または視覚的な「点滅する緑色」シーケンスもしくは「定常の緑色」の視覚合図などの、付加的なフィードバックを提供し得ることが考えられる。さらに多くの他の例も可能である。
【０１５８】
さらに別の例として、ハザード検出器は、ハザード検出器の外部のカメラシステムから、ハザード検出器の一時的な配置が、ハザード検出器が仕様内で動作して１つ以上のハザードを検出および／または緩和することを妨げるであろうか否かの指示を受信する通信インターフェイスなどのさまざまな他のコンポーネントを含むか備え得る。この例では、指示に基づいて、ハザード検出器の一時的な配置が、ハザード検出器が仕様内で動作して１つ以上のハザードを検出および／または緩和することを妨げるであろうと判断されると、ハザード検出器によって通知アラートが出力され得る。たとえば、カメラシステムは、ハザード検出器がクローゼット内に設置されていることを検出し、次に特定の信号をハザード検出器に送信して、ハザード検出器に、可聴の「クローゼットは貴方のハザード検出器の最適な設置場所ではありません。寝室の天井が最適ですが、ハザード検出器が任意の壁面の６インチ以内であるように設置しないで下さい」および／またはハザード検出器の光リング５２２によって出力されるような視覚的な「点滅する赤色」もしくは「点滅する黄色」シーケンスを出力するように促し得る。例示的なシナリオでは、ハザード検出器が、その設置のために「寝室の天井」にリアルタイムで動かされると、ハザード検出器は、可聴の「勧められる場所に設置することを決定してくれてありがとうございます」および／または視覚的な「点滅する緑色」シーケンスもしくは「定常の緑色」の視覚合図などの、付加的なフィードバックを提供し得ることが考えられる。さらに多くの他の例も可能である。
【０１５９】
次に再び図１を参照して、図１に関連して上述したように、図１は、ハザード検出器５００などの特定のスマートハザード検出器であって、それ自体が、当該検出器を設置場所に設置するプロセス時にガイドとして機能し得るスマートハザード検出器の例示的な実現を示し、さらに、特定のスマートハザード検出器の設置場所が、スマートハザード検出器のさまざまな設定が経時的にどのように定義および調整されるかにおいて中心的役割を果たし得ることを示す。ステップ１１０を参照して、そのような実現によって、住居内の特定の場所に設置され、ヘッズアップ予警報能力および標準非常警報能力を有するハザード検出器の予警報閾値を調整するための方法が可能となり得る。たとえば、方法は、特定の期間にわたってハザード検出器の特定のセンサによって検出されたデータを分析して、ハ
ザードレベルが予警報閾値を超えるのに十分であるが非常警報閾値を超えるのには不十分である再発傾向を識別するステップ１１０ａ、すなわち、たとえば図１のステップ１１０のサブステップと、再発傾向のその後のインスタンスの開始を検出すると、ハザード検出器が再発傾向の検出されたインスタンスについて予警報アラートをインスタンス化する可能性が低下するが、再発傾向がない場合、および、検出されるハザードレベルが予警報閾値を超えるのに十分であるが非常警報閾値を超えるのには不十分である場合は予警報アラートをインスタンス化するように、予警報閾値を特定のレベルに上げるステップ１１０ｂとを含むか備え得る。
【０１６０】
他の例も可能である。しかしこの例では、特定の期間は、特定の日の期間、特定の週の期間、特定の月の期間、および特定の年の期間のうちの１つと一致し得る。さらに、ハザード検出器の特定のセンサによって取得される履歴データが分析され、たとえば特定のユーザ活動などを表わし得るおよび／または反映し得るデータ内の再発または反復傾向が識別され得る。たとえば、ハザード検出器の特定のセンサによって取得される履歴データを分析すると、月曜から金曜の毎朝、６：３０ＡＭから７：００ＡＭの間のだいたいいつかに一酸化炭素レベルが適度に増加し、その後、比較的急速に消散すると判断され得る。この例では、一酸化炭素レベルについての当初の予警報閾値は、再発傾向と関連付けられるレベルが予警報アラートをトリガし得るが非常警報をトリガしないように、十分低く設定され得る。ここで、ハザード検出器は、コマンドに応答して、再発傾向が予警報アラートをトリガしないように、予警報閾値を特定のレベルに上げるか増加させ得る。しかし再発傾向がハザード検出器によって検出されず、一酸化炭素レベルが当初の予警報閾値を超えると、レベルは依然として予警報アラートをトリガし得る。
【０１６１】
方法は、付加的に、または代替的に、再発傾向の発生を、ハザード検出器の別の特定のセンサの特定のセンサ読取と相関付け、再発傾向のその後のインスタンスの開始を検出すると、および、別の特定のセンサの一時的なセンサ読取が特定のセンサ読取と一致する場合、予警報閾値を特定のレベルに上げるステップ１１０ｃ、すなわち、たとえば図１のステップ１１０のサブステップを含むか備え得る。この例では、ハザード検出器の別の特定のセンサによって取得される履歴データも、または履歴データは、場合によってはステップ１１０ａの間にまたはステップ１１０ａと同時に、並行して調査または分析され、別の検出可能なイベントが再発傾向の発生と典型的に一致するか否かが判断され得る。たとえば、ハザード検出器の周囲光センサによって取得される履歴データは、ガレージドアを開けることによる光強度または輝度の全体的な増加が、この例では一酸化炭素傾向である再発傾向の発生と典型的に一致することを示し得る。この例では、ハザード検出器による再発傾向の検出、および光強度または輝度の全体的な増加が、ハザード検出器を、予警報閾値を特定のレベルに上げるようにトリガし得る。他の例も可能である。
【０１６２】
方法は、付加的に、または代替的に、再発傾向の発生を、住居内の別の特定の場所に設置される別のハザード検出器の特定のセンサによって検出される特定のハザードレベルと相関付け、再発傾向のその後のインスタンスの開始を検出すると、および、別のハザード検出器の特定のセンサによって検出される一時的なハザードレベルが特定のハザードレベル以上である場合、予警報閾値を特定のレベルに上げるステップ１１０ｄを含むか備え得る。この例では、別のハザード検出器の特定のセンサによって取得される履歴データも、場合によってはステップ１１０ａの間に調査または分析され、別の検出可能なイベントが再発傾向の発生と典型的に一致するか否かが判断され得る。たとえば、別のハザード検出器の占有センサによって取得される履歴データは、リビングルームにいる個人の存在が、ガレージに設置されるハザード検出器によって検出される再発傾向の発生と典型的に一致することを示し得る。この例では、これは、ガレージ内で自分の車が暖まるのを待っている個人に対応し得、この例では一酸化炭素傾向である再発傾向のハザード検出器による検出は、別のハザード検出器の肯定的な占有センサ読取とともに、ハザード検出器を、予警
報閾値を特定のレベルに上げるようにトリガし得る。他の例も可能である。
【０１６３】
方法は、付加的に、または代替的に、再発傾向の発生を、住居に設置されるホームオートメーションシステムの特定の要素の特定のステータスと相関付け、再発傾向のその後のインスタンスの開始を検出すると、および、ホームオートメーションシステムの特定の要素の一時的なステータスが特定のステータスと一致する場合、予警報閾値を特定のレベルに高めるステップ１１０ｅを含むか備え得る。この例では、ハザード検出器はホームオートメーションゲートウェイデバイスに通信可能に結合され得、ホームオートメーションゲートウェイデバイスによって取得される履歴データも、場合によってはステップ１１０ａの間に調査または分析され、別の検出可能なイベントが再発傾向の発生と典型的に一致するか否かが判断され得る。たとえば、ホームオートメーションゲートウェイデバイスによって取得される履歴データは、ガレージドアが開くことが、この例では一酸化炭素傾向である再発傾向の発生と典型的に一致することを示し得る。この例では、ハザード検出器による再発傾向およびガレージドアが開くことの検出が、ハザード検出器を、予警報閾値を特定のレベルに上げるようにトリガし得る。他の例も可能である。
【０１６４】
方法は、付加的に、または代替的に、再発傾向の発生を１日のうちの特定の時間帯と相関付け、再発傾向のその後のインスタンスの開始を検出すると、および、１日のうちのある瞬間がハザード検出器によって１日のうちの特定の時間帯と一致すると判断されると、予警報閾値を特定のレベルに上げるステップ１１０ｆを含むか備え得る。方法は、付加的に、または代替的に、再発傾向の発生を１年のうちの特定の期間と相関付け、再発傾向のその後のインスタンスの開始を検出すると、および、１日のうちのある瞬間がハザード検出器によって１年のうちの特定の期間と一致すると判断されると、予警報閾値を特定のレベルに上げるステップ１１０ｇを含むか備え得る。これらの例では、１日のうちの時間および／または１年のうちの期間などの時間的な局面が、予警報閾値を上げるハザード検出器による決定において役割を果たし得る。
【０１６５】
たとえば、ハザード検出器の特定のセンサによって取得される履歴データを分析すると、月曜から金曜の毎朝、６：３０ＡＭから７：００ＡＭの間のだいたいいつかに一酸化炭素レベルが適度に増加し、その後、比較的急速に消散すると判断され得る。別の例として、ハザード検出器の特定のセンサによって取得される履歴データを分析すると、冬季のみの月曜から金曜の毎朝、６：３０ＡＭから７：００ＡＭの間のだいたいいつかに一酸化炭素レベルが適度に増加し、その後、比較的急速に消散すると判断され得る。これらの例では、６：３０ＡＭから７：００ＡＭの時間帯の間の、および場合によっては１月などの特定の冬季の間の再発傾向のハザード検出器による検出が、ハザード検出器を、予警報閾値を特定のレベルに上げるようにトリガし得る。他の例も可能である。
【０１６６】
上記のように、本開示は、ハザード検出目的を提供するためのシステム、装置、方法、および関連のコンピュータプログラム製品に、またはこれらに対して向けられる。したがって、図１のステップ１１０に関連して述べた例示的な実現は多くの形態を取り得る。たとえば、住居内の特定の場所に設置され、ヘッズアップ予警報能力および標準非常警報能力を有するハザード検出器は、少なくとも１つのセンサと、少なくとも１つのセンサと作動的通信状態における処理システムとを含むか備え得、処理システムは、少なくとも１つのセンサによる、再発傾向のインスタンスの開始の検出に応答して、ハザード検出器が再発傾向の検出されたインスタンスについて予警報アラートをインスタンス化する可能性が低下するが、再発傾向がない場合、および、少なくとも１つのセンサによって検出されるハザードレベルが予警報閾値を超えるのに十分であるが少なくとも１つのセンサと関連付けられる非常警報閾値を超えるのには不十分である場合は予警報アラートをインスタンス化するように、少なくとも１つのセンサと関連付けられる予警報閾値を特定のレベルに上げることが考えられる。そのような特徴は、ステップ１１０ａ〜ｇに関連して上述したの
と同様の理由により有益および／または有利であり得る。本願全体を点検すると理解され得るように、さらに他の例も可能である。
【０１６７】
次に図３１を参照して、ハザード検出器３１０２の動作環境に依存して別個に可能化または不能化され得るさまざまなコンポーネントを有するハザード検出器３１０２を含むシステム３１００の実施形態が示される。一般に、ハザード検出器３１０２は、上に図示および説明したようなハザード検出器５００に対応し得る。ハザード検出器３１０２は、煙検出モジュール３１０４、一酸化炭素検出モジュール３１０６、条件付き照明モジュール３１０８、ドアベル通知モジュール３１１０、インターコム通信モジュール３１１２、音声認識モジュール３１１４、条件付き占有警報モジュール３１１６、ガラス破壊モニタ３１１８、占有検出ディスエイブラー３１２０、赤ちゃん泣き声モニタ３１２２、停電モニタ３１２４、空気品質モニタ３１２６、および無線通信インターフェイス３１２８を含み得る。そのようなコンポーネントの１つ以上は、ハザード検出器３１０２の１つ以上のプロセッサおよび／ハザード検出器３１０２の１つ以上のセンサを用いて実現され得る。
【０１６８】
煙検出モジュール３１０４は、ハザード検出器３１０２の環境における煙を検出するように構成される１つ以上のセンサを表わし得る。煙検出モジュール３１０４は、ハザード検出器の周囲環境における煙レベルが１つ以上の閾値よりも上昇した時を判断するように構成され得る。たとえば、煙検出モジュール３１０４は、周囲環境における煙レベルが予警報レベル（たとえば「ヘッズアップ」）に達した時、およびさらにそれが警報（非常）レベルに達した時を判断し得る。煙検出モジュール３１０４は、ハザード検出器３１０２が設置されると規定されているタイプの場所に依存して可能化または不能化され得る。
【０１６９】
一酸化炭素検出モジュール３１０６は、ハザード検出器３１０２の環境における一酸化炭素を検出するように構成される１つ以上のセンサを表わし得る。一酸化炭素検出モジュール３１０６は、ハザード検出器の周囲環境における一酸化炭素レベルが１つ以上の閾値よりも上昇した時を判断するように構成され得る。たとえば、一酸化炭素検出モジュール３１０６は、周囲環境における一酸化炭素レベルが予警報レベル（たとえば「ヘッズアップ」）に達した時、およびさらにそれが警報（非常）レベルに達した時を判断し得る。一酸化炭素検出モジュール３１０６は、ハザード検出器３１０２が設置されると規定されているタイプの場所に依存して可能化または不能化され得る。一例として、ハザード検出器３１０２はガレージ内に設置され、一酸化炭素検出モジュール３１０６は車両の排気に基づいて予警報を防止するように不能化されることが望ましい場合がある。
【０１７０】
通路灯特徴とも称され得る条件付き照明モジュール３１０８は、ハザード検出器３１０２の周囲環境においてモーションが検出され、ハザード検出器３１０２の光センサによって検出される輝度レベルが、周囲輝度レベルが記憶された閾値よりも低いことを示す場合などの一定の条件下で、（たとえば光リング５２２を介して）照明を出力し得る。条件付き照明モジュール３１０８はしたがって、ユーザが暗闇でハザード検出器３１０２の近傍を移動している時に、ハザード検出器３１０２の照明を点灯させ得る。条件付き照明モジュール３１０８は、ハザード検出器３１０２が設置されると規定されているタイプの場所に依存して可能化または不能化され得る。一例として、ハザード検出器３１０２が寝室内に設置されている場合は、睡眠中の人の動きが条件付き照明モジュール３１０８を、ハザード検出器３１０２の照明を起動するようにトリガしないように、条件付き照明モジュール３１０８は不能化されることが望ましい場合がある。
【０１７１】
ドアベル通知モジュール３１１０およびインターコム通信モジュール３１１２は、それぞれ、直接的にまたはホームオートメーションゲートウェイシステムを介して間接的に、特定のドアベルアクチュエータが押されるとハザード検出器３１０２がスピーカシステムを介して通知（たとえばドアベル音）を出力できるように、および、ハザード検出器３１
０２が、インターコム通信モジュール３１１２に組込まれたマイクロフォン／スピーカシステムを介して双方向通信システムとして機能できるように結合され得る。音声認識モジュール３１１４は、対照的に、ハザード検出器３１０２の１つ以上のマイクロフォンを介して肯定的な音声コマンドを受信するように構成され得る。たとえば、ハザード検出器３１０２のさまざまな他のモジュールを可能化または不能化するコマンドが受信され得る。一例として、ユーザは、「条件付き照明モジュールを不能化」と言うことができ得る。そのようなコマンドは、モーションが検出されて周囲輝度レベルが閾値よりも低い場合、ハザード検出器の照明の点灯を不能化し得る。
【０１７２】
音声認識モジュール３１１４および／または赤ちゃん泣き声モニタ３１２２も、救難音声認識を実行可能であり得る。そのような救難音声認識は、ハザード検出器の周囲環境における人間の声におけるストレスを識別する能力であり得る。そのような検出は、たとえば赤ちゃんが泣いている場合など、ハザード検出器の近傍に非常事態が存在している時を判断するのに有用であり得る。音声認識モジュール３１１４は、ハザード検出器３１０２が設置されると規定されているタイプの場所に依存して可能化または不能化され得る。一例として、ハザード検出器３１０２がホームシアター（またはテレビが典型的に存在する他の場所）内に設置されている場合は、テレビ番組（たとえばホラー映画）からの人間の声が音声認識モジュール３１１４によるアクションをトリガしないように、音声認識モジュール３１１４は不能化される（または少なくとも救難音声認識が不能化される）ことが望ましい場合がある。
【０１７３】
条件付き占有警報モジュール３１１６は、ホームセキュリティシナリオ内などの、望ましくない人間の存在があるか否かを監視し得、望ましくない人間の存在が検出されると、条件付き占有警報モジュール３１１６は、ハザード検出器に、非常警報、およびたとえば９１１などの第三者への可能性のあるコンタクトを出力するように命じ得る。ある例では、占有検出ディスエイブラー３１２０は、ハザード検出器３１０２の占有検出機能を可能化／不能化し得る。ガラス破壊モニタ３１１８は、ハザード検出器３１０２の周囲環境にガラス破壊の音があるか否かを監視するように構成され得る。ガラス破壊モニタ３１１８は、ハザード検出器３１０２の１つ以上のマイクロフォンを介して音声を受信し得る。ガラス破壊モニタ３１１８は、ガラスが破壊していると検出されると１つ以上の他の装置の注意を喚起し、場合によって不法侵入または破壊行為を知らせるようにトリガされ得る。ガラス破壊モニタ３１１８は、ハザード検出器３１０２が設置されると規定されているタイプの場所に依存して可能化または不能化され得る。一例として、ハザード検出器３１０２がホームシアター（またはテレビが典型的に存在する他の場所）内に設置されている場合は、テレビ番組（たとえばアクション映画）からの音がガラス破壊モニタ３１１８によるアクションをトリガしないように、ガラス破壊モニタ３１１８は不能化されることが望ましい場合がある。
【０１７４】
赤ちゃん泣き声モニタ３１２２は、ハザード検出器３１０２の周囲環境に赤ちゃんの泣き声があるか否かを監視するように構成され得る。赤ちゃん泣き声モニタ３１２２は、ハザード検出器３１０２の１つ以上のマイクロフォンを介して音声を受信し得る。赤ちゃん泣き声モニタ３１２２は、赤ちゃんがハザード検出器の近傍で泣いていると判断されると、１つ以上の他の装置の注意を喚起するようにトリガされ得る。赤ちゃん泣き声モニタ３１２２は、ハザード検出器３１０２が設置されると規定されているタイプの場所に依存して可能化または不能化され得る。一例として、ハザード検出器３１０２が育児室に配置される場合、赤ちゃんの泣き声が通常存在する場所（たとえばベビーベッド）における泣き声が赤ちゃん泣き声モニタ３１２２によるアクションをトリガしないように、赤ちゃん泣き声モニタ３１２２は不能化されることが望ましい場合がある。
【０１７５】
停電モニタ３１２４は、典型的に１２０ＶＡＣまたは２４０ＶＡＣである構造物の電源
からの電力を失っているハザード検出器３１０２について監視するように構成され得る。停電モニタ３１２４は、電源からハザード検出器３１０２に構造物を介して電力がもはや利用可能でない時を判断するように構成され得る。停電モニタ３１２４は、電力が失われたのとほぼ同じ時間における人工照明の低下を検出することによって、またはたとえば、失われている電力を示す別のスマートホームデバイスからのメッセージを受信することによってなどして、１つ以上の付加的な配置を介して電力損失を確認し得る。停電モニタ３１２４は、ハザード検出器３１０２が設置されると規定されているタイプの場所に依存して可能化または不能化され得る。一例として、ハザード検出器３１０２が頻繁に電力を損失する回路上に設置される場合、一時的な電力損失が停電モニタ３１２４によるアクションをトリガしないように、停電モニタ３１２４は不能化されることが望ましい場合がある。
【０１７６】
空気品質モニタ３１２６は、ハザード検出器３１０２の近傍の空気品質を監視するように構成され得る。空気品質モニタ３１２６は、揮発性有機化合物、一酸化炭素、過剰な二酸化炭素、アンモニア等のさまざまな汚染物質が周囲の空気品質にあるか否かを監視し得る。空気品質モニタ３１２６は、さまざまな記憶された閾値が周囲空気の測定によって満たされる時を１つ以上の装置に通知するように構成され得る。空気品質モニタ３１２６は、ハザード検出器３１０２が設置されると規定されているタイプの場所に依存して可能化または不能化され得る。一例として、ハザード検出器３１０２が台所に設置される場合、焦げている食べ物が空気品質モニタ３１２６によるアクションをトリガしないように、空気品質モニタ３１２６は不能化されることが望ましい場合がある。
【０１７７】
補足特徴モジュール３１２９は、ハザード検出器の一時的な配置が、ハザード検出器３１０２が仕様内で動作して１つ以上のハザードを検出および／または緩和することを妨げるであろうと判断されると、特定の場所におけるハザード検出器３１０２の設置時にハザード検出器３１０２が特定の通知を出力することを少なくとも可能にする１つ以上の特徴を含み得る。そのような特徴の例は、たとえば超音波センサおよびＬＥＤ飛行時間レンジファインダなどの近接センサ、たとえば加速度計およびジャイロスコープなどの方位センサ、たとえば無線信号強度モジュール、一酸化炭素検出特徴、煙検出特徴、周囲光センサ検出特徴、ならびにたとえば周囲温度検出特徴を含み得るがこれらに限定されない。そのような特徴の別の例は、画像セグメント化および表面認識に基づいてハザード検出器に近接した少なくとも１つの表面からのハザード検出器３１０２の距離を求めるビデオカメラを含む。そのような特徴の別の例は、ハザード検出器３１０２の特定の設置場所がハザード検出器の設置について禁止されたタイプのものであるか否かを判断するＧＰＳコンポーネントを含む。
【０１７８】
さらに図３１には、ハザード検出器３１０２とは別個の、およびハザード検出器３１０２の外部のビデオカメラ３１３０が示されている。ビデオカメラ３１３０は、音声を取得または捕捉する音声取得モジュール３１３２と、ビデオを取得または捕捉するビデオ取得モジュール３１３４と、音声および／またはビデオを、全体にわたって論じられる態様で、場合によっては、ハザード検出器３１０２の一時的な配置が、ハザード検出器３１０２が仕様内で動作して１つ以上のハザードを検出および／または緩和することを妨げるであろうか否かの表示とともに、ハザード検出器３１０２の通信インターフェイス３１２８に伝達する通信インターフェイス３１３６とを含む。
【０１７９】
次に図３２を参照して、例が実現され得る例示的な環境が、たとえば、例の１つ以上に従ってセンサが装備されたスマートホームデバイスの１つ以上を遠隔制御するためにユーザ３２０４によって用いられ得るコンピュータシステム３２００とともに示される。コンピュータシステムまたはサーバ３２１０は代替的に、上に説明したサーバベースの処理パラダイムの１つ以上を実行するように、または説明した処理パラダイムを実行するための
より大きく分散した仮想コンピューティングスキーム内の処理デバイスとして、または本教示と一致するさまざまな他の目的のいずれかのために用いられてもよい。コンピュータシステム３２００は、コンピュータ３２０２、キーボード３２２２、ネットワークルータ３２１２、プリンタ３２０８、およびモニタ３２０６を含み得る。モニタ３２０６、コンピュータ３２０２およびキーボード３２２２はコンピュータシステム３２２６の一部であり、これはラップトップコンピュータ、デスクトップコンピュータ、ハンドヘルドコンピュータ、メインフレームコンピュータ等であり得る。モニタ３２０６はＣＲＴ、フラットスクリーン等であり得る。
【０１８０】
ユーザ３２０４は、マウス、キーボード３２２２、トラックボール、タッチスクリーンなどのさまざまな入力装置を用いてコンピュータ３２０２にコマンドを入力し得る。コンピュータシステム３２００がメインフレームを備える場合、ユーザ３２０４は、たとえば、ターミナルまたはターミナルインターフェイスを用いてコンピュータ３２０２にアクセスし得る。さらに、コンピュータシステム３２２６は、インターネット３２１８またはＷＡＮに接続し得るネットワークルータ３２１２を用いてプリンタ３２０８およびサーバ３２１０に接続され得る。要素３２１８は「インターネット」とラベル付けされているが、要素３２１８は、たとえば、ＷＡＮ（ワイドエリアネットワーク）ネットワーク、ＨＡＮ（ホームエリアネットワーク）ネットワーク、ＬＡＮ（ローカルエリアネットワーク）ネットワーク、ＷＬＡＮ（ワイヤレスローカルエリアネットワーク）ネットワーク、セルラー通信ネットワーク、または環境２００のそれぞれの要素同士の間でデータが伝達され得るように構成されるその他の種類の通信ネットワークなどの、さまざまなワイヤレスおよび／またはハードワイヤードのパケットベースの通信ネットワークの任意の数の特徴または要素を組込むか呈示し得る。
【０１８１】
サーバ３２１０は、たとえば、付加的なソフトウェアプログラムおよびデータを記憶するために用いられ得る。一例では、ここに説明されるシステムおよび方法を実現するソフトウェアは、サーバ３２１０内の記憶媒体上に記憶され得る。したがって、ソフトウェアは、サーバ３２１０内の記憶媒体から実行され得る。別の例では、ここに説明されるシステムおよび方法を実現するソフトウェアは、コンピュータ３２０２内の記憶媒体上に記憶され得る。したがって、ソフトウェアは、コンピュータシステム３２２６内の記憶媒体から実行され得る。したがって、この例では、コンピュータ３２０２がネットワークルータ３２１２に接続されているか否かに係わらずソフトウェアを使用可能である。プリンタ３２０８はコンピュータ３２０２に直接接続され得、その場合、コンピュータシステム３２２６は、それがネットワークルータ３２１２に接続されているか否かに係わらず印刷可能である。
【０１８２】
次に図３３を参照して、特定目的コンピュータシステム３３００の例が示される。たとえば、１つ以上のインテリジェントなコンポーネント、処理エンジン３０８、およびそのコンポーネントが、特定目的コンピュータシステム３３００であってもよい。上記の方法は、コンピュータシステムに命じて、上記の方法およびコンポーネントのアクションを実行させるコンピュータプログラム製品によって実現されてもよい。各そのようなコンピュータプログラム製品は、コンピュータシステムのプロセッサに命じて対応のアクションを実行させるコンピュータ読取可能媒体上で具体化される命令（コード）のセットを含んでもよい。命令は、シーケンシャルな順序で、または（異なる処理スレッド下におけるように）並列で、またはそれらの組合せにおいて実行されるよう構成されてもよい。コンピュータプログラム製品を汎用コンピュータシステム３６２６にロードした後、それは特別目的コンピュータシステム３３００に変換される。
【０１８３】
特別目的コンピュータシステム３３００は、コンピュータ３３０２と、コンピュータ３３０２に結合されるモニタ３３０６と、コンピュータ３３０２に結合される１つ以上のさ
らなるユーザ出力装置３３３０（随意）と、コンピュータ３３０２に結合される１つ以上のユーザ入力装置３３４０（たとえばキーボード、マウス、トラックボール、タッチスクリーン）と、コンピュータ３３０２に結合される随意の通信インターフェイス３３５０と、コンピュータ３３０２における有形のコンピュータ読取可能メモリに記憶されるコンピュータプログラム製品３３０５とを含む。コンピュータプログラム製品３３０５は、特別目的コンピュータシステム３３００に命じて上記の方法を実行させる。コンピュータ３３０２は、バスサブシステム３３９０を介して多数の周辺装置と通信する１つ以上のプロセッサ３３６０を含んでもよい。これらの周辺装置は、ユーザ出力装置（単数または複数）３３３０と、ユーザ入力装置（単数または複数）３３４０と、通信インターフェイス３３５０と、有形のコンピュータ読取可能メモリの形態であるランダムアクセスメモリ（ＲＡＭ）３３７０および不揮発性記憶ドライブ３３８０（たとえばディスクドライブ、光学ドライブ、ソリッドステートドライブ）などのような記憶サブシステムを含んでもよい。
【０１８４】
コンピュータプログラム製品３３０５は、不揮発性記憶ドライブ３３８０またはコンピュータ３３０２にアクセス可能な別のコンピュータ読取可能媒体に記憶され、メモリ３３７０にロードされてもよい。各プロセッサ３３６０は、Ｉｎｔｅｌ（登録商標）またはＡｄｖａｎｃｅｄ  Ｍｉｃｒｏ  Ｄｅｖｉｃｅｓ，Ｉｎｃ（登録商標）からのマイクロプロセッサのようなマイクロプロセッサを含んでもよい。コンピュータプログラム製品３３０５をサポートするために、コンピュータ３３０２は、コンピュータプログラム製品３３０５の上記のコンポーネントとの通信、およびコンピュータプログラム製品３３０５のサポートにおいて上記のコンポーネント同士の間の通信を処理するオペレーティングシステムを実行する。例示的なオペレーティングシステムは、Ｍｉｃｒｏｓｏｆｔ  ＣｏｒｐｏｒａｔｉｏｎからのＷｉｎｄｏｗｓ（登録商標）など、Ｓｕｎ  ＭｉｃｒｏｓｙｓｔｅｍｓからのＳｏｌａｒｉｓ（登録商標）、ＬＩＮＵＸ（登録商標）、ＵＮＩＸ（登録商標）などを含む。
【０１８５】
ユーザ入力装置３３４０は、コンピュータ３３０２に情報を入力するのに、すべての考えられ得るタイプの装置および機構を含む。これらは、キーボード、キーパッド、マウス、スキャナ、デジタル描画パッド、ディスプレイに組込まれるタッチスクリーン、音声認識システムのような音声入力装置、マイクロフォン、および他のタイプの入力装置を含んでもよい。さまざまな例においては、ユーザ入力装置３３４０は、典型的には、コンピュータマウス、トラックボール、トラックパッド、ジョイスティック、無線リモート、描画タブレット、音声コマンドシステムとして具体化される。ユーザ入力装置３３４０は、典型的には、ユーザが、ボタンのクリックなどのコマンドを介して、モニタ３３０６上に現われるオブジェクト、アイコン、テキストなどを選択することを可能にする。ユーザ出力装置３３３０は、コンピュータ３３０２から情報を出力するのに、すべての考えられ得るタイプの装置および機構を含む。これらは、ディスプレイ（たとえばモニタ３３０６）、プリンタ、音声出力装置のような非視覚的ディスプレイなどを含んでもよい。
【０１８６】
通信インターフェイス３３５０は、インターフェイスを他の通信ネットワークおよび装置に与え、他のシステム、ＷＡＮおよび／またはインターネット３３１８との間でデータを送受信するようインターフェイスとして働いてもよい。通信インターフェイス３３５０の例は、典型的には、イーサネット（登録商標）カード、モデム（電話、衛星、ケーブル、ＩＳＤＮ）、（非同期）デジタル加入者ライン（ＤＳＬ）ユニット、ＦｉｒｅＷｉｒｅ（登録商標）インターフェイス、ＵＳＢ（登録商標）インターフェイス、無線ネットワークアダプタなどを含む。たとえば、通信インターフェイス３３５０は、コンピュータネットワーク、ＦｉｒｅＷｉｒｅ（登録商標）バスなどに結合されてもよい。他の例では、通信インターフェイス３３５０はコンピュータ３３０２のマザーボード上に物理的に統合されてもよく、および／またはソフトウェアプログラムなどであってもよい。
【０１８７】
ＲＡＭ３３７０および不揮発性記憶ドライブ３３８０は、実行可能なコンピュータコード、人間が読取可能なコードなどを含む、本発明のコンピュータプログラム製品例などのようなデータを記憶するよう構成される有形のコンピュータ読取可能媒体の例である。他のタイプの有形のコンピュータ読取可能媒体は、フロッピーディスク、リムーバブルハードディスク、ＣＤ−ＲＯＭ、ＤＶＤ、バーコードなどのような光記憶媒体、フラッシュメモリ、読出専用メモリ（ＲＯＭ）などのような半導体メモリ、バッテリ補助された揮発性メモリ、ネットワーク接続された記憶装置、などを含む。ＲＡＭ３３７０および不揮発性記憶ドライブ３３８０は、上記のように、本発明のさまざまな実施の形態の機能を提供する基本的なプログラミングおよびデータ構築物を記憶するよう構成されてもよい。
【０１８８】
本開示の機能を提供するソフトウェア命令セットはＲＡＭ３３７０および不揮発性記憶ドライブ３３８０に記憶されてもよい。これらの命令セットまたはコードはプロセッサ３３６０によって実行されてもよい。ＲＡＭ３３７０および不揮発性記憶ドライブ３３８０は、さらに、本発明に従って用いられるデータおよびデータ構造を記憶するようデポジトリを与えてもよい。ＲＡＭ３３７０および不揮発性記憶ドライブ３３８０は、プログラム実行中に命令およびデータを記憶するメインランダムアクセスメモリ（ＲＡＭ）、および固定された命令が記憶される読出専用メモリ（ＲＯＭ）を含む、ある数のメモリを含んでもよい。ＲＡＭ３３７０および不揮発性記憶ドライブ３３８０は、プログラムおよび／またはデータファイルの永続的な（不揮発性の）記憶を提供するファイル記憶サブシステムを含んでもよい。ＲＡＭ３３７０および不揮発性記憶ドライブ３３８０は、さらに、リムーバブルフラッシュメモリなどのようなリムーバブル記憶システムを含んでもよい。
【０１８９】
バスサブシステム３３９０は、コンピュータ３３０２のさまざまなコンポーネントおよびサブシステムが意図した通りに互いに通信することを可能にする機構を提供する。バスサブシステム３３９０は概略的に単一のバスとして示されているが、バスサブシステムの代替例はコンピュータ３３０２内において複数のバスまたは通信経路を利用してもよい。
【０１９０】
ファームウェアおよび／またはソフトウェア実装については、手法は、ここに記載される機能を実行するモジュール（たとえば手順、機能など）を用いて実現され得る。命令を有形に具体化する任意の機械読取可能媒体が、ここに説明される手法を実現する際に用いられ得る。たとえば、ソフトウェアコードがメモリに記憶され得る。メモリはプロセッサの内部でまたはプロセッサの外部で実現され得る。ここにおいて使用される「メモリ」という用語は、任意の種類の長期、短期、揮発性、不揮発性、または他の記憶媒体を指し、いずれかの特定のタイプのメモリもしくはメモリの数、またはメモリが記憶される媒体のタイプに制限されない。
【０１９１】
さらに、ここに開示されるように、「記憶媒体」、同等の「非一時的な記憶媒体」という用語は、読出専用メモリ（ＲＯＭ）、ランダムアクセスメモリ（ＲＡＭ）、磁気ＲＡＭ、コアメモリ、磁気ディスク記憶媒体、光学記憶媒体、フラッシュメモリデバイスおよび／または情報を記憶するための他の機械読取可能媒体を含む、データを記憶するための１つ以上の永続的メモリを表わし得る。「機械読取可能媒体」という用語は、携帯もしくは固定記憶装置、光学記憶装置、無線チャネル、ならびに／または命令（単数もしくは複数）および／もしくはデータを記憶、包含または送信可能なさまざまな他の記憶媒体を含むが、これらに限定されない。
【０１９２】
発明の精神および範囲から逸脱することなくさまざまな修正がなされ得る。実際、ハザード検出器、ＨＶＡＣＳおよび他の装置を動作させるためのさまざまなユーザインターフェイスが提供されたが、その設計は発明全体の範囲に関して例示的であり限定的ではないことが意図されている。ハザード検出およびハザード検出器ステータス情報を受信するための方法およびシステムが説明されたが、これらの方法は他の情報を受信および／または
通信するように適用され得ることが考えられる。全体にわたって用いられるハザード検出器という用語は、ハザード応答システムと直接の有線接続を有するハザード検出器を含んでもよく、ハザード応答システムと直接的に接続しないが、検出された潜在的なハザード状態に関してアラートを与えるハザード検出器をさらに含んでもよいことをさらに認識すべきである。
【０１９３】
上述の方法、システム、および装置は例である。さまざまな構成は、さまざまな方法ステップもしくは手順、またはシステムコンポーネントを適切に省略、置換、または追加してもよい。たとえば、代替的構成では、方法は、記載されるものとは異なる順序で実行されてもよく、および／またはさまざまな段階が追加、省略、および／または組合せられてもよい。さらに、ある構成に関して記載される特徴はさまざまな他の構成において組合せられてもよい。構成の異なる局面および要素は同様の態様で組合せられてもよい。さらに、技術は発展するものであり、したがって、要素の多くは例であり、開示または請求項の範囲を限定しない。
【０１９４】
具体的な詳細が、例示的な構成（実現を含む）の十分な理解を与えるために本記載において与えられている。しかし、構成はこれらの具体的な詳細なしに実施されてもよい。たとえば、周知の回路、プロセス、アルゴリズム、構造、および技術は、構成を曖昧にすることを回避するため、不要な詳細を伴わずに示されている。本記載は、例示的な構成のみを提供しており、請求項の範囲、適用性または構成を限定しない。むしろ、先の構成の記載は、当業者に対して、記載される技術を実現するための実施可能な記載を与えることになる。さまざまな変更が、開示の精神および範囲から逸脱することなく、要素の機能および配置においてなされてもよい。
【０１９５】
さらに、構成は、フロー図またはブロック図として図示されるプロセスとして記載されてもよい。各々は動作をシーケンシャルなプロセスとして記載してもよいが、動作の多くは並列または同時に実行され得る。加えて、動作の順序は再び並び変えられてもよい。プロセスは、図に含まれない付加的なステップを有してもよい。さらに、方法の例は、ハードウェア、ソフトウェア、ファームウェア、ミドルウェア、マイクロコード、ハードウェア記述言語、またはそれらのいずれかの組合せによって実現されてもよい。ソフトウェア、ファームウェア、ミドルウェア、またはマイクロコードにおいて実現される場合、必要なタスクを実行するプログラムコードまたはコードセグメントは、記憶媒体などの非一時的なコンピュータ読取可能媒体に記憶されてもよい。プロセッサは記載されるタスクを実行してもよい。
【０１９６】
さらに、ここに記載される例示的な局面または特徴は、ネットワーク接続されたコンピューティングシステム環境でコンピューティングデバイス内の論理演算として実現されてもよい。論理演算は、（ｉ）コンピューティングデバイス上で実行されるコンピュータ実行命令、ステップ、またはプログラムモジュールのシーケンス、および（ii）コンピューティングデバイス内で実行される相互接続されたロジックまたはハードウェアモジュールとして実現されてもよい。
【０１９７】
主題は構造的特徴および／または手法の行為に特有の言語で説明されたが、添付の請求項において規定される主題は上記の特定の特徴または行為に必ずしも限定されない。むしろ、上記の特定の特徴および行為は、請求項を実現する例示的な形態として開示される。
【図１】
2019091489.tif 000004
【図２】
2019091489.tif 000005
【図３】
2019091489.tif 000006
【図４】
2019091489.tif 000007
【図５】
2019091489.tif 000008
【図６】
2019091489.tif 000009
【図７】
2019091489.tif 000010
【図８】
2019091489.tif 000011
【図９】
2019091489.tif 000012
【図１０】
2019091489.tif 000013
【図１１】
2019091489.tif 000014
【図１２】
2019091489.tif 000015
【図１３】
2019091489.tif 000016
【図１４】
2019091489.tif 000017
【図１５】
2019091489.tif 000018
【図１６】
2019091489.tif 000019
【図１７】
2019091489.tif 000020
【図１８】
2019091489.tif 000021
【図１９】
2019091489.tif 000022
【図２０】
2019091489.tif 000023
【図２１】
2019091489.tif 000024
【図２２】
2019091489.tif 000025
【図２３】
2019091489.tif 000026
【図２４】
2019091489.tif 000027
【図２５】
2019091489.tif 000028
【図２６】
2019091489.tif 000029
【図２７】
2019091489.tif 000030
【図２８】
2019091489.tif 000031
【図２９】
2019091489.tif 000032
【図３０】
2019091489.tif 000033
【図３１】
2019091489.tif 000034
【図３２】
2019091489.tif 000035
【図３３】
2019091489.tif 000036
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ハザード検出器の設置を案内するための方法であって、
住居内の特定の場所における設置時に前記ハザード検出器によって、前記ハザード検出器の一時的な配置が、前記ハザード検出器が仕様内で動作して１つ以上のハザードを検出することを妨げるであろうか否かをテストする入力コマンドを受信するステップと、
前記入力コマンドを受信したことに応答して前記ハザード検出器によって、前記ハザード検出器の前記一時的な配置が、前記ハザード検出器が仕様内で動作して１つ以上のハザードを検出することを妨げるであろうか否かを判断するテストシーケンスを実行するステップと、
前記ハザード検出器の少なくとも１つのコンポーネントの読取に基づいて、前記ハザード検出器の前記一時的な配置が、前記ハザード検出器が仕様内で動作して１つ以上のハザードを検出することを妨げるであろうと判断されると、前記ハザード検出器によって、前記特定の場所における設置時に特定の通知を出力するステップとを備える、方法。
【請求項２】
前記ハザード検出器の近接センサの読取に基づいて、前記ハザード検出器の前記一時的な配置が１つ以上の壁または天井面からの禁止距離内にあると判断するステップと、
この判断に応答して、前記ハザード検出器の一時的な配置が、前記ハザード検出器が仕様内で動作して１つ以上のハザードを検出することを妨げるであろうことを示す前記特定の通知を出力するステップとをさらに備える、請求項１に記載の方法。
【請求項３】
前記近接センサは、超音波センサおよびＬＥＤ（発光ダイオード）飛行時間レンジファインダから選択される、請求項２に記載の方法。
【請求項４】
前記ハザード検出器の方位センサの読取に基づいて、前記ハザード検出器の一時的な空間的方位が、前記ハザード検出器の１つ以上の特徴が意図した通りに動作するのに好適でないと判断するステップと、
この判断に応答して、前記ハザード検出器の前記一時的な配置が、前記ハザード検出器が仕様内で動作して１つ以上のハザードを検出することを妨げるであろうことを示す前記特定の通知を出力するステップとをさらに備える、請求項１に記載の方法。
【請求項５】
前記ハザード検出器によって検出された一時的な無線信号強度が許容不可の範囲内にあると判断するステップと、
この判断に応答して、前記ハザード検出器の前記一時的な配置が、前記ハザード検出器が仕様内で動作して１つ以上のハザードを検出することを妨げるであろうことを示す前記特定の通知を出力するステップとをさらに備える、請求項１に記載の方法。
【請求項６】
前記ハザード検出器の特定のハザード検出特徴が、一時的な読取が許容範囲外にあるために許容不可の範囲内で動作していると判断するステップと、
この判断に応答して、前記ハザード検出器の前記一時的な配置が、前記ハザード検出器が仕様内で動作して１つ以上のハザードを検出することを妨げるであろうことを示す前記特定の通知を出力するステップとをさらに備える、請求項１に記載の方法。
【請求項７】
前記特定のハザード検出特徴は、一酸化炭素検出特徴、煙検出特徴、ＡＬＳ（周囲光センサ）検出特徴、および周囲温度検出特徴から選択される、請求項６に記載の方法。
【請求項８】
前記ハザード検出器の前記一時的な配置が、前記ハザード検出器が仕様内で動作して１つ以上のハザードを検出することを妨げるであろうと判断されると、前記特定の場所における設置時に、可聴通知および視覚的な通知の少なくとも一方を出力するステップをさらに備える、請求項１に記載の方法。
【請求項９】
前記ハザード検出器の少なくとも１つのコンポーネントの読取に基づいて、前記ハザード検出器の前記一時的な配置が、前記ハザード検出器が仕様内で動作して１つ以上のハザードを検出することを可能にするであろうと判断されると、前記ハザード検出器によって、前記特定の場所における設置時に別の特定の通知を出力するステップをさらに備える、請求項１に記載の方法。
【請求項１０】
前記ハザード検出器の前記一時的な配置が、前記ハザード検出器が仕様内で動作して１つ以上のハザードを検出することを可能にするであろうと判断されると、前記特定の場所における設置時に、可聴通知および視覚的な通知の少なくとも一方を出力するステップをさらに備える、請求項９に記載の方法。
【請求項１１】
ハザード検出器であって、
特定の場所における前記ハザード検出器の設置時に、前記ハザード検出器の一時的な配置が、前記ハザード検出器が仕様内で動作して１つ以上のハザードを検出することを妨げるであろうか否かをテストする少なくとも１つのコンポーネントと、
前記少なくとも１つのコンポーネントと作動的通信状態における処理システムとを備え、前記処理システムは、
前記少なくとも１つのコンポーネントの読取に基づいて、前記ハザード検出器の設置時の前記ハザード検出器の一時的な配置が、前記ハザード検出器が仕様内で動作して１つ以上のハザードを検出することを妨げるであろうか否かを判断し、
前記ハザード検出器の前記一時的な配置が、前記ハザード検出器が仕様内で動作して１つ以上のハザードを検出することを妨げるであろうと判断されると、通知アラートを出力して、前記ハザード検出器の設置時にユーザを前記ハザード検出器についての好適な設置場所に案内する、ハザード検出器。
【請求項１２】
前記少なくとも１つのコンポーネントは、問合せ超音波の反射に基づいて前記ハザード検出器に近接している少なくとも１つの表面からの前記ハザード検出器の距離を求める超音波センサを備え、前記少なくとも１つの表面からの前記ハザード検出器の距離が予め定められて調節された距離以下であると判断されると、前記ハザード検出器によって前記通知アラートが出力される、請求項１１に記載のハザード検出器。
【請求項１３】
前記少なくとも１つのコンポーネントは、問合せ光波の反射に基づいて前記ハザード検出器に近接している少なくとも１つの表面からの前記ハザード検出器の距離を求める飛行時間ＬＥＤ（発光ダイオード）コンポーネントを備え、前記少なくとも１つの表面からの前記ハザード検出器の距離が予め定められて調節された距離以下であると判断されると、前記ハザード検出器によって前記通知アラートが出力される、請求項１１に記載のハザード検出器。
【請求項１４】
前記少なくとも１つのコンポーネントは、画像セグメント化および表面認識に基づいて前記ハザード検出器に近接している少なくとも１つの表面からの前記ハザード検出器の距離を求めるビデオカメラを備え、前記少なくとも１つの表面からの前記ハザード検出器の距離が予め定められて調節された距離以下であると判断されると、前記ハザード検出器によって前記通知アラートが出力される、請求項１１に記載のハザード検出器。
【請求項１５】
前記少なくとも１つのコンポーネントは、前記特定の場所が前記ハザード検出器の設置について禁止されたタイプのものであるか否かを判断するＧＰＳ（全地球測位センサ）コンポーネントを備え、前記特定の場所が、前記ハザード検出器の設置について禁止されているタイプであると判断されると、前記ハザード検出器によって前記通知アラートが出力される、請求項１１に記載のハザード検出器。
【請求項１６】
前記ハザード検出器の外部のカメラシステムから、前記ハザード検出器の前記一時的な配置が、前記ハザード検出器が仕様内で動作して１つ以上のハザードを検出することを妨げるであろうか否かの指示を受信する通信インターフェイスをさらに備え、前記指示に基づいて、前記ハザード検出器の前記一時的な配置が、前記ハザード検出器が仕様内で動作して１つ以上のハザードを検出することを妨げるであろうと判断されると、前記ハザード検出器によって前記通知アラートが出力される、請求項１１に記載のハザード検出器。
【請求項１７】
前記ハザード検出器の前記一時的な配置が、前記ハザード検出器が仕様内で動作して１つ以上のハザードを検出することを妨げるであろうと判断されると、可聴通知アラートを出力するスピーカシステムをさらに備える、請求項１１に記載のハザード検出器。
【請求項１８】
前記ハザード検出器の前記一時的な配置が、前記ハザード検出器が仕様内で動作して１つ以上のハザードを検出することを妨げるであろうと判断されると、視覚的な通知アラートを出力する光源をさらに備える、請求項１１に記載のハザード検出器。
【請求項１９】
ハザード検出器であって、
少なくとも１つの診断コンポーネントと、
少なくとも１つの出力装置と、
前記少なくとも１つの診断コンポーネントおよび少なくとも１つの出力装置に作動的に結合される少なくとも１つのプロセッサと、
前記少なくとも１つのプロセッサに作動的に結合されて前記少なくとも１つのプロセッサによって読取可能であり、プロセッサ読取可能命令を格納しているメモリとを備え、前記命令は、前記少なくとも１つのプロセッサによって実行されると、前記少なくとも１つのプロセッサに、
住居内の特定の場所における前記ハザード検出器の設置時に、前記ハザード検出器の一時的な配置が、前記ハザード検出器が仕様内で動作して１つ以上のハザードを検出することを妨げるであろうか否かをテストする入力コマンドを受信するステップと、
前記ハザード検出器の前記一時的な配置が、前記ハザード検出器が仕様内で動作して１つ以上のハザードを検出することを妨げるであろうか否かを判断するテストシーケンスを実行するステップと、
前記少なくとも１つの診断コンポーネントの読取に基づいて、前記ハザード検出器の前記一時的な配置が、前記ハザード検出器が仕様内で動作して１つ以上のハザードを検出することを妨げるであろうと判断されると、前記少なくとも１つの出力装置によって出力するための、特定の通知を生成するステップとを実行させる、ハザード検出器。
【請求項２０】
前記少なくとも１つの診断コンポーネントは、近接センサ、方位センサ、および無線信号強度センサから選択され、前記近接センサ、方位センサ、および無線信号強度センサのうちの少なくとも１つの読取が、前記ハザード検出器の前記一時的な配置が、前記ハザード検出器が仕様内で動作して１つ以上のハザードを検出することを妨げるであろうことを示す場合、前記少なくとも１つの出力装置を介して前記特定の通知が出力される、請求項１９に記載のハザード検出器。
【外国語明細書】
2019091489000001.pdf